(57)【要約】従来の香りがする消費者製品、例えば粉末洗浄剤は、使用中実質的に変化しない、消費者製品全体にわたって均一な芳香を有している。本発明は、別々に感知可能な異なった芳香パターンを発現できる芳香付与消費者製品に関する。芳香が変動する消費者製品の最先端である本発明によって、消費者は、１回使用する間、例えば食器を手洗いする間、同一消費者製品を使用して異なった芳香を体験でき、それによって、従来の芳香付与消費者製品に関する芳香の限られた範囲および単調さを完全に打破できるようになる。【特許請求の範囲】
【請求項１】
別々に感知できる識別可能な芳香パターンが適用中に生じることを特徴とする、芳香を有する消費者製品。
【請求項２】
識別可能な芳香パターンが時間経過に伴って生じることを特徴とする、請求項１に記載の消費者製品。
【請求項３】
識別可能な芳香パターンが適用過程と関係し、好ましくは
（ａ）特定の適用実施の間および／または
（ｂ）特定の適用実施の完了直後および／または
（ｃ）特定の適用実施の後
に異なる芳香パターンが生じることを特徴とする、請求項１または２に記載の消費者製品。
【請求項４】
（ａ）消費者製品自体、
（ｂ）消費者製品で処理された対象物および／または
（ｃ）処理媒体
に関して識別可能な芳香パターンが生じることを特徴とする、請求項１〜３のいずれかに記載の消費者製品。
【請求項５】
少なくとも２つの機能、好ましくは洗浄機能およびケア機能を併せ持つことを特徴とする、請求項１〜４のいずれかに記載の消費者製品。
【請求項６】
識別可能な芳香パターンが生じるように適用中に芳香に関して少なくとも部分的に異なって支配的になる香料を併せ持つ、少なくとも１種の香油が存在することを特徴とする、請求項１〜５のいずれかに記載の消費者製品。
【請求項７】
適用中に芳香に関して識別できるほど支配的になる、少なくとも２種の、異なった香りがする香油ＡおよびＢが存在することを特徴とする、請求項１〜６のいずれかに記載の消費者製品。
【請求項８】
香油が芳香に関して識別できるほど順に支配的になることを特徴とする、請求項７に記載の消費者製品。
【請求項９】
支配が適用過程と関係し、好ましくは香油が
（ａ）特定の適用実施の間および／または
（ｂ）特定の適用実施の完了直後および／または
（ｃ）特定の適用実施の後
に識別できるほど支配的になることを特徴とする、請求項８に記載の消費者製品。
【請求項１０】
香油が
（ａ）消費者製品自体、
（ｂ）消費者製品で処理された対象物および／または
（ｃ）処理媒体
に基づく芳香に関して識別できるほど支配的であることを特徴とする、請求項７〜９のいずれかに記載の消費者製品。
【請求項１１】
ガラキソリド、ジヒドロミルセノール、４−ｔｅｒｔ−ブチルシクロヘキシルアセテート、γ−イソメチルイオノン、テトラヒドロリナロール、ヘキシルシンナムアルデヒド、リリアール、リナロール、アミルシンナムアルデヒド、６−メチル−γ−イオノン、メチルオレエート、ネリルアセテート、１５−ペンタデカラクトン、フェノキシエチルイソブチレート、フェニルエチルメタノエート、ａ−ピネン、ｂ−ピネン、ローズオキシド、サビネン、アネトール、２−ヒドロキシペンチルベンゾエート、ジフェニルエーテル、ベンゾフェノン、シクラメンアルデヒド、ａ−ダマスコン、デカナール、ジシクロペンタジエンアルコール、アリルシクロヘキシルプロピオネート、イソボルニルアセテート、ボルニルアセテート、ジヒドロメチルジャスモネート、ユーカリプトール、ｎ−ドデカノール、エチルパルミテート、ゲラニオールアセテート、ヘキシルアセテート、ｎ−ヘキシルサリチレート、ａ−イオノン、l−リモネン、メチルパルミテート、２−ナフチルメチルケトン、イソプロピルミリステート、ローズフェノン、ａ−テルピネオール、スチラリルアセテート、ツジョプセン、ジメチルベンジルカルビニルブチレート、ｄ−リモネン、ジメチルベンジルカルビニルアセテート、シトロネロール、２−ｔｅｒｔ−ブチルシクロヘキサノール、カリオフィレン、エチルステアレート、トナリド、２，４−ヘキサジエナール、メタノアズレン、メチルラウレート、メチルミリステート、２−メチルウンデカノール、ミルセン、ノナナール、ノピルアセテート、１５−ペンタデカラクトン、β−フェランドレン、３−フェニル−２−メチルプロペン、ローズアセテート、トラセオリド、ウィドレンおよび／またはｄ−リモネンの群から選択される、少なくとも１種類、好ましくは、２種類、３種類またはそれを超える芳香が存在することを特徴とする、請求項１〜１０のいずれかに記載の消費者製品。
【請求項１２】
洗剤、洗浄剤および／または化粧品の成分を含むことを特徴とする、請求項１〜１１のいずれかに記載の消費者製品。
【請求項１３】
香油を保持する懸濁固体を含むことを特徴とする、請求項１２に記載の消費者製品。
【請求項１４】
保持された香油を含むことを特徴とする、請求項１〜１３のいずれかに記載の消費者製品。
【請求項１５】
好ましくは製品全体に対して少なくとも０．１重量％量のカチオン性界面活性剤を含むことを特徴とする、請求項１〜１４のいずれかに記載の消費者製品。
【請求項１６】
本質的に固体状、好ましくは微粉状、圧縮状または顆粒状で存在することを特徴とする、請求項１〜１５のいずれかに記載の消費者製品。
【請求項１７】
本質的に液体状で存在することを特徴とする、請求項１〜１５のいずれかに記載の消費者製品。
【請求項１８】
香油を保持する懸濁固体を含むことを特徴とする、請求項１７に記載の消費者製品。
【請求項１９】
保持された香油を含むことを特徴とする、請求項１〜１８のいずれかに記載の消費者製品。
【請求項２０】
アニオン性界面活性剤、カチオン性界面活性剤、両性界面活性剤、非イオン性界面活性剤、酸性化剤、アルカリ性化剤、折り目防止化合物、抗菌物質、抗酸化剤、再付着防止剤、帯電防止剤、ビルダー物質、漂白剤、漂白促進剤、漂白安定剤、漂白触媒、アイロン助剤、共ビルダー、防しわ剤、電解質、酵素、着色防止剤、着色剤、色素、色移り防止剤、蛍光剤、殺真菌剤、殺菌剤、臭気複合物質、助剤、ヒドロトロープ、すすぎ助剤、錯化剤、保存剤、腐食防止剤、蛍光増白剤、芳香担体、パール化剤、ｐＨ調整剤、疎化剤・含浸剤、ポリマー、膨潤・滑り防止剤、発泡防止剤、層状シリケート、防汚物質、銀保護剤、シリコーン油、ＵＶ保護物質、粘度調節剤、増粘剤、変色防止剤、黒ずみ防止剤、ビタミンおよび／または繊維柔軟剤からなる群から選択される成分を有することを特徴とする、請求項１〜１９のいずれかに記載の消費者製品。
【発明の詳細な説明】
【技術分野】
【０００１】
本発明は、識別可能かつ別々に感知可能な芳香パターンが適用中に生じる、芳香を有する消費者製品、例えば、使用時に芳香に関して識別できるほど支配的になる、少なくとも２種の、異なった香りがする香油が存在する消費者製品に関する。
この消費者製品は産業上利用可能ないずれの芳香製品であってもよいが、主として洗剤または洗浄剤および化粧品分野の製品である。
【背景技術】
【０００２】
例えば洗剤または洗浄剤などの典型的な消費者製品における芳香剤の使用は、通常、２つの異なる目的を果たす。一つは、これらの製品はそれ自体芳香性を備えているということであり、もう一つは、その製品が作用する対象に芳香を付与するということである。洗剤または洗浄剤を例にとれば、洗浄されたばかりの表面または洗浄されたばかりの洗濯物は大抵の場合「洗ったばかりの」香りがし、これができる限り持続しなければならず、しかも、時には、洗剤および洗浄剤特有の極めて強い匂いがマスクされる必要がある。
【０００３】
多くの消費者にとって、例えば洗剤および洗浄剤分野においてことごとく製品群が複雑になっていることからして、例えば洗剤および洗浄剤などの消費者製品の香りは、最終的に歓迎される差別化の可能性ももたらす。
【０００４】
また、多くの消費者は、例えばそれらの洗剤または洗浄剤の香りを安息や個人の快適性の増進に寄与するものと考えるので、多くの洗剤および洗浄剤の製造業者は、それ故に、種々の香りを有する洗剤および洗浄剤の幅広い選択という消費者ニーズを満たしてきた。従って、例えば、繊維柔軟剤など、本質的に提供されている香りだけが異なり、同じ商標でまとめられる洗剤および洗浄剤区分の製品系列がある。
【０００５】
これに関して、香りは極めて特定の消費者の好みを満たす。従って、例えば、１つの同じ種類の製品、例えば繊維柔軟剤で、「アーモンドと蜂蜜」、「ピーチとライムの花」、「野バラ」、「ランとハスの花」または例えば「ホワイトチューリップとデリケートミント」などの多様な香りの方向性が提供され、これにより消費者は自分の感覚や好みに合った製品を選択することができる。
【０００６】
しかしながら、それにも拘わらず、同一消費者製品およびその使用に関する芳香の単調さは、問題として残っている。
【発明の開示】
【発明が解決しようとする課題】
【０００７】
従って、本発明の根底にある目的は、香りの多様性を必要とする消費者に改良された製品を提供することを考えることである。
【課題を解決するための手段】
【０００８】
この目的は、別々に感知できる識別可能な芳香パターンが適用中に生じる、芳香を有する消費者製品によって達成される。本発明では、識別可能な芳香パターンが時間経過に伴って好ましくは生じる。
【発明を実施するための最良の形態】
【０００９】
用語「時間経過に伴って」は、適用の可能な限り広範な範囲を包含する。本発明において、適用の開始時点は、使用目的のために消費者製品を手に取った時点および消費者製品の包装を開封した時点である。従って、例えば「布地の洗浄」という適用を例にとると、これは、液体洗浄剤の瓶を手に取り、その瓶を開けた時点を表す。次いで、例えば、一定量の液体洗浄剤を計量する工程などが続く。最初の芳香パターンは遅くとも瓶の開封時に生じ、その後、開封した瓶から芳香が流れ出す。本発明における適用の終了時点は、消費者製品の実際の使用から時間的にかなり後になり得る。従って、例えば「布地の洗浄」という適用を例にとると、これは、洗浄した洗濯物を例えば一列に吊すことによって乾燥させた時点を表す。乾燥した洗濯物もまた、概して、後に時間経過に伴って徐々に弱まる特有の芳香パターンを発現する。例えば、開始時点（消費者製品の芳香）および終了時点（乾燥した洗濯物の芳香）における芳香パターンは異なり得る。
【００１０】
食器の手洗いを例にとると、適用の開始時点は洗浄剤の瓶の開封時であり、適用の終了時点は最も広義には食器および手の両方が再び乾燥した時点である。例えば、開始時点（消費者製品の芳香、例えば新鮮な芳香）および終了時点（乾燥した手の芳香、例えばクリームの芳香）における芳香パターンは異なり得る。
【００１１】
消費者製品適用中の芳香パターンが芳香に関して識別可能であるという事実は、適用中に１つだけの均一な芳香パターンが生じるのではなく、相互に別々に感知され得、有利には時間的および／または空間的に分離できる、少なくとも２つの異なった芳香パターンが明確であることを有利には意味するであろう。例えば、ある時点では新鮮な芳香が明確であり、別の時点ではクリームの芳香が明確である。これに関して、識別可能な芳香パターンは適用過程と関係し得、異なった芳香パターンは例えば、
（ａ）特定の適用実施（消費者製品の実際の使用）の間および／または
（ｂ）特定の適用実施の完了直後および／または
（ｃ）特定の適用実施の後
に生じる。これは好ましい態様に対応する。
【００１２】
ここで、識別可能な芳香パターンは、
（ａ）消費者製品自体、
（ｂ）消費者製品で処理された対象物および／または
（ｃ）処理媒体
に関して生じ得る。これは好ましい態様に対応する。
【００１３】
このように、実際の消費者製品の芳香パターンも、本発明の意味において消費者製品の適用時に生じる独特の芳香パターンであることが明らかである。
【００１４】
本発明の消費者製品は、少なくとも２つの機能、好ましくは洗浄機能およびケア機能を併せ持ち得る。これは好ましい態様に対応する。従って、適当な成分が消費者製品中に存在しなければならないことは完全に明らかである。しかしながら、これらの成分の選択は当業者にとって問題ではない。なぜなら当業者は、例えば、洗浄効果またはケア効果を有する多くの成分を問題なく挙げることができるからである。
【００１５】
本発明の消費者製品では、消費者製品の適用中に識別可能な芳香パターンが生じるように芳香に関して少なくとも部分的に異なって支配的になる香料を併せ持つ、少なくとも１種の香油が存在し得る。これは好ましい態様に対応する。
【００１６】
好ましい態様における本発明の消費者製品では、消費者製品適用中に芳香に関して識別できるほど支配的になる、少なくとも２種の、異なった香りがする香油ＡおよびＢが存在する。
【００１７】
本発明の目的のために、香油は、特定のこの芳香パターンを明確にするとき支配的になる。
【００１８】
消費者製品は典型的には１つの均一な芳香パターンを有し、この芳香パターンにおいて、本発明では１種の香油が支配的であり得る。この消費者製品が適用中に特定使用（例えば、布地の機械洗浄に使用される芳香付与粉末洗浄剤；この場合、対象物は布地であり、媒体は水である）に付される場合、新規な芳香パターンが生じ得、本発明に従って、もう１種の香油が支配的になる。例えば、洗濯された湿った洗濯物の芳香パターンは、この別の香油によって支配され得る。簡潔に言い換えれば、これは、消費者製品が消費者製品で処理された対象物または適用中存在する媒体とは異なる芳香を有することを意味する。粉末洗浄剤に基づくと、これは、消費者製品が洗濯して湿ったまたは乾燥した洗濯物或いは洗濯液とは異なった芳香を発現することを意味し得る。
【００１９】
異なった香りがする香油が各々少なくとも２種またはそれ以上の香料を含む場合、本発明の更に好ましい態様が存在する。
【００２０】
好ましい態様では、時間経過に伴って香油は芳香に関して識別できるほど支配的になる。
時間経過に伴って香油が芳香に関して識別できるほど支配的になるという事実は、好ましくは、異なった香りがする香油が有利には同時に芳香パターンを明確にしないが、適用中、有利には単なる時間の関数としてではなく、適用過程の結果として、まず第一の香油、次いで第二、任意に更なる第三の香油が芳香パターンを明確にすることを意味するであろう。
【００２１】
これは、いわゆる２−イン−１洗浄剤の例を用いて説明できる。２−イン−１洗浄剤自体は、既に比較的長い間市販されている。それらは通常、ただ１つの消費者製品中に普通の洗浄剤の洗浄力と付加的な柔軟効果を併せ持つ。しかしながら、標準の市販２−イン−１洗浄剤は通常、それで処理された対象物にも一様に作用する、１つの均一な芳香によって特徴付けられている。従って、組成物、湿った洗濯物および乾燥した洗濯物は本質的に同じ香りがする。適用に関して、本質的に常に同じ芳香が生じる。
【００２２】
本発明の意味における２−イン−１洗浄剤をこれと対比させる。本発明の消費者製品は例えば、適用時に芳香に関して認識できるほど支配的になり得る、２種の異なった香りがする香油を含み得る。これは、このような洗浄剤に関して、異なった識別可能な芳香パターンが生じ得ることを意味する。第一の代表例によれば、例えばこれは、消費者製品で処理された洗濯物（芳香パターン２）とは異なった香りがする実際の消費者製品（２−イン−１洗浄剤）（芳香パターン１）によって実現され得る。第二の代表例によれば、例えばこれは、乾燥した洗濯物（芳香パターン２）とは異なった香りがする、実際の消費者製品（２−イン−１洗浄剤）および洗いたての湿った洗濯物の両方（各々芳香パターン１）によって実現され得る。芳香パターン１は本質的に香油１によって明確にされ、一方、芳香パターン２は本質的に香油２によって明確にされる。
【００２３】
これらの代表例では、芳香パターン１を有する各々の場合において、香油１がまず支配的になる。即ち、消費者製品の芳香（代表例１）、または消費者製品の芳香および湿った洗濯物の芳香（代表例２）に基づく。次いで、使用過程に伴って香油２が支配的になる。即ち、湿った洗濯物の芳香（代表例１）または乾燥した洗濯物の芳香（代表例２）に基づく。
このように、例えば、適用時に別々に感知できる識別可能な芳香パターンを有するまたは生じる、２−イン−１洗浄剤を実現することができる。
【００２４】
例えば、対応する洗浄剤はそれ自体著しいシトラスの芳香を有し得る。このような洗浄剤で洗った洗濯物は、洗いたての状態ではこのシトラスの芳香を有し得るが、その後、乾燥した洗濯物は、例えばクリームの芳香を有し得る。芳香パターン「シトラスの芳香」および「クリームの芳香」は芳香に関して明らかに識別可能である。即ち、一時は「シトラスの芳香」として、別の時は「クリームの芳香」として、別々に感知可能である。
【００２５】
好ましい態様では、香油の支配は適用過程と関係し得、香油は好ましくは
（ａ）特定の適用実施（消費者製品の実際の適用）の間および／または
（ｂ）特定の適用実施の完了直後および／または
（ｃ）特定の適用実施の後
に識別可能なほど支配的になる。
【００２６】
「特定の適用実施の完了直後」は、特定の適用に依存する用語である。布地の機械洗浄の場合、これは、洗濯機を開け、湿った洗濯物を取り出し、次いで例えば乾燥させるために一列に吊すまでの期間である。
【００２７】
「特定の適用実施の後」は、特定の適用に依存する用語である。布地の機械洗浄の場合、これは、例えば乾燥した洗濯物が存在する後の時間である。従って、実際の適用実施は、間接的な完了よりもかなり前である。
【００２８】
好ましい態様では、香油は、実際の消費者製品、消費者製品で処理された対象物および／または処理媒体に基づいて、芳香に関して識別できるほど支配的になる。
【００２９】
各々の場合に使用される香油は、有利には、少なくとも１種の特定芳香ノートによって特徴付けられる。このノートは、少なくとも一時的に主要な芳香を形成し得、特に以下から選択され得る：
（ａ）グリーンノート。葉、草地および／または草の芳香概念に相当する。香りの印象はフレッシュ／バルサム調ともいわれ、有利には弱いクールノートを含む。
（ｂ）フローラルノート。ここでの一般的な芳香の描写は、フローラルフルーティー、フレッシュおよび／またはスイートのような用語を対象としている。
（ｃ）アルデヒドノート。これらはフローラルおよびウッディーノートと接点を有する。
（ｄ）チープルノート。ここでの一般的な芳香の描写は、フレッシュ−モッシー−アルデヒド調；フローラル−モッシー−アニマリック；モッシー−フルーティーのような用語を対象としている。これらのノートは、サプリメンタルドライ、アルゲ、ウッディー、モッシーノートにより特定のアクセントをもたらし得る。
（ｅ）オリエンタルノート。ここでは、アニマリックノートによって洗練された支配的なヘビースイートかつスパイシーな芳香を指す。
（ｆ）通常さわやかな特徴を有するシトラスノート。例えば柑橘類の果実の精油からなり得る。
（ｇ）通常心地よいフレッシュスイート−バルサミコ調からハーブの芳香を有するラベンダーノート。時にはフローラル−ウッディーニュアンスを伴う。
（ｈ）フージェールノート（ファーンノート）はチープルノートと関連がある。
（ｉ）スパイスの芳香の印象を連想させるスパイシーノート。例えば、タイム、コショウ、ナツメグ、シナモン、クローブ、ジンジャー、マージョラム、カルダモン、コリアンダーなど。
（ｊ）森林の芳香の描写を連想させるウッドノート。例えば、ハーブ−フレッシュからウッディー−ハーブの、シーダーウッド、サンダルウッド。
（ｋ）フレッシュ−ハーブ−スパイシーからヘビー−スイート−ハニー様までのタバコノート。
（ｌ）革製品の芳香を連想させるレザーノート。
【００３０】
本発明の目的のために本発明の洗浄剤を例にとると、一般に特定の印象を連想させる少なくとも２種の異なった香油を有利には使用する。１つの香油は有利には、洗浄剤の使用と一般に関連がある「清潔さ」および「新鮮さ」のような印象を連想させるべきである。一方、もう１つの香油は有利には「手入れ」の印象をサポートすべきである。
【００３１】
消費者が付随する芳香を「新鮮」と感じ、芳香付けされた洗濯物または表面を「清潔」と見なすように、全ての洗浄剤またはクリーナーは事実上芳香付けされているので、「清潔さ」および「新鮮さ」の方面で芳香の印象を与え得る芳香組成物は、当業者に既知である。しばしば、適当な芳香付けによって芳香が付随すれば、主観的ではあるが消費者が十分な洗浄能力を確信する場合もある。
【００３２】
「清潔さ」および「新鮮さ」の印象を与えるまたは付随させるために有利に使用され得る、本発明の範囲内で好ましい香料は、ベルガモット油、タンジェリン油、ジメチルアントラニレート、アルデヒドＣ１１（エン）、ジヒドロミルセノール、４−ｔ−ブチルシクロヘキシルアセテート、アリルアミルグリコレート、テトラヒドロリナロール、６−メチル−γ−イオノン、イソボルニルアセテート、シクロベルタール、エチルリナロール、アルデヒドＣ１２、ダイナスコン１０、リモネン、オレンジ油、イソボルニルアセテート、ユーカリ油（グロブルス）、カロン（calone）、シクロベルタール、エチル ２−メチルブチレート、アルデヒドＣ１０、スチロリルアセテート、Otbca、ウォーターフルーツベース、シトロニトリル、ウンデカベルトール、トナリド（tonalide）および／またはジヒドロメチルジャスモネート、特にジヒドロミルセノールおよび／または４−ｔ−ブチルシクロヘキシルアセテートである。従って、好ましい香油は上記香料の少なくとも１つを含み得る。
【００３３】
消費者が付随する芳香をケア効果の描写と連想し、芳香付けされた洗濯物を手入れされたと見なすように、例えば、洗濯物の手入れのために明白に供給される布地柔軟剤の全ては芳香付けされているので、「ケア組成物」の方面で芳香の印象を与え得る芳香組成物は、当業者に同様に既知である。好ましくは、この芳香組成物はベントナイト含有担体に適用されている。
【００３４】
「手入れ効果」の印象を高めるまたは付随させるために、この意味で適用され得る本発明の範囲内で好ましい香料は、アルデヒドＣ１４、デカラクトンガンマ、シクラメンアルデヒド、リリアール、トロエナン（troenan）、カントキサール、シトロネロール、ゲラニオール、ムスク、フェニルエチルアルコール、ジヒドロフロリホン（dihydrofloriffones）、Dmbca、フェニレート、フェニルエチルイソブチレート、ローズオキシド、ジャスメリア、（α−）ヘキシルシンナムアルデヒド、β−イオノン、イランイランノキ、シクロヘキシルサリチレート、（cis−３−）へキセニルサリチレート、サンデリス、santobar、バクダノール（bacdanol）、グアヤクウッド油、イソ−Ｅ−スーパー、チンベロール（フォルテ）（timberol（forte））、ノルリンバノール（norlimbanol）、アンブロキサン（ambroxan）、シンナミルアルコール、シクロペンタデカノリド、ニルバノール、javanol、アルデヒドＣ１１、ハバノリド（habanolides）、マルトール、ベンジルアセトン、クマリン、ベンジルサリチレート、メロナール、ガルバヌム（油）、エチルバニリン、koavones、Ptbca ２５ cis、へディオン（hediones）、リリアール、イソラルデイン（isoraldein）、メチルパルミテート、メチルオレエートおよび／またはメチルミリステートである。従って、好ましい香油は上記香料の少なくとも１つを含み得、好適にはベントナイト含有担体に適用されている。
【００３５】
更に好ましい態様では、本発明の消費者製品は、ガラキソリド、ジヒドロミルセノール、４−ｔｅｒｔ−ブチルシクロヘキシルアセテート、γ−イソメチルイオノン、テトラヒドロリナロール、ヘキシルシンナムアルデヒド、リリアール、リナロール、アミルシンナムアルデヒド、６−メチル−γ−イオノン、メチルオレエート、ネリルアセテート、１５−ペンタデカラクトン、フェノキシエチルイソブチレート、フェニルエチルメタノエート、ａ−ピネン、ｂ−ピネン、ローズオキシド、サビネン、アネトール、２−ヒドロキシペンチルベンゾエート、ジフェニルエーテル、ベンゾフェノン、シクラメンアルデヒド、ａ−ダマスコン、デカナール、ジシクロペンタジエンアルコール、アリルシクロヘキシルプロピオネート、イソボルニルアセテート、ボルニルアセテート、ジヒドロメチルジャスモネート、ユーカリプトール、ｎ−ドデカノール、エチルパルミテート、ゲラニオールアセテート、ヘキシルアセテート、ｎ−ヘキシルサリチレート、ａ−イオノン、l−リモネン、メチルパルミテート、２−ナフチルメチルケトン、イソプロピルミリステート、ローズフェノン、ａ−テルピネオール、スチラリルアセテート、ツジョプセン、ジメチルベンジルカルビニルブチレート、ｄ−リモネン、ジメチルベンジルカルビニルアセテート、シトロネロール、２−ｔｅｒｔ−ブチルシクロヘキサノール、カリオフィレン、エチルステアレート、トナリド、２，４−ヘキサジエナール、メタノアズレン、メチルラウレート、メチルミリステート、２−メチルウンデカノール、ミルセン、ノナナール、ノピルアセテート、１５−ペンタデカラクトン、β−フェランドレン、３−フェニル−２−メチルプロペン、ローズアセテート、トラセオリド、ウィドレンおよび／またはｄ−リモネンの群から選択される、少なくとも１種類、好ましくは、２種類、３種類またはそれを超える芳香を含む。
【００３６】
本発明の要旨によれば、好ましい消費者製品類はまた、例えば下記のような化粧品部門で用いられる。
（ａ）２−イン−１シャワージェル、好ましくはケアシャワージェル。後者は、皮膚を洗浄するが、更に皮膚の手入れもするシャワージェルであり、例えば脂肪回復物質を含む。
（ｂ）２−イン−１ヘアシャンプー、好ましくはケアヘアシャンプー。後者は、毛髪を洗浄するが、ケア成分も含むヘアシャンプーである。
（ｃ）２−イン−１フォームバス、好ましくはケアフォームバス。
（ｄ）２−イン−１石鹸、好ましくはクリーム石鹸。
（ｅ）２−イン−１手洗い向け食器洗浄用組成物、好ましくは手をケアする食器洗浄用組成物。
【００３７】
手をケアする食器洗浄用組成物は、本発明の好ましい態様である。手をケアする食器洗浄用組成物は例えば脂肪回復物質を含み、洗浄中でさえ手をケアできる。つまり、例えばゴム手袋の使用を省くことができ、また、後に皮膚の保湿をする必要がない。本発明の食器洗浄用組成物は、好ましくは、時間経過に伴って支配的になる、少なくとも２種の異なった香りがする香油を含む。実際の消費者製品と食器洗浄水の芳香が関係している場合、即ち、消費者製品と食器洗浄水の両方が例えばシトラス−フレッシュの香りである場合、香油１が好ましくは支配的である。次いでその後になって、即ち洗浄作業が終了した後、香油２が支配的になる。つまり洗浄に用いた手はケア相の香りがする。従って、組成物の効果、即ち手のケア効果を確実にすることは、芳香に関して効果的に付随され得る。消費者にとって嬉しいことには、手が、例えば保湿されたばかりであるように臭う。
【００３８】
好ましくは、各々の場合に支配的になる香油は、消費者に、例えば「新鮮さ」、「清潔さ」または「ケア」のような明らかな合図を与える。
【００３９】
消費者製品中の香油の１つが支配的になることが好ましい。即ち、その香油が消費者製品の芳香パターンを規定し、もう１つの香油が有利には、
（ａ）実際の適用中、例えば食器洗浄または毛髪洗浄の工程の最中に支配的になる、および／または
（ｂ）適用の完了直後、支配的になる。例えば洗いたての湿った洗濯物または洗いたての濡れた食器の香りを規定する。
（ｃ）適用の明らかに後、支配的になる。例えば乾燥した洗濯物の香りまたは洗浄が完了したときの手の香りを規定する。
【００４０】
香油は通常、香料混合物であるにも拘わらず、有利には均一な認識できる芳香パターンを形成する。即ち、香油は好ましくは均一な芳香結果を伴う。
【００４１】
好ましい態様では、香油の少なくとも２成分が、異なる基体上、例えば食器とヒトの皮膚上で異なって支配的になる。
【００４２】
認識されているように、本発明は消費者にとって、特に洗浄剤またはクリーナーおよび化粧品の分野で役立つ。そのため、好ましい態様では、本発明の消費者製品は、洗浄剤、クリーナーおよび化粧品の分野の成分を含む。
【００４３】
実際に直面する条件（即ち、消費者製品は芳香を有し、消費者製品の適用の経過に伴って、別々に感知できる識別可能な芳香パターンが生じる）に近い条件下で本発明の実現を説明する２つの代表例を、手短に以下で略述する。
【００４４】
第一の代表例は、粒状洗浄剤に関する。これは、香油１（シトラスの芳香）が噴霧された標準的な粉末洗浄剤からなる。ポリマーでカプセル化された香油２（クリームの芳香）からなるコアを含む小ビーズを、この粉末洗浄剤に混合する。これらのビーズは、外見上は中立の香りであり、ポリマーが除去されたときのみ芳香を発現し得る。ビーズを含む粒状洗浄剤は、それ自体芳香パターン「シトラスの芳香」を有する。これは、包装を開封したとき、または粉末洗浄剤を洗濯機に投入したときに、消費者が感知できる芳香である。布地洗浄の条件下では、その時存在していたビーズも、機械的応力、水との接触、一定温度または一定ｐＨへの到達のいずれかによって、その一体性を失う。従って、香油２は洗浄工程中に放出される。香油１との関係では、香油２は有意に多量であり、例えば５：１超の比である。従って、香油２は明らかに支配的になる。洗濯機を開けたとき、クリームの香りがし、この香りが乾燥した洗濯物にも付着する。
【００４５】
第二の代表例は、消費者製品内に均一に分散され、浮かんだり沈んだりしない懸濁小ビーズを含む液状洗浄剤に関する。液状洗浄剤自体は、液体内に香油１（シトラスの芳香）を含む。ポリマーでカプセル化された香油２（クリームの芳香）からなるコアを含む小ビーズは、外見上は中立の香りであり、ポリマーが除去されたときのみ芳香を発現し得る。ビーズを含む液状洗浄剤は、それ自体芳香パターン（シトラスの芳香）を有する。これは、包装を開封したとき、または液状洗浄剤を洗濯機に注入したときに、消費者が感知できる芳香である。布地洗浄の条件下では、その時存在していたビーズも、機械的応力、水との接触、一定温度または一定ｐＨへの到達のいずれかによって、その一体性を失う。香油２は洗浄工程中に放出される。香油１との関係では、香油２は有意に多量であり、例えば５：１超の比である。従って、香油２は明らかに支配的になる。洗濯機を開けたとき、クリームの香りがし、この香りが乾燥した洗濯物にも付着する。
【００４６】
用語「香油」は、好ましくは、芳香付けされた（特にヒトの判断ではよい香りの）製品に一般に使用される、それ自体で完全である、芳香組成物を意味するためのものである。これは例を用いて説明できる。例えば当業者がよい香りのシャワージェルを作りたい場合、通常、１種類の（よい）香りがする物質だけではなく、（よい）香りがする物質の集団を添加する。このような集団は通常、多数の、例えば１０種または１５種超、好ましくは１００種まで或いはそれ以上の数の各香料からなる。一緒に作用すると、これらの香料は所望のよい香りがする調和のとれた芳香パターンを形成する。このようなよい香りがする物質の集団、可能であれば香料−特定助剤も含み得る芳香組成物は、本発明では、用語「香油」で記載される。語句「それ自体で完全である」は、香油の成分が一般に相互に別々に、即ち相互にばらばらに感知されることなく、一般の均一な芳香集合体を形成していることを説明するためのものである。日常の経験から誰もがこれを知っている。従って例えば、シャワージェルも特有の芳香、例えばレモンまたは特有の混合芳香を発現する。それは通常相互に別々に種々の芳香を発現しない。これは通常、２種またはそれ以上の異なったシャワージェルを相互に別々に使用する場合、初めて実現されるであろう。
【００４７】
極めて例外的な場合では、本発明の香油は１種類だけの芳香からなる場合があるが、これは極めてまれでほとんどなく、本発明の可能なものの範囲内にある。通常の場合、本発明の香油（従って、芳香組成物）は少なくとも２種類、好ましくは少なくとも３種類、有利には少なくとも４種類の異なる芳香からなり、一緒になって好ましくは良い香りのパターンを作る。
【００４８】
よって、本発明の香油は個々の芳香化合物、例えば、エステル種、エーテル種、アルデヒド種、ケトン種、アルコール種および炭化水素種の生成物を含み得る。エステル種の芳香化合物としては、例えば、ベンジルアセテート、フェノキシエチルイソブチレート、ｐ−ｔｅｒｔ−ブチルシクロヘキシルアセテート、リナリルアセテート、ジメチルベンジルカルビニルアセテート（ＤＭＢＣＡ）、フェニルエチルアセテート、ベンジルアセテート、エチルメチルフェニルグリシネート、アリルシクロヘキシルプロピオネート、スチラリルプロピオネート、ベンジルサリチレート、シクロヘキシルサリチレート、フロラメート、メルセートおよびジャスメシクレートがある。エーテルとしては、例えば、ベンジルエチルエーテルおよびアンブロキサンが挙げられ、アルデヒドとしては、例えば、８〜１８個の炭素原子を有する直鎖アルカナール、シトラール、シトロネラル、シトロネリルオキシアセトアルデヒド、シクラメンアルデヒド、リリアールおよびブルゲオナール(bourgeonal)が挙げられ、ケトンとしては、例えば、イオノン、α−イソメチルイオノンおよびメチルセドリルケトンが挙げられ、アルコールとしては、アネトール、シトロネロール、オイゲノール、ゲラニオール、リナロール、フェニルエチルアルコールおよびテルピネオールが挙げられ、炭化水素としては、主として、リモネンおよびピネンなどのテルペンが挙げられる。しかしながら、形成された香油の魅力的な香りのノートを一緒に発する異なる香料の混合物を用いるのが好ましい。
【００４９】
しかしながら、この香油は植物源から得られる、例えば松、柑橘、ジャスミン、パチョリ、バラまたはイランイラン油のような天然芳香混合物も含み得る。同様に、クラリーセージ油、カモミール油、クローブ油、メリッサ油、ミント油、シナモンリーフ油、ライム花油、杜松子油、ベチベル油、乳香油、ガルバヌム油およびラブダナム油、ならびにオレンジ花油、ネロリ油、オレンジ皮油およびビャクダン油もまた好ましい。
検知可能とするため、芳香は揮発性でなければならず、これに関しては、官能基の性質および化合物の構造の他、分子量も重要な役割を果たす。例えば、ほとんどの香料は約２００ダルトンまでの分子量を有し、３００ダルトンおよびそれを超える分子量の例外は少ない。香料の揮発性は様々であるため、２種以上の香料を含む芳香剤の香りは蒸発中に変化し、この香りの印象が「トップノート」、「ミドルノートまたはボディー」および「エンドノートまたはドライアウト」に分けられる。
【００５０】
本発明の範囲内の香油に有利に使用可能な強く付着する香料としては、例えば、アンゼリカ根油、アニス油、アルニカ花油、バジル油、ゲッケイジュ油、チャンパカ花油、モミ油、モミ球果油、エレミ油、ユーカリ油、ウイキョウ油、松葉油、ガルバヌム油、ゼラニウム油、ショウガ葉油、グアヤク油、ガージャンバルサム油、ムギワラギク油、芳油、ショウガ油、アヤメ油、カユプテ油、カルムス油、カモミール油、樟脳油、カナガ油、カルダモン油、カシア油、ヨーロッパアカマツ油、コパイババルサム油、コリアンダー油、スペアミント油、キャラウェイ油、クミン油、レモングラス油、ジャコウ種子油、没薬油、クローブ油、ネロリ油、ニアウリ油、乳香油、マヨナラ油、パルマローザ油、パチョリ油、ペルーバルサム油、プチグレン油、コショウ油、ペパーミント油、ピメント油、松油、ローズ油、ローズマリー油、ビャクダン油、セロリ油、スターアニス油、ニオイヒバ油、タイム油、バーベナ油、ベチベル油、杜松子油、ヨモギ油、冬緑油、イランイラン油、ヒソップ油、シナモン油、シナモン葉油、およびイトスギ油などの精油がある。
【００５１】
しかしながら、天然または合成起源の高沸点または固体芳香剤も、本発明の範囲内の香油において強く付着する香料または香料混合物として有利に使用することができる。これらの化合物としては、以下に明示される化合物：アンブレットリド、α−アミルシンナムアルデヒド、アネトール、アニスアルデヒド、アニスアルコール、アニソール、メチルアントラニレート、アセトフェノン、ベンジルアセトン、ベンズアルデヒド、エチルベンゾエート、ベンゾフェノン、ベンジルアルコール、ボルネオール、ボルニルアセテート、α−ブロモスチレン、ｎ−デシルアルデヒド、ｎ−ドデシルアルデヒド、オイゲノール、オイゲノールメチルエーテル、ユーカリプトール、ファルネソール、フェンチョン、フェンチルアセテート、ゲラニルアセテート、ゲラニルホルメート、ヘリオトロピン、メチルヘプチンカルボキシレート、ヘプトアルデヒド、ヒドロキノンジメチルエーテル、ヒドロキシシンナムアルデヒド、ヒドロキシシンナミルアルコール、インドール、鉄、イソオイゲノール、イソオイゲノールメチルエーテル、イソサフロール、ジャスモン、カンファー、カルバクロール、カルボン、ｐ−クレゾールメチルエーテル、クマリン、ｐ−メトキシアセトフェノン、メチルｎ−アミルケトン、メチルメチルアントラニレート、ｐ−メチルアセトフェノン、メチルカビコール、ｐ−メチルキノリン、メチルβ−ナフチルケトン、メチルｎ−ノニルアセトアルデヒド、メチルｎ−ノニルケトン、ムスコン、β−ナフトールエチルエーテル、β−ナフトールメチルエーテル、ネロール、ニトロベンゼン、ｎ−ノニルアルデヒド、ノニルアルコール、ｎ−オクチルアルデヒド、ｐ−オキシアセトフェノン、ペンタデカノリド、β−フェニルエチルアルコール、フェニルアセトアルデヒドジメチルアセタール、フェニル酢酸、プレゴン、サフロール、イソアミルサリチレート、メチルサリチレート、ヘキシルサリチレート、シクロヘキシルサリチレート、サンタロール、スカトール、テルピネオール、チミン、チモール、γ−ウンデカラクトン、バニリン、ベラトラムアルデヒド、シンナムアルデヒド、シンナミルアルコール、桂皮酸、エチルシンナメート、ベンジルシナメートおよびそれらの混合物が挙げられる。
【００５２】
本発明の範囲内の香油に有利に使用することができる、より容易に揮発する香料としては、特に天然または合成起源の低沸点香料が挙げられ、これらは単独で、または混合物として使用することができる。より容易に揮発する香料の例としては、アルキルイソチオシアネート（アルキルマスタード油）、ブタンジオン、リモネン、リナロール、リナリルアセテートおよびプロピオネート、メントール、メントン、メチル−ｎ−ヘプテノン、フェランドレン、フェニルアセトアルデヒド、テルピニルアセテート、シトラール、シトロネラルが挙げられる。
【００５３】
上述の芳香は全て、すでに述べた利点を伴って、本発明の香油において単独でまたは混合物として使用することができる。
【００５４】
特に、アリルアルコールエステル、第二級アルコールのエステル、第三級アルコールのエステル、アリルケトン、アセタール、ケタール、アミンとアルデヒドの縮合生成物および／またはそれらの混合物からなる群から選択される香料が香油中に存在してもよい。
【００５５】
アリルアルコールエステルは、次のような構造特性Ｃ（ＯＨ）−Ｃ＝Ｃを有するアリルアルコールのエステルである。アリルアルコールエステルの例としては特に、アリルアミルグリコレート、アリルアントラニレート、アリルベンゾエート、アリルブチレート、アリルカプレート、アリルカプロエート、アリルシンナメート、アリルシクロヘキサンアセテート、アリルシクロヘキサンブチレート、アリルシクロヘキサンプロピオネート、アリルヘプトエート、アリルノナノエート、アリルサリチレート、アミルシンナミルアセテート、アミルシンナミルホルメート、シンナミルホルメート、シンナミルアセテート、シクロガルバネート、ゲラニルアセテート、ゲラニルアセトアセテート、ゲラニルベンゾエート、ゲラニルシンナメート、メタリルブチレート、メタリルカプロエート、ネリルアセテート、ネリルブチレート、アミルシンナミルホルメート、α−メチルシンナミルアセテート、メチルゲラニルチグレート、メルテニルアセテート、ファルネシルアセテート、フェンチルアセテート、ゲラニルアントラニレート、ゲラニルブチレート、ゲラニルイソブチレート、ゲラニルカプロエート、ゲラニルカプリレート、ゲラニルエチルカーボネート、ゲラニルホルメート、ゲラニルフロエート、ゲラニルヘプトエート、ゲラニルメトキシアセテート、ゲラニルペラルゴネート、ゲラニルフェニルアセテート、ゲラニルフタレート、ゲラニルプロピオネート、ゲラニルイソプロポキシアセテート、ゲラニルバレレート、ゲラニルイソバレレート、トランス−２−ヘキセニルアセテート、トランス−２−ヘキセニルブチレート、トランス−２−ヘキセニルカプロエート、トランス−２−ヘキセニルフェニルアセテート、トランス−２−ヘキセニルプロピオネート、トランス−２−ヘキセニルチグレート、トランス−２−ヘキセニルバレレート、β−ペンテニルアセテート、α−フェニルアリルアセテート、プレニルアセテート、トリクロロメチルフェニルカルビニルアセテートおよび／またはそれらの混合物がある。本発明の香油中には好ましくはアリルアルコールエステルが存在し得る。
【００５６】
第二級アルコール（第二級アルコールは、ＯＨ基を有するＣ原子上で２つのＨ原子が有機基（Ｒ１およびＲ２）で置換されているもの［一般式：Ｒ１ＣＨ（ＯＨ）Ｒ２］として存在する）のエステルの例としては、特に、オルト−ｔｅｒｔ−アミルシクロヘキシルアセテート、イソアミルベンジルアセテート、第二級ｎ−アミルブチレート、アミルビニルカルビニルアセテート、アミルビニルカルビニルプロピオネート、シクロヘキシルサリチレート、ジヒドロ−ノル−シクロペンタジエニルアセテート、ジヒドロ−ノル−シクロペンタジエニルプロピオネート、イソボルニルアセテート、イソボルニルサリチレート、イソボルニルバレレート、フルテン、２−メチルブテン−２−オール−４−アセテート、メチルフェニルカルビニルアセテート、２−メチル−３−フェニルプロパン−２−イルアセテート、プレニルアセテート、４−ｔｅｒｔ−ブチルシクロヘキシルアセテート、ヴェルドックス（Verdox）（２−ｔｅｒｔ−ブチルシクロヘキシルアセテート）、Ｉヴェルネックス(Vertenex)（４−ｔｅｒｔ−ブチルシクロヘキシルアセテート）、バイオリッフ（Violiff）（カルボン酸４−シクロオクテン−１−イルメチルエステル）、エテニルイソアミルカルビニルアセテート、フェンチルアセテート、フェンチルベンゾエート、フェンチルｎ−ブチレート、フェンチルイソブチレート、レボ−メンチルアセテート、ｄｌメンチルアセテート、メンチルアントラニレート、メンチルベンゾエート、メチルイソブチレート、メンチルホルメート、レボ−メンチルフェニルアセテート、メンチルプロピオネート、メンチルサリチレート、メンチルイソバレレート、シクロヘキシルアセテート、シクロヘキシルアントラニレート、シクロヘキシルベンゾエート、シクロヘキシルブチレート、シクロヘキシルイソブチレート、シクロヘキシルカプロエート、シクロヘキシルシンナメート、シクロヘキシルホルメート、シクロヘキシルヘプトエート、シクロヘキシルオキサレート、シクロヘキシルペラルゴネート、シクロヘキシルフェニルアセテート、シクロヘキシルプロピオネート、シクロヘキシルチオグリコレート、シクロヘキシルバレレート、シクロヘキシルイソバレレート、メチルアミルアセテート、メチルベンジルカルビニルアセテート、メチルブチルシクロヘキサニルアセテート、５−メチル−３−ブチルテトラヒドロピラン−４−イルアセテート、メチルシトレート、メチルイソカンフォレート、２−メチルシクロヘキシルアセテート、４−メチルシクロヘキシルアセテート、４−メチルシクロヘキシルメチルカルビニルアセテート、メチルエチルベンジルカルビニルアセテート、２−メチルヘプタノール−６−アセテート、メチルヘプテニルアセテート、
【００５７】
α−メチルｎ−ヘキシルカルビニルホルメート、メチル２メチルブチレート、メチルノニルカルビニルアセテート、メチルフェニルカルビニルアセテート、メチルフェニルカルビニルアントラニレート、メチルフェニルカルビニルベンゾエート、メチルフェニルカルビニルｎ−ブチレート、メチルフェニルカルビニルイソブチレート、メチルフェニルカルビニルカプロエート、メチルフェニルカルビニルカプリレート、メチルフェニルカルビニルシンナメート、メチルフェニルカルビニルホルメート、メチルフェニルカルビニルフェニルアセテート、メチルフェニルカルビニルプロピオネート、メチルフェニルカルビニルサリチレート、メチルフェニルカルビニルイソバレレート、３−ノナニルアセテート、３ノネニルアセテート、ノナンジオール２，３−アセテート、ノニノールアセテート、２−オクタニルアセテート、３−オクタニルアセテート、ｎ−オクチルアセテート、ｓｅｃ−オクチルイソブチレート、β−ペンテニルアセテート、α−フェニルアリルアセテート、フェニルエチルメチルカルビニルイソバレレート、フェニルエチレングリコールジフェニルアセテート、フェニルエチルエチルカルビニルアセテート、フェニルグリコールジアセテート、ｓｅｃ−フェニルグリコールモノアセテート、フェニルグリコールモノベンゾエート、イソプロピルカプレート、イソプロピルカプロエート、イソプロピルカプリレート、イソプロピルシンナメート、パラ−イソプロピルシクロヘキサニルアセテート、プロピルグリコールジアセテート、プロピレングリコールジイソブチレート、プロピレングリコールジプロピオネート、イソプロピルｎ−ヘプトエート、イソプロピルｎ−ヘプト−１−インカーボネート、イソプロピルペラルゴネート、イソプロピルプロピオネート、イソプロピルウンデシレネート、イソプロピルｎ−バレレート、イソプロピルイソバレレート、イソプロピルセバケート、イソプレジルアセテート、イソプレジルアセトアセテート、イソプレジルイソブチレート、イソプレジルホルメート、チミルプロピオネート、α−２，４−トリメチルシクロヘキサンメチルアセテート、トリメチルシクロヘキシルアセテート、バニリントリアセテート、バニリデンジアセテート、バニリルバニレート、および／またはそれらの混合物がある。本発明の香油中には好ましくはこれらのエステルが存在し得る。
【００５８】
第三級アルコール（第三級アルコールは、ＯＨ基を有するα−炭素原子上で、３つのＨ原子が有機基Ｒ１、Ｒ２、Ｒ３で置換されているもの（一般式Ｒ１Ｒ２Ｒ３Ｃ−ＯＨ）である）のエステルの好ましい例としては、第三級アミルアセテート、カリオフィレンアセテート、セドレニルアセテート、セドリルアセテート、ジヒドロミルセニルアセテート、ジヒドロテルピニルアセテート、ジメチルベンジルカルビニルアセテート、ジメチルベンジルカルビニルイソブチレート、ジメチルヘプテニルアセテート、ジメチルヘプテニルホルメート、ジメチルヘプテニルプロピオネート、ジメチルヘプテニルイソブチレート、ジメチルフェニルエチルカルビニルアセテート、ジメチルフェニルエチルカルビニルイソブチレート、ジメチルフェニルエチルカルビニルイソバレレート、ジヒドロ−ノル−ジシクロペンタジエニルアセテート、ジメチルベンジルカルビニルブチレート、ジメチルベンジルカルビニルホルメート、ジメチルベンジルカルビニルプロピオネート、ジメチルフェニルエチルカルビニルｎ−ブチレート、ジメチルフェニルエチルカルビニルホルメート、ジメチルフェニルエチルカルビニルプロピオネート、エレミルアセテート、エチニルシクロヘキシルアセテート、オイデスミルアセテート、オイゲニルシンナメート、オイゲニルホルメート、イソオイゲニルホルメート、オイゲニルフェニルアセテート、イソオイデヒルフェニルアセテート、グアイルアセテート、ヒドロキシシトロネリルエチルカーボネート、リナリルアセテート、リナリルアントラニレート、リナリルベンゾエート、リナリルブチレート、リナリルイソブチレート、リナリルカプロエート、リナリルカプリレート、リナリルシンナメート、リナリルシトロネレート、リナリルホルメート、リナリルヘプトエート、リナリルＮ−メチルアントラニレート、リナリルメチルチグレート、リナリルペラルゴネート、リナリルフェニルアセテート、リナリルプロピオネート、リナリルピルベート、リナリルサリチレート、リナリルｎ−バレレート、リナリルイソバレレート、メチルシクロペンテノロンブチレート、メチルシクロペンテノロンプロピオネート、メチルエチルフェニルカルビニルアセテート、メチルヘプチンカーボネート、メチルニコチネート、ミルセニルアセテート、ミルセニルホルメート、ミルセニルプロピオネート、シス−オシメニルアセテート、フェニルサリチレート、テルピニルアセテート、テルピニルアントラニレート、テルピニルベンゾエート、テルピニルｎ−ブチレート、テルピニルイソブチレート、テルピニルシンナメート、テルピニルホルメート、テルピニルフェニルアセテート、テルピニルプロピオネート、テルピニルｎ−バレレート、テルピニルイソバレレート、トリブチルアセチルシトレート、および／またはそれらの混合物がある。本発明の香油には好ましくはこれらのエステルが存在し得る。
【００５９】
数種の芳香性エステルは、アリル系第二級アルコールまたはアリル系第三級アルコールいずれかのエステルであってもよく、例えば、特に、アミルビニルカルビニルアセテート、アミルビニルカルビニルプロピオネート、ヘキシルビニルカルビニルアセテート、３−ノネニルアセテート、４−ヒドロキシ−２−ヘキセニルアセテート、リナリルアントラニレート、リナリルベンゾエート、リナリルブチレート、リナリルイソブチレート、リナリルカプロエート、リナリルカプリレート、リナリルシンナメート、リナリルシトロネレート、リナリルホルメート、リナリルヘプトエート、リナリルＮメチルアントラニレート、リナリルメチルチグレート、リナリルペラルゴネート、リナリルフェニルアセテート、リナリルプロピオネート、リナリルピルベート、リナリルサリチレート、リナリルｎ−バレレート、リナリルイソバレレート、ミルテニルアセテート、ネロリジルアセテート、ネロリジルブチレート、β−ペンテニルアセテート、α−フェニルアリルアセテート、および／またはそれらの混合物がある。本発明の香油には好ましくはこれらのエステルも存在し得る。
【００６０】
アリル系ケトンは、次のような構造特性Ｃ−Ｃ（＝Ｏ）−Ｃ＝Ｃを特徴とする。好ましい例としては、アセチルフラン、アレスロロン、アリルイオノン、アリルプレゴン、アミルシクロペンテノン、ベンジリデンアセトン、ベンジリデンアセトフェノン、α−イソメチルイオノン、４−（２，６，６−トリメチル−１−シクロヘキセン−１−イル）−３−ブテン−２−オン、β−ダマスコン（１−（２，６，６−トリメチルシクロヘキセン−１−イル）−２−ブテン−１−オン）、ダマスセノン（１−（２，６，６−トリメチル−１，３−シクロヘキサジエン−１−イル）−２−ブテン−１−オン）、δ−ダマスコン（１−（２，６，６−トリメチル−３−シクロヘキセン−１−イル）−２−ブテン−１−オン）、α−イオノン（４−（２，６，６−トリメチル−１−シクロヘキセニル−１−イル）−３−ブテン−２−オン）、β−イオノン（４−（２，６，６−トリメチル−１−シクロヘキセン−１−イル）−３−ブテン−２−オン）、γ−メチルイオノン（４−（２，６，６−トリメチル−２−シクロヘキシル−１−イル）−３−メチル−３−ブテン−２−オン）、プレゴンおよび／またはそれらの混合物がある。本発明の香油には好ましくはアリル系ケトンが存在し得る。
【００６１】
アセタールは、一般式Ｒ１ＣＨ（ＯＲ２）（ＯＲ３）のジェミナルジエーテルである。好ましい例としては、アセトアルデヒドベンジルβ−メトキシエチルアセタール、アセトアルデヒドジイソアミルアセタール、アセトアルデヒドジペンタンジオールアセタール、アセトアルデヒドジ−ｎ−プロピルアセタール、１０−アセトアルデヒドエチル−トランス−３−ヘキセニルアセタール、アセトアルデヒドフェニルエチレングリコールアセタール、アセトアルデヒドフェニルエチルｎ−プロピルアセタール、桂皮アルデヒドジメチルアセタール、アセトアルデヒドベンジルβ−メトキシエチルアセタール、アセトアルデヒドジイソアミルアセタール、アセトアルデヒドジエチルアセタール、アセトアルデヒドジ−シス−３−ヘキセニルアセタール、アセトアルデヒドジペンタンジオールアセタール、アセトアルデヒドジ−ｎ−プロピルアセタール、アセトアルデヒドエチルトランス−３−ヘキセニルアセタール、アセトアルデヒドフェニルエチレングリコールアセタール、アセトアルデヒドフェニルエチルｎ−プロピルアセタール、アセチルバニリンジメチルアセタール、α−アミル桂皮アルデヒドジイソプロピルアセタール、ｐ−ｔｅｒｔ−アミルフェノキシアセトアルデヒドジエチルアセタール、アニスアルデヒドジエチルアセタール、アニスアルデヒドジメチルアセタール、イソアピオール、ベンズアルデヒドジエチルアセタール、ベンズアルデヒドジ（エチレングリコールモノブチルエーテル）アセタール、ベンズアルデヒドジメチルアセタール、ベンズアルデヒドエチレングリコールアセタール、ベンズアルデヒドグリセリルアセタール、ベンズアルデヒドプロピレングリコールアセタール、桂皮アルデヒドジエチルアセタール、シトラールジエチルアセタール、シトラールジメチルアセタール、シトラールプロピレングリコールアセタール、α−メチル桂皮アルデヒドジエチルアセタール、α−桂皮アルデヒドジメチルアセタール、フェニルアセトアルデヒド２，３−ブチレングリコールアセタール、フェニルアセトアルデヒドシトロネリルメチルアセタール、フェニルアセトアルデヒドジアリルアセタール、フェニルアセトアルデヒドジアミルアセタール、フェニルアセトアルデヒドジベンジルアセタール、フェニルアセトアルデヒドジブチルアセタール、フェニルアセトアルデヒドジエチルアセタール、フェニルアセトアルデヒドジゲラニルアセタール、フェニルアセトアルデヒドジメチルアセタール、フェニルアセトアルデヒドエチレングリコールアセタール、フェニルアセタルドグリセリルアセタール(phenyl acetald glyceryl acetal)、シトロネラルシクロモノグリコールアセタール、シトロネラルジエチルアセタール、シトロネラルジメチルアセタール、シトロネラルジフェニルエチルアセタール、ゲラノキシアセトアルデヒドジエチルアセタールおよび／またはそれらの混合物がある。本発明の香油には好ましくはアセタールが存在し得る。
【００６２】
ケタールは、一般式Ｒ１Ｒ２Ｃ（ＯＲ３）（ＯＲ４）のジェミナルジエーテルである。好ましい例としては、アセトンジエチルケタール、アセトンジメチルケタール、アセトフェノンジエチルケタール、メチルアミルカテコールケタール、メチルブチルカテコールケタールおよび／またはそれらの混合物がある。本発明の香油には好ましくはケタールが存在し得る。
【００６３】
アミンとアルデヒドの縮合生成物の好ましい例としては、アニスアルデヒドメチルアントラニレート、オーランチオール（ヒドロキシシトロネラルメチルアントラニレート）、ベルダンチオール（４−ｔｅｒｔ−ブチル−α−メチルジヒドロシンナムアルデヒドメチルアントラニレート）、ベルトシン（２，４−ジメチル−３−シクロヘキセンカルバルデヒド）、ヒドロキシシトロネラルエチルアントラニレート、ヒドロキシシトロネラルリナリルアントラニレート、メチルＮ−（４−（４−ヒドロキシ−４−メチルペンチル）−３−シクロヘキセニルメチリデン）アントラニレート、メチルナフチルケトンメチルアントラニレート、メチルノニルアセトアルデヒドメチルアントラニレート、メチルＮ−（３，５，５−トリメチルヘキシリデン）アントラニレート、バニリンメチルアントラニレートおよび／またはそれらの混合物がある。本発明の香油には好ましくはアミンとアルデヒドの縮合生成物が存在し得る。
【００６４】
特に、本発明の香油に、例えば、アドキサール（Adoxal）（２，６，１０−トリメチル−９−ウンデセン−１−アール）、アミルアセテート、アニスアルデヒド（４−メトキシベンズアルデヒド）、バクダノール（２−エチル−４−（２，２，３−トリメチル−３−シクロペンテン−１−イル）−２−ブテン−１−オール）、ベンズアルデヒド、ベンゾフェノン、ベンジルアセテート、ベンジルサリチレート、３−ヘキセン−１−オール、セタロックス（Cetalox）（ドデカヒドロ−３Ａ，６，６，９Ａ−テトラメチルウアフト［２，１Ｂ］フラン）、シス−３−ヘキセニルアセテート、シス−３−ヘキセニルサリチレート、シトロネロール、クマリン、シクロヘキシルサリチレート、シマル（２−メチル−３−（パラ−イソプロピルフェニル）−プロピオンアルデヒド）、デシルアルデヒド、エチルバニリン、エチル２−メチルブチレート、エチレンブラシレート、ユーカリプトール、オイゲノール、エキサルトリド（シクロペンタデカノリド）、フロルヒドラル（３−（３−イソプロピルフェニル）ブタノール）、ガラキソリド（１，３，４，６，７，８−ヘキサヒドロ−４，６，６，７，８，８−ヘキサメチルシクロペンタ−γ−２−ベンゾピラン）、γ−デカラクトン、γ−ドデカラクトン、ゲラニオール、ゲラニルニトリル、ヘリオナール（α−メチル−３，４−（メチレンジオキシ）ヒドロシンナムアルデヒド）、ヘリオトロピン、ヘキシルアセテート、ヘキシルシンナムアルデヒド、ヘキシルサリチレート、ヒドロキシアムブラン（Hydroxyambran）（２−シクロドデシルプロパノール）、ヒドロキシシトロネラル、イソＥスーパー（７−アセチル−１，２，３，４，５，６，７，８−オクタヒドロ−１，１，６，７−テトラメチルナフタレン）、イソオイゲノール、イソジャスモン、コアボン（Koavone）（アセチルジイソアミレン）、ラウリルアルデヒド、Ｉｒｇ  ２０１（２，４−ジヒドロキシ−３，６−ジメチル安息香酸メチルエステル）、リラル（Liral）（４−（４−ヒドロキシ−４−メチルペンチル）−３−シクロヘキセン−１−カルボキシアルデヒド）、マジャントール（Majantol）（２，２−ジメチル−３−（３−メチルフェニル）プロパノール）、メイオル（Mayor）（４−（１−メチルエチル）シクロヘキサンメタノール）、メチルアントラニレート、メチルβ−ナフチルケトン、メチルセドリロン（メチルセドレニルケトン）、メチルカビコール（１−メチルオキシ−４，２−プロペン−１−イルベンゼン）、メチルジヒドロジャスモネート、メチルノニルアセトアルデヒド、ムスクインダノン（４−アセチル−６−ｔｅｒｔ−ブチル−１，１−ジメチルインダン）、ネロール、ノナラクトン（４−ヒドロキシノナン酸、ラクトン）、ノルリンバノール（１−（２，２，６−トリメチルシクロヘキシル）−３−ヘキサノール）、Ｐ．Ｔ．ブシナル（２メチル−３−（パラ−ｔｅｒｔ−ブチルフェニル）プロピオンアルデヒド）、パラ−ヒドロキシフェニルブタノン、パチョリ、フェニルアセトアルデヒド、フェニルエチルアセテート、フェニルエチルアルコール、フェニルエチルフェニルアセテート、フェニルヘキサノール／フェノキサノール（３−メチル−５−フェニルペンタノール）、ポリサントール（３，３−ジメチル−５−（２，２，３−トリメチル−３−シクロペンテン−１−イル）−４−ペンテン−２−オール）、ローザフェン(Rosaphen)（２−メチル−５−フェニルペンタノール）、ビャクダン、α−テルピネン、トナリド（Tonalide）／ムスクプラス（Musk Plus）（７−アセチル−１，１，３，４，４，６−ヘキサメチルテトラリン）、ウンデカラクトン、ウンデカベルトール（４−メチル−３−デセン−５−オール）、ウンデシルアルデヒドまたはウンデセンアルデヒド、バニリンおよび／または混合物などの香料が存在するのが有利である。
【００６５】
所望により、存在する香油の少なくとも１つを芳香定着剤と組み合わせてもよい。芳香定着剤は、芳香の揮発性の高い画分の蒸発を緩慢にすることができると考えられ、本発明では有利であり得る。
【００６６】
さらなる好ましい態様によれば、存在する香油の少なくとも１つは、芳香定着剤を、好ましくはジエチルフタレート、ジャコウ（誘導体）、およびこれらの混合物の形態で含み、芳香定着剤の量は、各場合において対象とする香油総量の好ましくは１〜５５重量％、有利には２〜５０重量％、より有利には１０〜４５重量％、特に１０〜４０重量％である。
【００６７】
さらなる好ましい態様によれば、存在する香油の少なくとも１つは、液体、特に香料の粘度を高める成分、好ましくはＰＥＧ（ポリエチレングリコール）、有利には分子量が４００〜２０００であるものを含み、粘度を高める成分は、好ましい様式では、各場合において対象とする香油総量の０．１〜２０重量％、有利には０．１５〜１０重量％、さらに有利な様式では、０．２〜５重量％、特に０．２５〜３重量％の量で存在する。
【００６８】
液体、特に香料の粘度を高める成分は香料の安定性に寄与し得ることが分かっている。
【００６９】
本発明の好ましい態様によれば、少なくとも１つの香油は、粘度を高める成分、好ましくは、下記一般式：
Ｈ−（Ｏ−ＣＨ２−ＣＨ２）ｎ−ＯＨ
で示すことができるポリエチレングリコール（略称：ＰＥＧ）を含む。重合度ｎは約５〜＞１００，０００であり、これは分子量２００〜５，０００，０００ｇ/ｍｏｌに相当する。本明細書では分子量が２５，０００ｇ/ｍｏｌの製品を好適なポリエチレングリコールとするが、文献ではそれより大きな分子量の製品がポリエチレンオキシド（略称：ＰＥＯＸ）と呼ばれる。好ましく用いられるポリエチレングリコールは直鎖または分枝構造を有し、特に直鎖ポリエチレングリコールが好ましく、末端キャップされている。
【００７０】
特に好ましいポリエチレングリコールとしては、相対分子量が４００〜２０００であるものがある。また、特に、それ自体、室温、圧力１バール下で液体で存在するポリエチレングリコールの使用も可能であり、ここでの議論は主として相対分子量が２００、４００および６００であるポリエチレングリコールに関するものである。
【００７１】
すでに上述したように、芳香組成物の構造は、「トップノート」、「ミドルノートまたはボディー」および「エンドノートまたはドライアウト」に分けられる。トップノート（ヘッド、トップ、初期臭）は、本質的に、揮発の容易な、好ましくはほとんどが鮮度の高い特性の芳香からなる。ミドルノート（ブーケ、ボディ、ハート、ハートノート）は、本質的に、揮発性が中程度の、好ましくはほとんどが花の特性の芳香からなり、エンドノート（ベース、残り香）は、本質的に揮発性の低い芳香からなり、本質的に香料のベース特性（リード臭）を規定する。
【００７２】
従ってこれは、トップノートが本質的に、香料、または例えば洗剤などの香料により芳香性を持たせた製品の香りの進行の第一段階を規定する。それは匂いの体験の第一印象、すなわち例えば洗剤パックを開封した際、また、洗剤を洗濯機に入れた際に、決定的な役割を果たす。トップノートは本質的にその香料、ひいてはそれにより芳香性を持つ製品に対する興味関心をひくものでなければならず、これが、トップノートは本質的に軽い揮発性物質の混合物からなる理由であるが、ボディーやベースからのノートがすでに香りの第一段階に役割を果たしている場合もある。トップノートの典型的な構成要素は例えば、アグルメンオイル(agrumen oil)、フルーツノート、ラベンダー、ジヒドロミルセノールまたはローズオキシドがある。当業者ならば日常の経験から他の構成要素も多数知っており、あるいはまた関連の専門文献からこれらを見出すことができる。
【００７３】
香料、または例えば洗剤などの香料により芳香性を持たせた製品の香りの進行の第二段階、すなわち中間段階はミドルノートとして規定される。これは香料に豊かさ、特徴およびある特定の方向を与えるよりまろやかな、より複雑なノートの混合から構成される。それは主として例えばドイツスズラン、ジャスミンまたはバラなどのフローラル成分を特徴とする。さらに、ここでは、例えばオイゲノール（エッセンシャルクローブフレグランス）など、香料の多くの香辛成分を見出すことができる。当業者ならば日常の経験から他の構成要素も多数知っており、あるいはまた関連の専門文献からこれらを見出すことができる。
【００７４】
香料のエンドノート（それにより例えば洗剤に芳香性が与えられる）は、香りの特徴を規定する。エンドノートは長時間芳香付けした物質に付着し、本質的により強く、芳醇なノートからなる。例えば、ファインウッドベースは他の木材の、匂いの担体の単離物と、また、ジャコウ芳香および／または動物性の複合体と、また、パチョリやバニラなどの予定エンドノートと組み合わせることができる。
【００７５】
香料組成物は一般に、この通常の慣例の香料ノート概念に基づいて作り出され、これに関して、複雑な構造の香料は数百の個々の成分からなり得る。経験によれば、多くの成分（例えば少なくとも１５〜１０種、多くの場合で少なくとも３０種または５０種またはそれ以上）の極めてバランスのとれた混合物だけが芳香の成功、すなわち良い香りをもたらすことが示される。好ましい態様によれば、全く同一の香油のノートは、それらの定量的重量によって異なり、好ましくは
（ａ）トップノートは、ミドルノートおよびエンドノートよりも定量的重量が重く、この２つの低重量ノートは本質的に互いに等しい重量であるか、または低重量ノートの一方が他方よりも重量が重い、あるいは
（ｂ）ミドルノートは、トップノートおよびエンドノートよりも定量的重量が重く、この２つの低重量ノートは本質的に互いに等しい重量であるか、または低重量ノートの一方が他方よりも重量が重い、あるいは
（ｃ）エンドノートは、トップノートおよびミドルノートよりも定量的重量が重く、この２つの低重量ノートは本質的に互いに等しい重量であるか、または低重量ノートの一方が他方よりも重量が重い。
【００７６】
あるノートが別のノートよりも定量的重量が重いということは、その重量の重いノートを形成している芳香の総質量が、重量の軽いノートを形成している芳香の総質量よりも重い、有利には各場合において、対象とする香料組成物の総質量に基づいて、少なくとも１０重量％、好ましくは少なくとも２０重量％、特に少なくとも３０重量％だけ重いことを意味する。
【００７７】
好ましい態様によれば、少なくとも２種類の異なる香油のノートは、それらの定量的重量が異なり、好ましくは
（ａ）香油１のトップノートは香油２のトップノートよりも定量的重量が重い、またはその逆、かつ／または
（ｂ）香油１のミドルノートは香油２のミドルノートよりも定量的重量が重い、またはその逆、かつ／または
（ｃ）香油１のエンドノートは香油２のエンドノートよりも定量的重量が重い、またはその逆である。
【００７８】
あるノートが別のノートよりも定量的重量が重いということは、ここでは、その重量の重いノートを形成している１つの香油の芳香の総質量が、重量の軽いノートを形成している香油の芳香の総質量よりも重い、有利には各場合において、対象とする香油の特定の総質量に基づいて、少なくとも１０重量％、好ましくは少なくとも２０重量％、特に少なくとも３０重量％だけ重いことを意味する。
【００７９】
別の好ましい態様によれば、芳香組成物のノートは全て本質的に等しい重量である。
【００８０】
すでに明記したように、本発明は、当業者が全く新しいタイプの香りの特性、特に変化する香りの特性を有する製品を作り出すという立場にある場合、製品に芳香を与える際の突破口となる。当業者は、変化する芳香を有する製品を入手できる。これに関して、本発明によれば、用いる香油が特殊な香りのノートを含むのが特に好ましい。このため、好ましい態様の本発明の製品は特に下記のものとともに芳香を含む。
【００８１】
（ａ）好ましくは、ベンズアルデヒド、ペンタナール、ヘプテナール、５メチルフルフラル、メチルブタナール、フルフラルおよび／またはアセトフェノンなどのアーモンド様の匂い、あるいは
（ｂ）好ましくは、（Ｓ）−（＋）−エチル２−メチルブタノエート、ジエチルマロネート、エチルブチレート、ゲラニルブチレート、ゲラニルイソペンタノエート、イソブチルアセテート、リナリルイソペンタノエート、（Ｅ）−β−ダマスコン、ヘプチル２−メチルブチレート、メチル３−メチルブタノエート、２−ヘキセニルペンチルメチルブチレート、エチルメチルブチレート類および／またはメチル２−メチルブタノエートなどのリンゴ様の匂い、あるいは
（ｃ）好ましくは、エチルヘキサノエート、ヘキシルブタノエートおよび／またはヘキシル  ヘキサノエートなどのリンゴの皮様の匂い、あるいは
（ｄ）好ましくは、γ−ウンデカラクトンなどのアプリコット様の匂い、あるいは
（ｅ）好ましくは、イソブチルアセテート、イソアミルアセテート、ヘキセニルアセテートおよび／またはペンチルブタノエートなどのバナナ様の匂い、あるいは
（ｆ）好ましくは、４−アセチルトルエンなどのビターアーモンド様の匂い、あるいは
（ｇ）好ましくは、メルカプトメチルペンタノンおよび／またはメトキシメチルブタンチオールなどの黒スグリ様の匂い、あるいは
（ｈ）好ましくは、リナリルペンタノエート、ヘプタナール、リナリルイソペンタノエートドデカナール、リナリルホルメート、α−ｐ−ジメチルスチレン、ｐ−シメノール、ノナナール、β−クベベン、（Ｚ）−リモネンオキシド、シス−６−エテニルテトラヒドロ−２，２，６−トリメチルピラン−３−オール、シス−ピラノイドリナロールオキシド、ジヒドロリナロール、６（１０）−ジヒドロミルセノール、ジヒドロミルセノール、β−ファルネセン、（Ｚ）−β−ファルネセン、（Ｚ）−オシメン、（Ｅ）−リモネンオキシド、ジヒドロテルピニルアセテート、（＋）−リモネン、（エポキシメチルブチル）メチルフランおよび／またはｐ−シメンなどの柑橘様の匂い、あるいは
（ｉ）好ましくは、ジメチルピラジン、ブチルメチルブチレートおよび／またはメチルブタナールなどのココア様の匂い、あるいは
【００８２】
（ｊ）好ましくは、γ−オクタラクトン、γ−ノナラクトン、メチルラウレート、テトラデカノール、メチルノナノエート、（３Ｓ，３ａＳ，７ａＲ）−３ａ，４，５，７ａ−テトラヒドロ−３，６−ジメチルベンゾフラン−２（３Ｈ）−オン、５−ブチルジヒドロ−４−メチル−２（３Ｈ）−フラノン、エチルウンデカノエートおよび／またはδ−デカラクトンなどのココナッツ様の匂い、あるいは
（ｋ）好ましくは、ジエチルアセタール、３−ヒドロキシ−２−ブタノン、２，３−ペンタジオンおよび／または４−ヘプテナールなどのクリーム様の匂い、あるいは
（ｌ）好ましくは、ベンジルアルコール、フェニル酢酸、トリデカナール、ｐ−アニシルアルコール、ヘキサノール、（Ｅ，Ｅ）−ファルネシルアセトン、メチルゲラネート、トランス−クロトンアルデヒド、テトラデシルアルデヒド、メチルアントラニレート、リナロールオキシド、エポキシリナロール、フィトール、１０−エピ−γ−オイデスモール、ネロールオキシド、エチルジヒドロシンナメート、γ−ドデカラクトン、ヘキサデカノール、４−メルカプト−４−メチル−２−ペンタノール、（Ｚ）−オシメン、セチルアルコール、ネロリドール、エチル（Ｅ）−シンナメート、エレミシン、ピノカルベオール、α−ビサボロール、（２Ｒ，４Ｒ）−テトラヒドロ−４−メチル−２−（２−メチル−１−プロペニル）−２Ｈ−ピラン、（Ｅ）−イソエレミシン、メチル２−メチルプロパノエート、トリメチルフェニルブテノン、２−メチルアニソール、β−ファルネソール、（Ｅ）−イソオイゲノール、ニトロフェニルエタン、エチルバニレート、６−メトキシオイゲノール、リナロール、β−イオノン、トリメチルフェニルブテノン、エチルベンゾエート、フェニルエチルベンゾエート、イソオイゲノールおよび／またはアセトフェノン類などの花様の匂い、あるいは
（ｍ）好ましくは、メチルヘキサノエート、ウンデカノン、（Ｚ）−リモネンオキシド、ベンジルアセテート、エチルヒドロキシヘキサノエート、イソプロピルヘキサノエート、ペンタデカナール、β−エレメン、α−ジンギベレン、（Ｅ）−リモネンオキシド、（Ｅ）−ｐ−メンタ−２，８−ジエン−１−オール、メントン、ピペリトン、（Ｅ）−３−ヘキセノールおよび／またはカルベオールなどの新鮮な匂い、
【００８３】
（ｎ）好ましくは、エチルフェニルアセテート、ゲラニルバレレート、γ−ヘプタラクトン、エチルプロピオネート、ジエチルアセタール、ゲラニルブチレート、エチルヘプチレート、エチルオクタノエート、メチルヘキサノエート、ジメチルヘプテナール、ペンタノン、エチル３−メチルブタノエート、ゲラニルイソバレレート、イソブチルアセテート、エトキシプロパノール、メチル−２−ブテナール、メチルノナンジオン、リナリルアセテート、メチルゲラネート、リモネンオキシド、ヒドロ桂皮酸アルコール、ジエチルスクシネート、エチルヘキサノエート、エチルメチルピラジン、ネリルアセテート、シトロネリルブチレート、ヘキシルアセテート、ノニルアセテート、ブチルメチルブチレート、ペンテナール、イソペンチルジメチルピラジン、ｐ−メント−１−エン−９−オール、ヘキサデカノン、オクチルアセテート、γ−ドデカラクトン、エポキシ−γ−イオノン、エチルオクテノエート、エチルイソヘキサノエート、イソボルニルプロピオネート、セドレノール、ｐ−メント−１−エン−９−イルアセテート、カジナジエン、（Ｚ）−３−ヘキセニルヘキサノエート、エチルシクロヘキサノエート、４−メチルチオ−２−ブタノン、３，５−オクタジエノン、メチルシクロヘキサンカルボキシレート、２−ペンチルチオフェン、α−オシメン類、ブタンジオール、エチルバレレート、ペンタノール、イソピペリトン、ブチルオクタノエート、エチルバニレート、メチルブタノエート、２−メチルブチルアセテート、プロピルヘキサノエート、ブチルヘキサノエート、イソプロピルブタノエート、スパチュレノール、ブタノール、δ−ドデカラクトン、メチルキノキサリン、セスキフェランドレン、２−ヘキセノール、エチルベンゾエート類、イソプロピルベンゾエート、エチルラクテートおよび／またはシトロネリルイソブチレートなどのフルーツの匂い、あるいは
（ｏ）好ましくは、ゲラニオール、（Ｅ，Ｚ）−２，４−ノナジエナール、オクタジエノンおよび／またはｏ−キシレンなどのゼラニウム様の匂い、あるいは
（ｐ）好ましくは、エチルデカノエートおよび／またはヘキサノンなどのブドウ様の匂い、あるいは
（ｑ）好ましくは、（＋）−５，６−ジメチル−８−イソプロペニルビシクロ［４．４．０］デク−１−エン−３−オンおよび／またはｐ−メンテンチオールなどのグレープフルーツ様の匂い、あるいは
（ｒ）好ましくは、２−エチルピリジン、２，６−ジメチルナフタレン、ヘキサナールおよび／または（Ｚ）−３−ヘキセノールなどの草様の匂い、
【００８４】
（ｓ）グリーンノート、好ましくは、２−エチルヘキサノール、６−デセナール、ジメチルヘプテナール、ヘキサノール、ヘプタノール、メチル−２−ブテナール、ヘキシルオクタノエート類、ノナン酸、ウンデカノン、メチルゲラネート、イソボルニルホルメート、ブタナール、オクタナール、ノナナール、エポキシ−２−デセナール、シス−リナロール、ピランオキシド、ノナノール、α，γ−ジメチルアリルアルコール、（Ｚ）−２−ペンテン−１−オール、（Ｚ）−３−ヘキセニルブタノエート、イソブチルチアゾール、（Ｅ）−２−ノネナール、２−ドデセナール、（Ｚ）−４−デセナール、２−オクテナール、２−ヘプテン−１−アール、ビシクロゲルマクレン類、２−オクテナール、α−チュジェン類、（Ｚ）−β−ファルネセン類、（−）−γ−エレメン類、２，４−オクタジエナール、フコセルラテン(Fucoserraten)、ヘキセニルアセテート、ゲラニルアセトン、バレンセン類、β−オイデスモール、１−ヘキセノール、（Ｅ）−２−ウンデセナール、アルテミシアケトン、ビリジフロロール、２，６−ノナジエナール、トリメチルフェニルブテノン、２，４−ノナジエナール、ブチルイソチオシアネート、２−ペンタノール、エレモール、２−ヘキセナール、３−ヘキセナール、（＋）−（Ｅ）−リモネンオキシド、シス−イソシトラール、ジメチルオクタジエナール、ボルニルホルメート、ボルニルイソバレレート、イソブチルアルデヒド、２，４−ヘキサジエナール、トリメチルフェニルブテノン、ノナノン、（Ｅ）−２−ヘキセナール、（＋）−シス−ローズ−オキシド、メントン、クマリン、（エポキシメチルブチル）メチルフラン、２−ヘキセノール、（Ｅ）−２−ヘキセノールおよび／またはカルビルアセテート、あるいは
（ｔ）緑茶様の匂い、好ましくは、（−）−クベノール、あるいは
（ｕ）ハーブ様の匂い、好ましくは、オクタノン、ヘキシルオクタノエート、カリオフィレンオキシド類、メチルブテノール、サフラナール、ベンジルベンゾエート、ボルニルブチレート、ヘキシルアセテート、β−ビサボロール、ピペリトール、β−セリネン類、α−クベベン類、ｐ−メント−１−エン−９−オール、１，５，９，９−テトラメチル−１２−オキサビシクロドデカ−４，７−ジエン、Ｔ−ムウロロール、（−）−クベノール、レボメノール、オシメン類、α−チュジェン類、ｐ−メント−１−エン−９−イルアセテート、デヒドロカルベオール、アルテミシアアルコール、γ−ムウロレン類、ヒドロキシペンタノン、（Ｚ）−オシメン類、β−エレメン類、δ−カジノール、（Ｅ）−β−オシメン類、（Ｚ）−ジヒドロカルボン類、α−カジノール、カラメネン、（Ｚ）−ピペリトール、ラバンデュロール、β−ブルボネン類、（Ｚ）−３−ヘキセニル−２−メチルブタノエート、４−（１−メチルエチル）ベンゼンメタノール、アルテミシアケトン、メチル−２−ブタノール、ヘプタノール、（Ｅ）−ジヒドロカルボン、ｐ−２−メンテン−１−オール、α−クルクメン類、スパチュレノール、セスキフェランドレン、シトロネリルバレレート、ボルニルイソバレレート、１，５−オクタジエン−３−オール、メチルベンゾエート、２，３，４，５−テトラヒドロアニソールおよび／またはヒドロキシカラメネン、あるいは
【００８５】
（ｖ）蜂蜜様の匂い、好ましくは、エチルシンナメート類、β−フェネチルアセテート、フェニル酢酸、フェニルエタナール、メチルアントラニレート、桂皮酸、β−ダマセノン類、エチル（Ｅ）−シンナメート、２−フェニルエチルアルコール、シトロネリルバレレート類、フェニルエチルベンゾエート類および／またはオイゲノール、あるいは
（ｗ）ヒアシンス様の匂い、好ましくは、ホトリエノール、あるいは
（ｘ）ジャスミン様の匂い、好ましくは、メチルジャスモネート、メチルジヒドロエピジャスモネートおよび／またはメチルエピジャスモネート、あるいは
（ｙ）ラベンダー様の匂い、好ましくは、リナリルバレレート類および／またはリナロール、あるいは
（ｚ）レモン様の匂い、好ましくは、ネラール、オクタナール、δ−３−カレン類、リモネン、ゲラニアール、４−メルカプト−４−メチル−２−ペンタノール、シトラール、２，３−デヒドロ−１，８−シネオールおよび／またはα−テルピネン、あるいは
（ａａ）ユリ様の匂い、好ましくは、ドデカナール、あるいは
（ｂｂ）モクレン様の匂い、好ましくは、ゲラニルアセトン、あるいは
（ｃｃ）マンダリン様の匂い、好ましくは、ウンデカノール、あるいは
（ｄｄ）メロン様の匂い、好ましくは、ジメチルヘプテナール、あるいは
（ｅｅ）ミント様の匂い、好ましくは、メントン、エチルサリチレート、ｐ−アニスアルデヒド、２，４，５，７ａ−テトラヒドロ−３，６−ジメチルベンゾフラン、エポキシ−ｐ−メンテン、ゲラニアール、（メチルブテニル）メチルフラン、ジヒドロカルビルアセテート、β−シクロシトラール、１，８−シネオール、β−フェランドレン類、メチルペンタノン、（＋）−リモネン、ジヒドロカルベオール（−）−カルボン、（Ｅ）−ｐ−メンタ−２，８−ジエン−１−オール、イソプレジルアセテート、ピペリトン、２，３−デヒドロ−１，８−シネオール、α−テルピネオール、Ｄ，Ｌ−カルボンおよび／またはα−フェランドレン類、あるいは
【００８６】
（ｆｆ）ナッツ様の匂い、好ましくは、５−メチル−（Ｅ）−２−ヘプテン−４−オン、γ−ヘプタラクトン、２−アセチルピロール、３−オクテン−２−オン、ジヒドロメチルシクロペンタピラジン、アセチルチアゾール、２−オクテナール、２，４−ヘプタジエナール、３−オクテノン、ヒドロキシペンタノン、オクタノール、ジメチルピラジン、メチルキノキサリンおよび／またはアセチルピロリン、あるいは
（ｇｇ）オレンジ様の匂い、好ましくは、メチルオクタノエート、ウンデカノン、デシル  アルコール、リモネンおよび／または２−デセナール、あるいは
（ｈｈ）オレンジ皮様の匂い、好ましくは、デカナールおよび／またはβ−カレン、あるいは
（ｉｉ）ピーチ様の匂い、好ましくは、γ−ノナラクトン、（Ｚ）−６−ドデセン−γ−ラクトン、δ−デカラクトン、Ｒ−δ−デセノラクトン、ヘキシルヘキサノエート、５−オクタノリド、γ−デカラクトンおよび／またはδ−ウンデカラクトン、あるいは
（ｊｊ）ペパーミント様の匂い、好ましくは、サリチル酸メチルおよび／またはｌ−メントール、あるいは
（ｋｋ）マツ様の匂い、好ましくは、α−ｐ−ジメチルスチレン、β−ピネン、ボルニルベンゾエート、δ−テルピネン、ジヒドロテルピニルアセテートおよび／またはα−ピネン、あるいは
（ｌｌ）パイナップル様の匂い、好ましくは、プロピルブチレート、プロピルプロパノエートおよび／またはエチルアセテート、あるいは
（ｍｍ）プラム様の匂い、好ましくは、ベンジルブタノエート、あるいは
（ｎｎ）ラズベリー様の匂い、好ましくは、β−イオノン類、あるいは
【００８７】
（ｏｏ）バラ様の匂い、好ましくは、β−フェネチルアセテート、２−エチルヘキサノール、ゲラニルバレレート、ゲラニルアセテート、シトロネロール、ゲラニオール、ゲラニルブチレート、ゲラニルイソバレレート、シトロネリルブチレート、シトロネリルアセテート、イソゲラニオール、テトラヒドロ−４−メチル−２−（２−メチル−１−プロペニル）−２，５−シス−２Ｈ−ピラン、イソゲラニオール、２−フェニルエチルアルコール、シトロネリルバレレートおよび／またはシトロネリルイソブチレート、あるいは
（ｐｐ）グリーンミント様の匂い、好ましくは、カルビルアセテート類および／またはカルベオール、あるいは
（ｑｑ）イチゴ様の匂い、好ましくは、ヘキシルメチルブチレート、メチルシンナメート、ペンテナール、メチルシンナメート類、あるいは
（ｒｒ）甘い匂い、好ましくは、ベンジルアルコール、エチルフェニルアセテート、トリデカナール、ネロール、メチルヘキサノエート、リナリルイソバレレート、ウンデカンアルデヒド、カリオフィレンオキシド、リナリルアセテート、サフラナール、ウンシネオール、フェニルエタナール、ｐ−アニスアルデヒド、オイデスモール、エチルメチルピラジン、シトロネリルブチレート、４メチル−３−ペンテン−２−オン、ノニルアセテート、１０−エピ−γ−オイデスモール、β−ビサボロール、（Ｚ）−６−ドデセン−γ−ラクトン、β−ファルネセン類、２−ドデセナール、γ−ドデカラクトン、エポキシ−β−イオノン、２−ウンデセナール、スチレングリコール、メチルフラネオール、（−）−シス−ローズオキシド、（Ｅ）−β−オシメン類、ジメチルメトキシフラノン、１，８−シネオール類、エチルベンズアルデヒド、２−ペンチルチオフェン、α−ファルネセン類、メチオノール、７−メトキシクマリン、（Ｚ）−３−ヘキセニル−２−メチルブタノエート、ｏ−アミノアセトフェノン、ビリジフロロール、イソピペリトン類、β−シネンサール、エチルバニレート、メチルブタノエート、ｐ−メトキシスチレン、６−メトキシオイゲノール、４−ヘキサノリド、δ−ドデカラクトン、セスキフェランドレン、ジエチルマレート、リナリルブチレート、グアイアコール、クマリン、メチルベンゾエート、イソプロピルベンゾエート、サフロール類、ジュレン類、γ−ブチロラクトン、エチルイソブチレートおよび／またはフルフラール、あるいは
【００８８】
（ｓｓ）バニラ様の匂い、好ましくは、バニリン、メチルバニレート、アセトバニロンおよび／またはエチルバニレート、あるいは
（ｔｔ）スイカ様の匂い、好ましくは、２，４−ノナジエナール、あるいは
（ｕｕ）木材様の匂い、好ましくは、α−ムウロレン類、カジナ−１，４−ジエン−３−オール、イソカリオフィレン、オイデスモール、α−イオノン、ボルニルブチレート、（Ｅ）−α−ベルガモテン、リナロールオキシド、エチルピラジン、１０−エピ−γ−オイデスモール、ゲルマクレンＢ類、トランス−サビネンヒドレート、ジヒドロリナロール、イソジヒドロカルベオール、β−ファルネセン類、β−セスキフェランドレン、δ−エレメン類、α−カラコレン類、エポキシ−β−イオノン、ゲルマクレンＤ類、ビシクロゲルマクレン類、アロアロマデンドレン類、α−チュジェン類、オキソ−β−イオノン、（−）−γ−エレメン類、γ−ムウロレン類、サビネン、α−グアレン類、α−コパエン類、γ−カジネン類、ネロリドール、β−オイデスモール、α−カジノール、δ−カジネン類、４，５−ジメトキシ−６−（２−プロペニル）−１，３−ベンゾジオキソール、［１ａｒ−（１ａα，４ａα，７α，７ａβ，７ｂα）］−デカヒドロ−１，１，７−トリメチル−４−メチレン−１Ｈ−シクロプロプ［ｅ］アズレン、α−グルジュネン、グアイオール、α−ファルネセン類、γ−セリネン類、４−（１−メチルエチル）ベンゼンメタノール、ペリレン、エレモール、α−フムレン類、β−カリオフィレンおよび／またはβ−グアイエン類、あるいは
（ｖｖ）上記の混合物。
【００８９】
上述の芳香は好ましくは、本発明の香油中に好ましく存在し得る。それらは特に洗剤、洗浄剤または衛生組成物または化粧組成物の芳香付けに極めて好適である。
【００９０】
ここで、当業者であれば直接認識するように、例えば、まずリンゴ様、そして後にオレンジ様の芳香を発現する洗剤など、本発明に従って、極めて多様な創作が認識できるであろう。
【００９１】
本発明の範囲内で、それは同じく、各場合で存在する香油のうち少なくとも１種類、好ましくは少なくとも２種類、有利には少なくとも３種類、特には少なくとも４種類が、少なくとも１種類、好ましくは少なくとも２種類、有利には少なくとも３種類、さらに有利な様式では少なくとも４種類、いっそう有利な様式では少なくとも５種類、特には少なくとも６種類の芳香アルコールを含むならば、好ましい態様に相当する。なお、この芳香アルコールは好ましくは、アセトバニロン、アリルアミルグリコレート、アリルイソアミルグリコレート、α−アミルシンナミルアルコール、アニシルアルコール、ベンゾイン、ベンジルアルコール、ベンジルサリチレート、１−ブタノール、ブチルラクテート、２−ｔ−ブチル−５−メチルフェノール、２−ｔ−ブチル−６−メチルフェノール、カルバクロール、カルベオール、４−カルボメンテノール、セドロール、セチルアルコール、桂皮酸アルコール、シトロネロール、ｏ−クレゾール、ｍ−クレゾール、ｐ−クレゾール、クロチルアルコール、デカヒドロ−２−ナフトール、１−デカノール、１−デセン−３−オール、９−デセン−１−オール、ジエチルマレート、ジエチルタートレート、ジヒドロカルベオール、ジヒドロミルセノール、２，６−ジイソプロピルフェノール、ジメチコンコポリオール、２，６−ジメトキシフェノール、１，１−ジメトキシ−３，７−ジメチルオクタン−７−オール、２，６−ジメチル−４−ヘプタノール、２，６−ジメチルヘプタン−２−オール、６，８−ジメチル−２−ノナノール、３，７−ジメチル−２，６−オクタジエン−１−オール、３，７−ジメチル−１，６−オクタジエン−３−オール、３，７−ジメチル−１−オクタノール、３，７−ジメチル−３−オクタノール、３，７−ジメチル−６−オクテン−１−オール、３，７−ジメチル−７−オクテン−１−オール、ジメトール、２−エチルフェンコール、４−エチルグアイアコール、２−エチル−１−ヘキサノール、エチル２−ヒドロキシ安息香酸、エチル３−ヒドロキシブチレート、３−エチル−２−ヒドロキシ−２−シクロペンテン−１−オン、エチル２−ヒドロキシカプロエート、エチル３−ヒドロキシヘキサノエート、エチルラクテート、エチルマルトール、ｐ−エチルフェノール、エチルサリチレート、オイゲノール、ファルネソール、フェンチルアルコール、ゲラニオール、グルコースペンタアセテート、グリセロール、グリセリルモノステアレート、グアイアコール、１−ヘプタノール、２−ヘプタノール、３−ヘプタノール、シス−４−ヘプテノール、シス−３−ヘプテノール、ｎ−ヘキサノール、２−ヘキサノール、３−ヘキサノール、シス−２−ヘキセノール、シス−３−ヘキセノール、トランス−３−ヘキセノール、４−ヘキセノール、シス−３−ヘキセニルヒドロシンナミルアルコール、
【００９２】
２−ヒドロキシ安息香酸、２−ヒドロキシアセトフェノン、４−ヒドロキシベンジルアルコール、３−ヒドロキシ−２−ブタノン、ヒドロキシシトロネラル、４−（４−ヒドロキシ−３−メトキシフェニル）−２−ブタノン、２−ヒドロキシ−３−メチル−２−シクロペンテン−１−オン、４−（ｐ−ヒドロキシフェニル）−２−ブタノン、２−ヒドロキシ−３，５，５−トリメチル−２−シクロへキセノン、δ−イソアスコルビン酸、イソボルネオール、イソオイゲノール、イソフィトール、イソプロピルアルコール、ｐ−イソプロピルベンジルアルコール、４−イソプロピルシクロヘキサノール、３−イソプロピルフェノール、４−イソプロピルフェノール、２−イソプロピルフェノール、イソプレゴール、ラウリルアルコール、リナロール、マルトール、メントール、４−メトキシベンジルアルコール、２−メトキシ−４−メチルフェノール、２−メトキシ−４−プロピルフェノール、２−メトキシ−４−ビニルフェノール、α−メチルベンジルアルコール、２−メチルブタノール、３−メチル−２−ブタノール、３−メチル−２−ブテン−１−オール、２−メチル−３−ブテン−２−オール、メチル２，４−ジヒドロキシ−３，６−ジメチル安息香酸、４−メチル−２，６−ジメトキシフェノール、メチルＮ−３，７−ジメチル−７−ヒドロキシオクチリデンアントラニレート、メチル３−ヒドロキシヘキサノエート、６−メチル−５−ヘプテン−２−オール、２−メチルペンタノール、３−メチル−３−ペンタノール、２−メチル−４−フェニルブタン−２−オール、２−メチル−３−フェニルプロパン−２−オール、サリチル酸メチル、３−メチル−５−（２，２，３−トリメチル−３−シクロペンテン−１−イル）−４−ペンテン−２−オール、２−メチル−２−ビニル−５−（１−ヒドロキシ−１−メチルエチル）−３，４−ジヒドロフラン、ミルテノール、ネオヘスペリジンジヒドロカルコン、ネオメントール、ネロール、ネロリドール、トランス−２−シス−６−ノナジエノール、１，３−ノナンジオールアセテート、ノナジル、２−ノナノール、シス−６−ノネン−１−オール、トランス−２−ノネン−１−オール、
【００９３】
ノニルアルコール、１−オクタノール、２−オクタノール、３−オクタノール、シス−３−オクテン−１−オール、シス−２−オクテン−１−オール、トランス−２−オクテン−１−オール、シス−６−オクテン−１−オール、シス−オクテン−１−オール、１−オクテン−３−オール、オレイルアルコール、パチョリアルコール、３−ペンタノール、ｎ−ペンタノール、２−ペンタノール、１−ペンテン−１−オール、シス−２−ペンテン−１−オール、ペリリルアルコール、２−フェノキシエタノールアラビノガラクタン、β−フェニルエチルアルコール、フェネチルサリチレート、フェノール、フェニルアセトアルデヒドグリセリルアセタール、３−フェニル−１−ペンタノール、５−フェニル−１−ペンタノール、１−フェニル−１−ペンタノール、１−フェニル−２−ペンタノール、１−フェニル−３−メチル−１−ペンタノール、フィトール、ピナコール、ポリアルキレングリコール、ポリソルベート２０、ポリソルベート６０、ポリソルベート８０、プレノール、ｎ−プロパノール、プロペニルグアエトール、プロピレングリコール、２−プロピルフェノール、４−プロピルフェノール、レゾルシノール、レチノール、サリチルアルデヒド、モノステアリン酸ソルビタン、ソルビトール、ステアリルアルコール、シリンジアルデヒド、α−テルピネオール、テトラヒドロゲラニオール、テトラヒドロリナロール、テトラヒドロミルセロール、チモール、トリエチルシトレート、１，２，６−トリヒドロキシヘキサン、ｐ−α，α−トリメチルベンジルアルコール、２−（５，５，６−トリメチルビシクロ［２．２．１］ヘプト−２−イルシクロヘキサノール、５−（２，２，３−トリメチル−３−シクロペンテニル）−３−メチルペンタン−２−オール、３，７，１１−トリメチル−２，６，１０−ドデカトリエン−１−オール、３，７，１１−トリメチル−１，６，１０−ドデカトリエン−３−オール、３，５，５−トリメチル−１−ヘキサノール、１０−ウンデセン−１−オール、ウンデシルアルコール、バニリン、ｏ−バニリン、バニリルブチルエーテル、４−ビニルフェノール、２，５−キシレノール、２，６−キシレノール、３，５−キシレノール、２，４−キシレノールおよび／またはキシロースから好ましく選択される。これに関して、１種類を超える香油が芳香アルコールを含む場合は、全ての香油が異なる芳香アルコールを含むのが好ましい。さらに、本発明によれば、本発明の製品が少なくとも１種類、２種類、３種類、４種類、５種類または６種類またはそれを超える上述の芳香を含むのが明らかに好ましい。
【００９４】
本発明の範囲内で、それは同じく、各場合で存在する香油のうち少なくとも１種類、好ましくは少なくとも２種類、有利には少なくとも３種類、特には少なくとも４種類が、少なくとも１種類、好ましくは少なくとも２種類、有利には少なくとも３種類、さらに有利な様式では少なくとも４種類、いっそう有利な様式では少なくとも５種類、特には少なくとも６種類の、カルボニル官能基を有する芳香を含むならば、好ましい態様に相当する。なお、この芳香は好ましくは、４−アセトキシ−３−ペンチルテトラヒドロピラン、アリルシンナメート、アリル２−エチルブチレート、アリルシクロヘキサンプロピオネート、アリルヘプタノエート、アリルヘキサノエート、アリルイソバレレート、アリルノナノエート、アリルオクタノエート、アリルフェノキシアセテート、アリルフェニルアセテート、アリルプロピオネート、α−アミルシンナミルアセテート、アミルオクタノエート、アニシルアセテート、アニシルフェニルアセテート、ベンジルアセテート、ベンジルアセトアセテート、ベンジルブチレート、ベンジルシンナメート、ベンジルイソブチレート、ベンジルイソバレレート、ベンジルフェニルアセテート、ベンジルプロピオネート、ボルニルアセテート、ボルニルイソバレレート、ボルニルバレレート、ブチルアセテート、ブチルブチレート、ブチルブチリルラクテート、４−ｔ−ブチルシクロヘキシルアセテート、ブチルヘプタノエート、ブチルヘキサノエート、ブチルイソブチレート、ブチルイソバレレート、ブチルラウレート、ブチルプロピオネート、ブチルステアレート、３−ブチリデンフタリド、ブチル２−メチルブチレート、ブチル１０−ウンデセノエート、γ−ブチロラクトン、カルビルアセテート、カルビルプロピオネート、カリオフィレンアセテート、セドリルアセテート、トランス−シンナミルアセテート、トランス−シンナミルブチレート、シンナミルシンナメート、シンナミルイソブチレート、シトロネリルアセテート、シトロネリルブチレート、シトロネリルイソブチレート、シトロネリルプロピオネート、シトロネリルバレレート、シクロヘキサンエチルアセテート、シクロヘキシルアセテート、シクロヘキシルブチレート、シクロヘキシルイソバレレート、シクロヘキシルプロピオネート、δ−デカラクトン、ε−デカラクトン、γ−デカラクトン、４−デカノリド、デシルアセテート、デシルブチレート、デシルプロピオネート、ジエチルマロネート、
【００９５】
ジエチルセバケート、ジエチルスクシネート、ジヒドロカルビルアセテート、ジヒドロクマリン、ジヒドロミルセニルアセテート、ジヒドロノルジシクロペンタジエニルアセテート、ジヒドロテルピニルアセテート、３，７−ジメチル−１，６−オクタジエン−３−イルアセテート、３，７−ジメチル−１，６−オクタジエン−３−イルプロピオネート、３，７−ジメチルオクタン−３−イルアセテート、α，α−ジメチルフェネチルアセテート、α，α−ジメチルフェネチルブチレート、６，１０−ジメチル−５，９−ウンデカジエン−２−イルアセテート、δ−ドデカラクトン、ε−ドデカラクトン、γ−ドデカラクトン、エチルアセテート、エチルアセトアセテート、エチル６−アセトキシヘキサノエート、エチル２−アセチル−３−フェニルプロピオネート、エチルベンゾイルアセテート、２−エチルブチルアセテート、エチルブチレート、エチルシンナメート、エチルシクロヘキサンプロピオネート、エチルデカノエート、エチレンブラシレート、エチル２−エチル−６，６−ジメチル−２−シクロヘキセンカルボキシレート、エチル２，３−エポキシブチレート、エチル２−メチル−４−ペンテノエート、エチルヘプタノエート、エチルヘキサノエート、エチルトランス−３−ヘキセノエート、２−エチルヘキシルアセテート、エチルイソブチレート、エチルイソバレレート、エチルラウレート、エチル２−メルカプトプロピオネート、エチル３−メルカプトプロピオネート、エチル２−メチルブチレート、エチル２−メチルペンタノエート、エチル（メチルチオ）アセテート、メチル（メチルチオ）アセテート、メチル２−（メチルチオ）プロピオネート、エチルミリステート、エチルノナノエート、エチルオクタノエート、エチルパルミテート、エチルフェニルアセテート、エチル３−フェニルプロピオネート、エチル３−フェニル−２，３−エポキシブチレート、エチル３−フェニルプロピオネート、エチルプロピオネート、エチルステアレート、エチル２，３，６，６−テトラメチル−２−シクロヘキセンカルボキシレート、エチル（ｐ−トリルオキシ）アセテート、エチルウンデカノエート、エチルバレレート、オイゲニルアセテート、フェンチルアセテート、ゲラニルアセテート、ゲラニルブチレート、ゲラニルフェニルアセテート、ゲラニルプロピオネート、グアイアシルフェニルアセテート、グアイックウッドアセテート、
【００９６】
γ−ヘプタラクトン、ヘプチルアセテート、ヘプチルブチレート、ヘプチルイソブチレート、ω−６−ヘキサデセンラクトン、δ−ヘキシラクトン、γ−ヘキシラクトン、３−ヘキセニルアセテート、シス−３−ヘキセニル２−メチルブタノエート、シス−３−ヘキセニルシス−３−ヘキサノエート、シス−３−ヘキセニルフェニルアセテート、トランス−２−ヘキセニルアセテート、ヘキシルアセテート、ヘキシルブチレート、ヘキシルヘキサノエート、ヘキシルイソブチレート、ヘキシルプロピオネート、ヘキシル２−メチルブタノエート、ヘキシル３−メチルブタノエート、ヘキシルフェニルアセテート、イソアミルアセテート、イソアミルアセトアセテート、イソアミルブチレート、イソアミルシンナメート、イソアミルヘキサノエート、イソアミルイソブチレート、イソアミルイソバレレート、イソアミルラウレート、イソアミルノナノエート、イソアミルオクタノエート、イソアミルフェニルアセテート、イソアミルプロピオネート、イソボルニルアセテート、イソボルニルプロピオネート、イソブチルアセテート、イソブチルブチレート、イソブチルシンナメート、イソブチルヘキサノエート、イソブチルイソブチレート、イソブチル２−メチルブチレート、イソブチルプロピオネート、イソオイゲニルアセテート、イソプロピルシンナメート、イソブチルフェニルアセテート、イソプロピルアセテート、イソプロピルブチレート、イソプロピルイソブチレート、ミリスチン酸イソプロピル、イソプロピルパルミテート、イソプロピルフェニルアセテート、ラウリルアセテート、リナニルアセテート、リナニルブチレート、リナニルイソバレレート、メンタラクトン、メンチルアセテート、メンチルシクロヘキサンカルボキシレート、メンチルイソバレレート、４−メトキシベンジルアセテート、４−メトキシベンジルプロピオネート、２−メトキシフェニルアセテート、２−メトキシ−４−（１−プロペニル）フェニルアセテート、メチルアセテート、α−メチルベンジルアセテート、α−メチルベンジルブチレート、α−メチルベンジルプロピオネート、２−メチルブチルアセテート、２−メチルブチルブチレート、２−メチルブチルイソバレレート、３−メチルブチル２−メチルブタノエート、２−メチルブチル２−メチルブタノエート、メチルｐ−ｔ−ブチルフェニルアセテート、メチルブチレート、メチルシンナメート、メチルデカノエート、メチルヘプタノエート、メチルヘキサノエート、メチルイソブチレート、メチルイソバレレート、メチルラウレート、メチルＮ−２−メチル−３−（４−ｔ−ブチルフェニルプロピリデン）アントラニレート、ミリスチン酸メチル、メチルノナノエート、メチルオクタノエート、パルミチン酸メチル、
【００９７】
４−（４−メチル−３−ペンテニル）−３−シクロヘキセニルメチルアセテート、メチル２−メチルブチレート、２−メチル−６−メチレン−７−オクテン−２−イルアセテート、メチル４−メチルバレレート、メチル２−メチルペンタノエート、メチルフェノキシアセテート、２−メチル−３−フェニルプロパン−２−イルアセテート、メチル３−フェニルプロピオネート、メチルプロピオネート、２−メチルプロピルフェニルアセテート、メチルフェニルアセテート、２−メチル−３−フェニルプロパン−２−イルアセテート、メチルステアレート、メチル（ｐ−トリルオキシ）アセテート、メチル９−ウンデセノエート、メチルバレレート、ミルテニルアセテート、ネリルアセテート、ネリルブチレート、ネリルイソブチレート、δ−ノナラクトン、γ−ノナラクトン、１，３−ノナンジオールジアセテート、ノニルアセテート、オクタヒドロクマリン、γ−オクタラクトン、１−オクテン−３−イルアセテート、１−オクテン−３−イルブチレート、オクチルアセテート、オクチルブチレート、オクチルイソブチレート、オクチルイソバレレート、オクチルオクタノエート、オクチルプロピオネート、オキサシクロヘプタデク−１０−エン−２−オン、ω−ペンタデカラクトン、ペンチルアセテート、ペンチルブチレート、ペンチルヘキサノエート、ペンチルオクタノエート、フェネチルアセテート、フェネチルブチレート、フェネチルシンナメート、フェネチルヘキサノエート、フェネチルイソブチレート、フェネチルイソバレレート、フェネチル２−メチルブチレート、フェネチル２−メチルプロピオネート、フェネチルオクタノエート、フェネチルフェニルアセテート、フェネチルプロピオネート、フェノキシエチルプロピオネート、２−フェノキシエチル２−メチルプロピオネート、３−フェニル−２−プロペニルプロピオネート、３−フェニルプロピルアセテート、２−フェニルプロピルブチレート、２−フェニルプロピルイソブチレート、２−フェニルプロピルイソバレレート、ピペロニルアセテート、ピペロニルイソブチレート、プレニルアセテート、プロピルアセテート、プロピルブチレート、プロピルヘプタノエート、プロピルヘキサノエート、３−プロピリデンフタリド、プロピルイソブチレート、プロピルプロピオネート、プロピルフェニルアセテート、スクロースオクタアセテート、テルピニルアセテート、テルピニルブチレート、テルピニルイソブチレート、テルピニルプロピオネート、テトラヒドロフルフリルアセテート、テトラヒドロフルフリルブチレート、テトラヒドロフルフリルプロピオネート、テトラヒドロリナリルアセテート、２，６，６，８−テトラメチルトリシクロ［５．３．１．０（１．５）］ウデンカン−８−イルアセテート、
【００９８】
ｐ−トリルアセテート、ｐ−トリルイソブチレート、ｐ−トリルフェニルアセテート、トリアセチン、トリブチルアセチルシトレート、トリブチリン、トリプロピオニン、３，５，５−トリメチルヘキシルアセテート、６−ウンデカラクトン、γ−ウンデカラクトン、γ−バレロラクトン、バニリンアセテート、バニリルイソブチレート、１−ビニル−２−（１−メチルプロピル）シクロヘキシルアセテート、ウィスキーラクトン、ブチルアルデヒド、シトロネラル、デカナール、シス−４−デセナール、トランス−４−デセナール、２，４−ジメチル−３−シクロヘキセン−１−カルバルデヒド、２，６−ジメチル−５−ヘプテナール、３，７−ジメチルオクタナール、２−エチルブチルアルデヒド、グルタルジアルデヒド、ヘプタナール、シス−４−ヘプテナール、ヘキサナール、ヒドロシンナムアルデヒド、イソブチルアルデヒド、３−（ｐ−イソプロピルフェニル）プロピオンアルデヒド、イソバレルアルデヒド、ラウリンアルデヒド、２−メチルブチルアルデヒド、２−メチル−３−（ｐ−イソプロピルフェニル）プロピオンアルデヒド、２−メチルペンタナール、４−（４−メチル−３−ペンテニル）−３−シクロヘキセン−１−カルバルデヒド、４−メチルフェニルアセトアルデヒド、３−（メチルチオ）ブタナール、２−メチル−４−（２，６，６−トリメチル−２−シクロヘキセン−１−イル）ブタナール、２−メチルウンデカナール、ノナナール、シス−６−ノネナール、オクタナール、フェニルアセトアルデヒド、２−フェニルプロピオンアルデヒド、３−フェニルプロピオンアルデヒド、プロピオンアルデヒド、ｐ−トリルアセトアルデヒド、トリデカナール、２，４，６−トリメチル−３−シクロヘキセン−１−カルバルデヒド、
【００９９】
２，６，１０−トリメチル−９−ウンデカナール、７−ウンデセナール、８−ウンデセナール、９−ウンデセナール、１０−ウンデセナール、バレルアルデヒド、アセトアニソール、１’−アセトナフトン、２’−アセトナフトン、アセトン、アセトフェノン、２−アセトキシ−２，５−ジメチル−３（２Ｈ）フラノン、２−アセチルシクロペンタノン、４−アセチル−１，１−ジメチル−６−ｔ−ブチルインダン、７−アセチル−１，１，３，４，４，６−ヘキサメチルインダン、２−アセチル−２−チゾリン、６−アセチル−１，１，２，４，４，７−ヘキサメチルテトラリン、アリル−α−イオノン、ベンジリデンアセトン、２，３−ブタンジオン、２−ｓｅｃ−ブチルシクロヘキサノン、５−ｔ−ブチル−３，５−ジニトロ−２，６−ジメチルアセトフェノン、ブチロフェノン、カンファー、２−デカノン、３−デカノン、３−デセン−２−オン、ジヒドロカルボン、ジヒドロ−β−イオノン、ジヒドロジャスモン、４，５−ジヒドロ−３（２Ｈ）−チオフェノン、２’，４’−ジメチルアセトフェノン、３，４−ジメチル−１，２−シクロペンタジオン、３，５−ジメチル−１，２−シクロペンタジオン、２，６−ジメチル−４−ヘプタノン、１，３−ジフェニル−２−プロパノン、４−（１−エトキシビニル）−３，３，５，５−テトラメチルシクロヘキサノン、ｐ−エチルアセトフェノン、エチルビニルケトン、ゲラニルアセトン、２，３−ヘプタンジオン、２−ヘプタノン、３−ヘプタノン、４−ヘプタノン、３，４−ヘキサンジオン、３−ヘキサノン、４−ヘキセン−３−オン、２−ヘキシリデンシクロペンタノン、α−イオノン、β−イオノン、４−イソブチル−２，６−ジメチル−３，５−ジニトロアセトフェノン、イソホロン、６−イソプロピルデカヒドロ−２−ナフトン、シス−ジャスモン、リベスコン、４−メトキシアセトフェノン、４−（ｐ−メトキシフェニル）−２−ブタノン、４’−メチルアセトフェノン、３−メチル−１，２−シクロヘキサンジオン、３−メチル−２−シクロヘキセン−１−オン、２−（２−（４−メチル−３−シクロヘキセン−１−イル）プロピル）シクロペンタノン、
【０１００】
３−メチル−２−シクロペンテン−１−オン、メチルジヒドロジャスモネート、メチルエチルケトン、２−メチル−３−ヘプタノン、５−メチル−２−ヘプテン−４−オン、６−メチル−５−ヘプテン−２−オン、５−メチル−α−イオノン、１−（２−メチル−５−イソプロピル−２−シクロヘキセニル）−１−プロパノン、４−メチル−２−ペンタノン、３−メチル−２−（２−ペンテニル）−２−シクロペンテン−１−オン、４−メチル−１−フェニル−２−ペンタノン、２−メチルテトラヒドロフラン−３−オン、２−メチルテトラヒドロチオフェン−３−オン、２−ノナノン、３−ノナノン、２−オクタノン、３−オクタノン、１−オクテン−３−オン、３−オクテン−２−オン、４−オキソイソホロン、２−ペンタデカノン、２，３−ペンタンジオン、２−ペンタノン、３−ペンタノン、３−ペンテン−２−オン、１−フェニル−１，２−プロパンジオン、プロピオフェノン、プレゴン、２−トリデカノン、２，２，６−トリメチルシクロヘキサノン、４−（２，６，６−トリメチル−２−シクロヘキセン−１−イル）−３−メチル−３−ブテン−２−オン、２−ウンデカノン、および６−ウンデカノンから好ましく選択される。さらに、本発明によれば、本発明の製品が少なくとも１種類、２種類、３種類、４種類、５種類または６種類またはそれを超える上述の香料を含むのが明らかに好ましい。
【０１０１】
好ましい態様では、製品はある最少量の香油、すなわち製品全体に対して少なくとも０．０５重量％、有利には少なくとも０．１重量％、かなり有利な様式では少なくとも０．１５重量％、より有利な様式では少なくとも０．２重量％、さらに有利な様式では少なくとも０．２５重量％、いっそうさらに有利な様式では少なくとも０．３重量％、極めて有利な様式では少なくとも０．３５重量％、特に有利な様式では少なくとも０．４重量％、極めて特に有利な様式では少なくとも０．４５重量％、かなり有利な様式では少なくとも０．５重量％、極めてかなり有利な様式では少なくとも０．５５重量％、著しく有利な様式では少なくとも０．６重量％、高度に有利な様式では少なくとも０．６５重量％、著しく有利な様式では少なくとも０．７重量％、格段に有利な様式では少なくとも０．７５重量％、特別に有利な様式では少なくとも０．８重量％、卓越して有利な様式では少なくとも０．８５重量％、特に少なくとも０．９重量％の香油を含む。
【０１０２】
しかしながら、好ましい態様では、製品は比較的多量の香油、すなわち製品全体に対して少なくとも１重量％、有利には少なくとも２重量％、かなり有利な様式では少なくとも５重量％、より有利な様式では少なくとも１０重量％、さらに有利な様式では少なくとも１３重量％、いっそうさらに有利な様式では少なくとも１４重量％、極めて有利な様式では少なくとも１５重量％、特に有利な様式では少なくとも１６重量％、極めて特に有利な様式では少なくとも１７重量％、かなり有利な様式では少なくとも１８重量％、極めてかなり有利な様式では少なくとも１９重量％、特には少なくとも２０重量％の香油を含む。このような製品は、例えばいわゆるアロマシャワージェルであり得る。
【０１０３】
しかしながら、（香りが）強すぎる製品を回避するため、消費者製品中に極めて高い香油含量を実現することは少ない。むしろ、存在する香油量はは制限するのが望ましい場合が多い。従って、好ましい態様では、製品はある最大値の香油、すなわち製品全体に対して、１５重量％以下、有利には１０重量％以下、かなり有利な様式では９重量％以下、より有利な様式では８重量％以下、さらに有利な様式では７重量％以下、いっそうさらに有利な様式では６重量％以下、極めて有利な様式では５重量％以下、特に有利な様式では４．５重量％以下、極めて特に有利な様式では４重量％以下、かなり有利な様式では３．５重量％以下、特に３重量％以下の香油を含む。
【０１０４】
また、存在する種々の香油の量を互いに適合させることが有利な場合もある。従って、異なる２種類の香油を含む好ましい態様によれば、香油２の対する香油１の比は、１／１より大きく、６／１より小さく、好ましくは５／１より小さく、有利には４／１より小さく、さらに有利な様式では３／１より小さく、いっそうさらに有利な様式では２／１より小さく、特には３／２より小さい。
【０１０５】
好ましい態様では、これらの香油は、アミルシンナマル、アミルシンナミルアルコール、ベンジルアルコール、ベンジルサリチレート、シンナミルアルコール、シンナミル、シトラール、クマリン、オイゲノール、ゲラニオール、ヒドロキシシトロネラル、ヒドロキシメチルペンチルシクロヘキセンカルボキシアルデヒド、イソオイゲノール、アニシルアルコール、ベンジルベンゾエート、ベンジルシンナメート、シトロネロール、ファルネソール、ヘキシルシンナムアルデヒド、リリアール、ｄ−リモネン、リナロール、メチルヘプチンカーボネート、３−メチル−４−（２，６，６−トリメチル−２−シクロヘキセン−１−イル）−３−ブテン−２−オン、オークモス抽出物、ツリーモス抽出物由来の芳香を、８種類未満、有利には７種類未満、より有利な様式では６種類未満、再び有利な様式では５種類未満、さらに有利な様式では４種類未満、いっそうより有利には３種類未満、好ましくは２種類未満含み、特には含まない。
【０１０６】
一般的な皮膚科学的知見によれば、特に、本発明の好ましい組成物である洗剤または洗浄剤では、適用濃度は皮膚アレルギーを誘発し得る量の芳香を含まないことはもちろんのこと、可能であれば第三者によりある特定の物質を避けることが望ましい場合がある。これらは既に上記したものを含む。
【０１０７】
本発明の目的にとって好ましい製品は、洗剤または洗浄剤、化粧組成物、および空気清浄剤がある。
【０１０８】
本発明の目的にとって好ましい製品はまた、いわゆる洗浄助剤であり得る。これは特に以下のものを含む。
（ａ）例えば、グリースリムーバーなどの部分処理剤。これらは主として部分的な油および／または色素汚れを（前）処理する働きをし、布製品に直接適用される。
（ｂ）浸漬剤。これらはほとんどが、界面活性剤含量の低い、よりアルカリ性の助剤（約ｐＨ１３まで）である。それらは汚れの場合には膨潤過程に有利に働き、汚れの付着を少なくする。
（ｃ）染み抜き塩、液体漂白剤、洗浄促進剤などの個別の漂白剤。それらは洗剤添加物としてまたは前処理剤としてのいずれかで使用可能である。
（ｄ）好ましくは、例えばシトレートおよび／またはゼオライトなどのビルダーと、例えばポリカルボキシレートなどの分散剤を含む個別の柔軟剤。
（ｅ）個別の変色防止剤。
（ｆ）各種染みに対する染み抜き剤。
【０１０９】
本発明の目的にとって好ましい製品としてはまた後処理組成物がある。これは特に以下のものを含む。
（ａ）手触り改質剤または繊維コンディショナーとも呼ばれ、また乾燥機用ワイプに当たる繊維柔軟剤。
（ｂ）洗濯物にはりと完全な形状を与える効果を持つランドリーストリップ。
（ｃ）処理する布地の繊維構造を強化し、洗濯物に柔らかなはりないし実質的な糊付け感を持たせる効果を持つシェイプリンス(formspueler)。
（ｄ）好ましくは最後のすすぎに加え、抗菌有効成分および好ましくは非イオン性界面活性剤を含む、衛生リンス。
（ｅ）例えば噴霧して、アイロンをかけなくとも、例えば噴霧した後にまだ湿り気のある洗濯物を手で延ばせばある程度繊維が滑らかになる効果を持つアイロン助剤。
（ｆ）（カーテンの）漂白度を高める目的を持ち、場合により繊維強化効果を持つ（カーテン）漂白剤。
（ｇ）衣料の処理中（例えば、機械洗浄中）に、衣料を着用した時にヒトの皮膚に放出され、皮膚に利点をもたらし、かつ／または皮膚を保護する有効成分（例えば、オイル）を持たせる保護リンス。
（ｈ）低塩水または完全に脱塩した水と、好ましくは保存剤および芳香を含む、スチームアイロン用のアイロン水。
（ｉ）テキスタイルフレッシュナー、すなわち、例えばシクロデキストリンなどの好適な成分の助けにより、除去される匂いを封入することにより、あるいはまた例えばリシノール酸亜鉛などの他の有効成分により、多くの衣料から臭いを取り除く製品。
クリーニング成分に加えて、上記した成分（ａ）〜（ｉ）の１つも含む、２−イン−１洗浄剤が好ましい。
【０１１０】
しかしながら、例えば洗剤または繊維柔軟剤などの、液体状および固体状の繊維製品処理剤が特に好ましい。従って、本発明の目的にとって好ましい製品は洗剤である。これらは特に以下のものを含む。
（ａ）標準的な洗剤（好ましくは、漂白剤、蛍光増白剤、酵素などを含む）。
（ｂ）色物洗剤（本質的に漂白剤および蛍光増白剤を含まず、好ましくは変色防止剤、セルロースなどを含む）。
（ｃ）軽質洗剤（本質的に漂白剤および蛍光増白剤を含まず、好ましくは低アルカリ性）。
（ｄ）例えば、特に下記のような特殊な洗剤。
ｉ）ウール洗剤（好ましくは漂白剤、蛍光増白剤、酵素を含まず、好ましくは中性ｐH）
ｉｉ）カーテン洗剤
ｉｉｉ）手洗い用洗剤
ｉｖ）例えば、下記のような付加的利益を有する洗剤
・臭い吸収剤を含む洗剤
・ＵＶ保護洗剤
・衛生洗剤
・イージーアイロン洗剤
・白黒洗濯物用の特殊洗剤
・好ましくは例えばアーモンド油、アロエ抽出物などの保護物質を含む敏感肌用洗剤
・芳香洗剤またはアロマ洗剤
【０１１１】
好ましい洗浄剤としては、特に、手洗い用食器洗浄剤および機械用食器洗浄剤がある。
【０１１２】
好ましい洗浄剤としては、とりわけ、トイレ洗浄剤またはＷＣ洗浄剤、すなわち便器および小便器を洗浄するための製品があり、好ましくは、粉末、錠剤、成形体または液体、好ましくは、ジェルとして提供される。それらは界面活性剤などの他の慣用成分の他、ほとんどの場合で、石灰付着物またはいわゆる尿石を除去するために有機酸（例えば、クエン酸および／または乳酸）または硫酸水素ナトリウム、アミド硫酸またはリン酸を含む。
【０１１３】
好ましい洗浄剤としてはまた、とりわけ、パイプ洗浄組成物または排水溝洗浄剤がある。これらは好ましくは、通常、毛髪、油脂、食品残渣、石鹸堆積物などのような有機物のパイプ詰まりを取り除く働きをする強アルカリ調製物である。ＡｌまたはＺｎ粉末の添加は、発泡効果を有するＨ２ガスを発生させる働きをする。可能性のある成分として、一般に、アルカリ、アルカリ塩、酸化剤および中性塩がある。微粉供給形では、硝酸ナトリウムおよび塩化ナトリウムも存在するのが好ましい。液体状のパイプ洗浄組成物は次亜塩素酸塩も好ましく含むことができる。これらは酵素に基づく排水溝洗浄剤でもある。同様に酸性調製物も可能である。
【０１１４】
好ましい洗浄剤としてはまた、とりわけ、万能または多目的洗浄剤がある。これらは、水分や湿気をぬぐい去ることができ、家庭用および商業用のあらゆる硬質面に汎用することができる洗浄剤である。基本的に、これらは中性または弱アルカリ性または弱酸性の製品、特に液体製品である。多目的洗浄剤は一般に界面活性剤、ビルダー、溶媒およびヒドロトロープ、色素、保存剤などを含む。
【０１１５】
また特に殺菌多目的洗浄剤もある。これらは更に、抗菌活性成分（例えば、アルデヒド、アルコール、第四級アンモニウム化合物、両性界面活性剤、トリクロサン）を含む。
【０１１６】
好ましい洗浄剤としてはまた、とりわけ、衛生洗浄剤がある。これらは浴室やトイレの洗浄用の製品である。アルカリ衛生洗浄剤は油脂汚れに好ましく使用され、酸性衛生洗浄剤は主として尿石付着物を除去するために用いられる。衛生洗浄剤はまた有利には、顕著な殺菌効果を有し、特に、強アルカリ性の塩素含有衛生洗浄剤である。
【０１１７】
好ましい洗浄剤としてはまた、とりわけ、オーブン洗浄剤およびグリル洗浄剤があり、これらは有利にはジェルまたは発泡スプレーの形態で提供される。これらは一般に、焼け焦げた、または炭化した食品残渣を除去する働きをする。好ましくは、オーブン洗浄剤は、例えば、水酸化ナトリウム、メタケイ酸ナトリウム、２−アミノエタノールで強アルカリ性にする。さらに、それらは通常、アニオン性および／または非イオン性界面活性剤、水溶性溶媒および場合によってポリカルボキシレート、カルボキシメチルセルロースなどの増粘剤を含む。
【０１１８】
好ましい洗浄剤としてはまた、とりわけ、金属洗浄剤がある。これらは、ステンレス鋼または銀などのある種の金属のための洗浄剤である。ステンレス鋼洗浄剤は、酸（好ましくは、３重量％まで、例えば、クエン酸、乳酸）、界面活性剤（特に５重量％まで、好ましくは、非イオン性および／またはアニオン性界面活性剤）、水の他、好ましくは、油脂含有の汚れを除去するための溶媒（好ましくは、１５重量％まで）、並びに例えば増粘剤および保存剤などの他の物質も含む。また、好ましくはステンレス鋼表面のつや出しのために製品に微細な研磨剤も含める。また、銀洗浄剤は好ましくは酸性とする。それらは好ましくは、特に硫化銀の黒い付着物を除去するために錯化剤（例えば、チオ尿素、チオ硫酸ナトリウム）を含む。典型的な供給形態は洗浄布、浸漬剤、ペースト、液体である。銅および非鉄洗浄剤（例えば、真鍮および青銅用）は、暗い変色（酸下層）を除去する働きをする。一般にこれらは、（好ましくは、アンモニアで）弱アルカリ性とし、一般に、研磨剤および好ましくはアンモニウム石鹸および／または錯化剤も含む。
【０１１９】
好ましい洗浄剤としてはまた、とりわけ、ガラスクリーナーおよびウインドウクリーナーがある。これらは好ましくは、特にガラス表面から油脂含有の汚れを除去する働きをする。それらは好ましくは、アニオン性および／または非イオン性界面活性剤（特に５重量％まで）、アンモニアおよび／またはエタノールアミン（特に１重量％まで）、エタノールおよび／または２−プロパノール、グリコールエーテル（特に１０〜３０重量％）、水、保存剤、色素、曇り防止剤などの物質を含む。
【０１２０】
好ましい洗浄剤としてはまた、とりわけ、あらゆる特殊洗浄剤、例えば、ガラスセラミック製のホブ用のもの、また、カーペットまたは室内装飾品洗浄剤および汚れ落とし剤がある。
【０１２１】
本発明の好ましい製品はカーケア製品である。好ましいカーケア製品としては、とりわけ、塗料保存剤、塗料つや出し剤、塗料洗浄剤、洗剤保存剤、洗車シャンプー、洗車およびワックス製品、装飾金属用つや出し剤、装飾金属用保護被膜、プラスチック洗浄剤、タールリムーバー、ウインドウクリーナー、エンジンクリーナーなどがある。
【０１２２】
接着剤、シーラント、コーティング剤および／または溶媒含有液は同様に、本発明の好ましい消費者製品であり得る。
【０１２３】
好ましい化粧組成物は好ましくは以下のものである。
（ａ）スキンケア用化粧組成物、特に、入浴調製物、皮膚洗浄・クリーニング組成物、スキンケア組成物、眼用化粧品、リップケア組成物、ネイルケア組成物、個人用衛生組成物、フットケア組成物、シャワージェル
（ｂ）特殊な効果を有する化粧組成物、特に、光保護組成物、皮膚日焼け用組成物、脱色素組成物、消臭剤、制汗剤、除毛組成物、ひげ剃り用組成物、香り組成物
（ｃ）デンタルケア用化粧組成物、特に、デンタルケア・オーラルケア用組成物、義歯ケア組成物、入れ歯洗浄剤、入れ歯接着剤
（ｄ）ヘアケア用化粧組成物、特に、洗髪組成物、ヘアケア組成物、ヘアセット組成物、ヘアシェーピング組成物、毛染め剤
【０１２４】
本発明の消費者製品、特に化粧組成物の好ましい成分は、それらの機能により規定することができる。もちろん、いくつかの成分は多機能である場合もある。本発明の消費者製品、好ましくは化粧品の好ましい成分は以下のものであり得る。
ａ）吸収剤
これらは、好ましくは水溶性および／または油溶性の溶解された物質または微細な物質を吸収する働きをする。
ｂ）抗菌物質
これらは、一般に例えば皮膚上および口腔中の微生物の活性を抑えるために製品に添加することができる。
ｃ）抗酸化剤
これらは、酸化などの酸素により誘発される反応を防ぐよう働かせ、製品の保存寿命を延長する、すなわち、製品の品質を保持することを意図する。
ｄ）制汗剤
これらは、好ましくは化粧品に用い、発汗を抑える。
ｅ）消泡剤
これらは、例えば製造中の消泡、または最終製品に過度に気泡形成が起こる傾向を抑えるために添加することができる。
ｆ）ふけ取り有効成分
これらは、ふけの形成を打ち消し得るので、主としてヘアケア製品に用いられる。
ｇ）帯電防止剤
これらは、例えば、ヘアケア製品の適合助剤である。これらは、一般に対象、例えば髪の表面の静電気帯電を軽減する。従って、極めて容易に髪をとかすことができる。
ｈ）結合剤
これらは、例えば、化粧組成物などの微粉製品の密着を確保するものである。
ｉ）生物起源の物質
これらは、例えば緑茶抽出物などのある種の植物成分である。これらは、製品に対応する生物材料に関連するある種の望ましい特性を付与するか、またはさらに既存の特性を改良する、もしくは望ましくない特性を抑制する、もしくはできる限り軽減することを意図する。
【０１２５】
ｊ）漂白剤
これらは、例えば、髪または皮膚の色調を明るくする働きをする。
ｋ）キレート剤
これらは、例えば、金属イオンとの錯体を形成するために化粧組成物に加えられ、それにより、例えば組成物の安定性および／または外観を操作する。
ｌ）脱臭剤／制汗剤
これらは、不快な体臭の生成の防止または軽減に寄与し得る。これらは、このような臭いを隠し、場合によっては発汗を軽減することができる。
ｍ）皮膚軟化剤
化粧品分野では、これらは、例えば、皮膚を軟らかく、滑らかにする働きを持つ。
ｎ）乳化剤
これらは、水と油などの互いに不混和性の液体を好ましくは安定に分配することのできる界面活性物質である。
ｏ）エマルション安定剤
これらは、なおさらに乳化の過程を補助し（乳化剤と比較）、そのようにしてさらに製品の安定性および保存寿命を改良することはできる。
ｐ）除毛剤
これらは、好ましくは体毛の選択的除去のための働く。
ｑ）保湿剤
これらは、皮膚の水分の保持または回復、および皮膚の乾燥の防止に寄与し得る。
ｒ）皮膜形成剤
これらは、例えば化粧組成物において、表面、好ましくは皮膚、毛髪または爪に保護、安定化皮膜を形成させることができる。
ｓ）染料
これらは、例えば、製品の着色を行うため、または間接的な対象の着色、例えばヘアカラーを行うための化粧品に加えられる。
ｔ）保存剤
これらは、例えば、微生物（細菌、真菌、酵母）の有害な作用から保護し、組成物の分解を回避するために化粧組成物に加えられる。
ｕ）腐食防止剤
これらは、例えば、化粧組成物のパッケージングの腐食、またはそうでなければ組成物と直接接触するようになる部分の腐食を防ぐ働きをし得る。
【０１２６】
ｖ）溶媒
これらは、例えば、液体化粧調製物の基本であり、または固体製品の構成要素としても使用可能である。
ｗ）オーラルケア物質
これらは、歯および歯茎のケアに働き得る。
ｘ）酸化剤
これらは、酸化により、別の物質の化学的性質を変化させる働きをし得る。
ｙ）ｐＨ調整剤／緩衝物質
化粧品では、例えば、これらは、望ましいｐＨを確立し、かつ／または安定化させる働きをし得る。
ｚ）還元剤
これらは、レドックス反応により別の物質の化学的性質を変化させることができる。
ａａ）研磨剤
これらは、例えば歯の機械的洗浄を補助するため、または歯の輝きを高めるために、種々の（身体）表面から物質を除去する働きをし得る。
ｂｂ）界面活性剤／洗浄活性物質
これらは、洗浄目的で働く界面活性化合物である。
ｃｃ）噴射ガス
これらは、例えば化粧組成物などの製品と共に耐圧容器中に加圧して封入され、脱圧時に内容物を噴射するためのガス物質である。
ｄｄ）乳白剤
これらは、好ましくは、可視光または近可視光に対して不透過性とするために、透明または半透明製品に加えることができる。
ｅｅ）ＵＶ吸収剤／フォトフィルター物質
これらは、ある種の紫外線を除去することができ、そのようにして例えば早期の光誘導性加齢から、また、日焼けから皮膚を保護することができる。
ｆｆ）変性剤
これらは、例えば組成物を不快とするためのエタノールを含む化粧組成物に加える。
ｇｇ）粘度調節剤
これらは、製品の粘度を高めたり、低めたりすることができる。
【０１２７】
好ましい態様によれば、本発明の製品、好ましくは化粧組成物には上述の成分が存在し得る。
【０１２８】
本発明によれば、ある種の香料が製品中、好ましくはある種の製品中に存在するのが極めて有利であり得る。
【０１２９】
本発明の製品が、ガラキソリド（Galaxolide）、ジヒドロミルセノール、４−ｔｅｒｔ−ブチルシクロヘキシルアセテート、γ−イソ−メチルイオノン、テトラヒドロリナロール、ヘキシルシンナムアルデヒド、リリアール、リナロール、アミルシンナムアルデヒド、６−メチル−γ−イオノン、メチルオレエート、ネリルアセテート、１５−ペンタデカラクトン、フェノキシエチルイソブチレート、フェニルエチルメタノエート、ａ−ピネン、ｂ−ピネン、ローズオキシド、サビネン、アネトール、２−ヒドロキシペンチルベンゾエート、ジフェニルエーテル、ベンゾフェノン、シクラメンアルデヒド、ａ−ダマスコン、デカナール、ジシクロペンタジエンアルコール、アリルシクロヘキシルプロピオネート、イソボルニルアセテート、ボルニルアセテート、ジヒドロメチルジャスモネート、ユーカリプトール、ｎ−ドデカノール、エチルパルミテート、ゲラニオールアセテート、ヘキシルアセテート、ｎ−ヘキシルサリチレート、ａ−イオノン、l−リモネン、メチルパルミテート、２−ナフチルメチルケトン、イソプロピルミリステート、ローズフェノン、ａ−テルピネオール、スチラリルアセテート、ツジョプセン、ジメチルベンジルカルビニルブチレート、ｄ−リモネン、ジメチルベンジルカルビニルアセテート、シトロネロール、２−ｔｅｒｔ−ブチルシクロヘキサノール、カリオフィレン、エチルステアレート、トナリド、２，４−ヘキサジエナール、メタノアズレン、メチルラウレート、メチルミリステート、２−メチルウンデカナール、ミルセン、ノナナール、酢酸ノピル、１５−ペンタデカラクトン、β−フェランドレン、３−フェニル−２−メチルプロペン、ローズアセテート、トラセオリド、ウィドレンおよび／またはｄ−リモネンの群から選択される少なくとも１種類の香料、好ましくは２種類、３種類またはそれを超える香料を含むのが好ましい態様に当たる。
【０１３０】
ここで、これらの香料は、最も好ましくは、メチルオレエート、メチルパルミテート、メチルラウレート、ユーカリプトール、ジヒドロメチルジャスモネート、ジメチルベンジルカルビニルアセテート、ジフェニルエーテル、ヘキシルシンナムアルデヒド、リリアール、リナロール、メチルオレエート、メチルミリステート、ｄ−リモネン、ジヒドロミルセノール、４−ｔｅｒｔ−ブチルシクロヘキシルアセテート、ａ−ダマスコン、ａ−テルピネオール、トナリド、ガラキソリド、ドデカノール、イソプロピルミリステート、γ−イソメチルイオノン、イソボルニルアセテート、ボルニルアセテート、６−メチル−γ−イオノンおよび／またはテトラヒドロリナロールである。
【０１３１】
芳香ジヒドロミルセノールは、とりわけ、好ましくは固体中、好ましくは微粉製品中、特には洗剤および機械洗浄用洗剤中に存在する。芳香ｄ−リモネンは、好ましくは液体製品中、好ましくはゲル様製品中、特には洗浄剤中に存在し得る。上記の態様は、本発明の製品が洗剤または洗浄剤である場合に極めて好ましい。
【０１３２】
特に好ましい製品としてまた空気清浄剤がある。このような製品は揮発性物質と、ほとんどの場合、有利には極めて少量でもいやな臭いを隠すことができる、よい香りの物質を含む。リビング空間の空気清浄剤は、針葉樹油、柑橘油、ユーカリ油、ラベンダー油などの、特に天然および合成精油を例えば５０重量％までの量で含む。エアゾールとして、それらはむしろ、いっそう好ましくは、アセトアルデヒド（特に＜０．５重量％）、イソプロピルアルコール（特に＜５重量％）、鉱油（特に＜５重量％）および噴射ガスなどの物質の代わりに少量、例えば５重量％未満または２重量％未満の精油を含む。他の投与形態としては、スティックおよびブロックがある。それらの製造では、好ましくは精油のゲル濃縮物を用いる。さらに、さらなる成分が可能な場合は、ホルムアルデヒド（保存のため）およびクロロフィル（好ましくは＜５重量％）を加えることができる。
【０１３３】
しかしながら、空気清浄剤はリビング空間に限定されないばかりか、自動車、食器棚、食器洗浄機、冷蔵庫、靴も意図され、掃除機での適用もあり得る。家庭では（例えば、食器棚）、臭気改良剤の他、殺菌薬も用いられ、殺菌剤は好ましくはリン酸カルシウム、タルク、ステアリンおよび精油を、例えば小袋の形態で含む。
【０１３４】
本発明の組成物は、対象物、表面または空間、好ましくは繊維織物、家庭内の表面、靴、ゴミ箱、リサイクル容器、空気、比較的大きな家庭用電気器具、ネコの敷物、ペット、ペットの寝床、特に布製品、カーペット、敷物材料、カーテン、メッシュカーテン、装飾家具、ベッド、テント、寝袋、車のシート、車のカーペット、車の繊維内装、棒の表面、壁、床、浴室面、キッチン面、冷蔵庫、冷凍庫、洗濯機、食器洗浄機、回転式乾燥機、オーブンおよび電子レンジの芳香付けに、直接または間接的に用いることができる。これに関してこの組成物は所望の形態で適用することができ、例えばスプレーアプリケーターによりスプレーすることができる。
【０１３５】
さらに好ましい態様によれば、この香油は以下の群から選択される物質を含むことができる。
・果実、果実部分および／または他の植物部分、好ましくはハーブのエッセンス、それから得られる薬物、香油、好ましくはテルペン不含油および／または
・人工エッセンス、好ましくは合成香料および／またはフレーバー由来のもの、特に好ましくは、バニリン、メントールおよび／またはユーカリプトールおよび／または
・アロマ、好ましくは、精油、アニス油、スターアニス油、ビターアーモンド油、ユーカリ油、ウイキョウ油、ペパーミント油、レモン油、冬緑油、クローブ油、メントールおよび／またはキャラウェイ油および／または
・エステル型の合成芳香化合物、好ましくは、ベンジルアセテート、フェノキシエチルイソブチレート、ｐ−ｔｅｒｔ−ブチルシクロヘキシルアセテート、リナリルアセテート、ジメチルベンジルカルビニルアセテート、フェニルエチルアセテート、リナリルベンゾエート、ベンジルホルメート、エチルメチルフェニルグリシネート、アリルシクロヘキシルプロピオネート、スチラリルプロピオネートおよび／またはベンジルサリチレートおよび／または
・エーテル型の合成芳香化合物、好ましくは、ベンジルエチルエーテルおよび／または
・アルデヒド型の合成芳香化合物、好ましくは、８〜１８の炭素原子を有する直鎖アルカナール、シトラール、シトロネラル、シトロネリルオキシアセトアルデヒド、シクラメンアルデヒド、ヒドロキシシトロネラル、リリアールおよび／またはブルゲオナールおよび／または
・ケトン型の合成芳香化合物、好ましくは、イオノン、イソメチルイオノンおよび／またはメチルセドリルケトンおよび／または
・アルコール型の合成芳香化合物、好ましくは、アネトール、シトロネルシトロネロール、オイゲノール、ゲラニオール、リナロール、フェニルエチルアルコールおよび／またはテルピネオールおよび／または
・炭化水素型の合成芳香化合物、好ましくはテルペン類、好ましくはリモネンおよびピネンおよび／または
・植物源由来の天然芳香混合物、好ましくは、マツ、柑橘、ジャスミン、パチョリ、バラまたはイランイラン油、クラリーセージ油、カモミール油、クローブ油、メリッサ油、ミント油、シンナモン葉油、リンデン花油、杜松子油、ベチベル油、乳香油、ガルバヌム油、ラブダナム油、オレンジ花油、ネロリオール、オレンジ皮油および／またはビャクダン油。
【０１３６】
意図される特定の使用によって、芳香、すなわち香油構成成分の放出を加速または遅延させることが有利な場合がある。例えば、本発明の組成物を洗濯液または洗浄液に用いた場合、放出を遅延させるのが有利である。それは、このような場合、芳香が処理された物品上に完全に展開することのみが望ましいことだからである。
【０１３７】
しかしながら、例えば硬質面を洗浄する場合には、芳香または香油は洗浄工程の間、本質的に均一な速度で展開することが望ましい場合もある。
これらの目的では、香油は担体物質と組み合わせることができるか、または担体物質に組み込むことができ、これは好ましい態様に相当する。
芳香または香油にとって好適な担体物質は好ましくは、ポリマー、シロキサン、有機基で変性されたシリコーン含有化合物、ベタイン、パラフィン、界面活性剤、特に、エトキシル化脂肪アルコール、脂肪酸、シリコーン油および／または脂肪アルコール、好ましくは、親油性物質（融点が２５℃より高い親油性物質が特に好ましい）からなる群から選択され得る。
【０１３８】
本発明に従って使用可能な芳香および香油のための、本発明に従う特に好適である担体物質は、ワックス、パラフィン、ポリアルキレングリコールなどからなる群から選択される溶融性または軟化性物質である。これらの溶融性または軟化性物質は約４５℃〜約７５℃の間の融点を持つ。本発明の場合では、これは、融点が示されている温度範囲内にあることを意味するものであって、その融点の範囲を表すものではない。
【０１３９】
「ワックス」は、通常、４０℃を超える温度で分解無く融解する一連の天然または合成物質を意味すると理解され、融点よりもやや高い温度であっても、比較的低粘度で、糸引きがない。ワックスは温度依存性の高いコンシステンシーおよび溶解度を有する。ワックスはその起源によって、天然ワックス、化学変性ワックスおよび合成ワックスの３群に分類される。
【０１４０】
天然ワックスとしては例えば、カンデリラ蝋、カルナウバ蝋、木蝋燭、アフリカハヤガネ蝋、コルク蝋、グアルマ蝋、コメヌカ蝋、サトウキビ蝋、オーリクリー(ouricury)蝋、またはモンタン蝋などの植物蝋、蜜蝋、セラック蝋、鯨蝋、ラノリン（羊毛蝋）、または尾蝋などの動物蝋、セレシンまたはオゾケライト（地蝋）などの無機蝋、あるいは石油、パラフィン蝋または微晶質蝋などの石油化学蝋が挙げられる。
【０１４１】
化学変性蝋としては、例えば、モンタンエステルワックス、サッソールワックスまたは水添ホホバ油が挙げられる。
【０１４２】
合成ワックスは、一般にポリアルキレンワックスまたはポリアルキレングリコールワックスを意味すると理解される。冷却により固化する物質として使用可能な溶融性または軟化性物質は、軟化点に関して示されている要件を満たす他種の物質に由来する化合物でもある。好適な合成化合物は例えばフタル酸の高級エステル、特に、Ｕｎｉｍｏｌｌ（登録商標）６６（Ｂａｙｅｒ  ＡＧ）の名称で市販されているジシクロヘキシルフタレートであることが分かっている。また、低級カルボン酸および脂肪アルコール、例えば、Ｃｏｓｍａｃｏｌ（登録商標）ＥＴＬＰ（Ｃｏｎｄｅａ）の名称で市販されているジミリスチルタルタレートから合成的に製造されるワックスも好ましい。これに対し、低級アルコールと天然源からの脂肪酸との合成または部分合成エステルも使用可能である。この物質種としては例えば、Ｔｅｇｉｎ（登録商標）９０（Ｇｏｌｄｓｃｈｍｉｄｔ）、モノステアリン酸グリセロールパルミテートが挙げられる。同様にセラック、例えばＳｈｅｌｌａｃｋ−ＫＰＳ−Ｄｒｅｉｒｉｎｇ−ＳＰ（Ｋａｌｋｈｏｆｆ  ＧｍｂＨ）も、本発明に従い溶融性または軟化性物質として使用可能である。
【０１４３】
本発明の目的では、ワックスとして、いわゆるワックスアルコールも含む。ワックスアルコールは比較的分子量が高く、一般に約２２〜４０個の炭素原子を有する水に不溶な脂肪アルコールである。これらのワックスアルコールは例えば、多くの天然ワックスの主要な構成要素として比較的高分子量の脂肪酸のワックスエステル（ワックス酸）の形態で存在する。ワックスアルコールの例としては、リグノセリルアルコール（１−テトラコサノール）、セチルアルコール、ミリスチルアルコールまたはミリシルアルコールがある。使用可能なさらなる溶融性および軟化性物質としては羊毛蝋アルコールがあり、トリテルペノイドアルコールおよびステロイドアルコール、例えば、ラノリンを意味するものと理解され、例えば商標Ａｒｇｏｗａｘ（登録商標）（Ｐａｍｅｎｔｉｅｒ  ＆  Ｃｏ）として市販されている。同様に溶融性または軟化性物質の構成要素として少なくとも比例的に使用可能なものとしては、本発明では、脂肪酸グリセロールエステルまたは脂肪酸アルカノールアミド、また、所望により、水に不溶であるか、または水に難溶性のポリアルキレン  グリコール化合物がある。
【０１４４】
特に好ましい溶融性または軟化性担体物質としては、ポリエチレングリコール（ＰＥＧ）および／またはポリプロピレングリコール（ＰＰＧ）からなる群から選択されるものがあり、分子量が１５００〜３６，０００の間であるポリエチレングリコールが好ましく、分子量が２０００〜６０００のものが特に好ましく、分子量が３０００〜５０００のものが特に好ましい。可塑的変形性材料がポリエチレングリコール（ＰＥＧ）および／またはポリプロピレングリコール（ＰＰＧ）の少なくとも１種類の物質を含むことを特徴とする対応する方法が好ましい。
【０１４５】
ここで、単一の溶融性または軟化性物質としてプロピレングリコール（ＰＰＧ）および／またはポリエチレングリコール（ＰＥＧ）を含む物質が特に好ましい。本発明に従って使用可能なポリプロピレングリコール（略称ＰＰＧ）は、下記一般式を満たす（ｎは１０〜２０００の間の値である）プロピレングリコールのポリマーである。好ましいＰＰＧはｎの値が１７〜約１７０の間に相当する１０００〜１０，０００の分子量を有する。
【０１４６】
ポリマー保持物質として本発明に従って好ましく使用できるポリエチレングリコール（略称ＰＥＧ）はここでは、一般式：Ｈ−（Ｏ−ＣＨ２−ＣＨ２）ｎ−ＯＨ（式中、ｎは２０〜約１０００の間の値である）を満たすエチレングリコールのポリマーである。上述の好ましい分子量範囲は、ここでは式ＶＩのＮ値の好ましい範囲３０〜８２０、特に３４〜８１８、特に好ましくは４０〜１５０、特に４５〜１３６、よりいっそう好ましくは７０〜１２０、特には６８〜１１３に相当する。
【０１４７】
よって、本発明のさらに好ましい態様によれば、本発明の製品は保持された芳香または香油を含み、この保持物質は好ましくは、ポリマー、シロキサン、有機基で変性されたシリコーン含有化合物、ベタイン、パラフィン、界面活性剤、特にエトキシル化脂肪アルコール、脂肪酸、シリコーン油および／または脂肪アルコール、好ましくは親油性物質からなる群から好ましく選択され、融点が２５℃より高い親油性物質が特に好ましい。
【０１４８】
本発明の製品のさらに好ましい態様によれば、保持された香油の場合には、香油と保持物質の比は、２０：１〜１：１０、好ましくは５：１〜１０：１、好ましくは３：１の範囲である。
【０１４９】
さらなる好ましい態様では、本発明に従って用いられる溶融性および軟化性保持物質は主としてパラフィンワックスを含む。これは、存在する全溶融性または軟化性物質の少なくとも５０重量％、好ましくはそれ以上がパラフィンワックスからなることを意味する。パラフィンワックス含量は（溶融性または軟化性物質の総量に対して）約６０重量％、約７０重量％または約８０重量％であるのが特に適しており、例えば９０重量％を超えるようなさらに高い画分が特に好ましい。本発明の特定の態様では、少なくとも１つの物質の溶融性または軟化性物質の全量が、もっぱらパラフィンワックスからなる。
【０１５０】
本発明では、パラフィンワックスは加水分解性基を含まないことから、（例えばワックスエステルの場合に予測されるような）アルカリ洗浄組成物の環境でワックスの加水分解が起こらないという点で、他の特定の天然ワックスに優る利点がある。
【０１５１】
パラフィンワックスは、主としてアルカンと、イソアルカンおよびシクロアルカンの少量とからなる。本発明に従って使用可能なパラフィンは好ましくは、本質的に融点が７０℃より高い、特に好ましくは６０℃より高い構成要素を含まない。パラフィン中の高融点アルカン画分は、洗浄組成物液の温度がこの融点より低ければ、洗浄面または洗浄物品上に望ましくないワックス残渣が残る場合がある。この種のワックス残渣は一般に洗浄面の美観を損ねるので避けるべきである。
【０１５２】
好ましい処理のための溶融性または軟化性保持物質または保持物質混合物は、融点範囲が５０℃〜６０℃の少なくとも１つのパラフィンワックスを含み、好ましい方法は、変形性物質が５０℃〜５５℃の融点範囲を有するパラフィンワックスを含むことを特徴とする。
【０１５３】
香油とともに用いるのに好ましい保持物質はまた、水溶性ポリマーの群からも選択することができ、そのうち最も重要なものだけを挙げると、水溶性非イオン性ポリマー（ポリビニルピロリドン、ビニルピロリドン／ビニルエステルコポリマー、セルロースエーテル）；水溶性両性ポリマー（アルキルアクリルアミド／アクリル酸コポリマー、アルキルアクリルアミド／メタクリル酸コポリマー、アルキルアクリルアミド／メチルメタクリル酸コポリマー、アルキルアクリルアミド／アクリル酸／アルキルアミノアルキル（メタ）アクリル酸コポリマー、アルキルアクリルアミド／メタクリル酸／アルキルアミノアルキル（メタ）アクリル酸コポリマー、アルキルアクリルアミド／メチルメタクリル酸／アルキルアミノアルキル（メタ）アクリル酸コポリマー、アルキルアクリルアミド／アルキルメタクリレート／アルキルアミノエチルメタクリレート／アルキルメタクリレートコポリマー）；不飽和カルボン酸のコポリマー、カチオン誘導体化不飽和カルボン酸、所望により、さらなるイオン性または非イオン性モノマー；水溶性双性イオン性ポリマー（アクリルアミドアルキルトリアルキルアンモニウムクロリド／アクリル酸コポリマーおよびそれらのアルカリ金属塩およびアンモニウム塩、アクリルアミドアルキルトリアルキルアンモニウムクロリド／メタクリル酸コポリマーおよびそれらのアルカリ金属塩およびアンモニウム塩、メタクロイルエチルベタイン／メタクリレートコポリマー）；水溶性アニオン性ポリマー（ビニルアセテート／クロトン酸コポリマー、ビニルピロリドン／ビニルアクリレートコポリマー、アクリル酸／エチルアクリレート／Ｎ−ｔｅｒｔ−ブチルアクリルアミドターポリマー、ビニルエステルのグラフトポリマー、アクリル酸またはメタクリル酸のエステル単独または混合物、クロトン酸、アクリル酸またはメタクリル酸とポリアルキレンオキシドおよび／またはポリアルキレングリコールとの共重合物）；グラフトおよび架橋コポリマー（ａ）非イオン型の少なくとも１つのモノマー、ｂ）イオン型の少なくとも１つのモノマー、ｃ）ポリエチレングリコールおよびｄ）架橋剤の共重合からのもの）；
【０１５４】
以下の各３群ａ）不飽和アルコールおよび短鎖飽和カルボン酸のエステルおよび／または短鎖飽和アルコールおよび不飽和カルボン酸のエステル、ｂ）不飽和カルボン酸、ｃ）長鎖カルボン酸および不飽和アルコールのエステルおよび／または飽和または不飽和、直鎖または分枝Ｃ８−１８−アルコールからなる群から選択されるカルボン酸のエステルの少なくとも１つのモノマーの共重合により得られるコポリマー；クロトン酸、ビニルアセテートおよびアリルまたはメタリルエステルのターポリマー；ａ）クロトン酸またはアリルオキシ酢酸、ｂ）ビニルアセテートまたはビニルプロピオネート、ｃ）分枝アリルまたはメタリルエステル、ｄ）ビニルエーテル、ビニルエステルまたは直鎖アリルまたはメタリルエステルのテトラポリマーおよびペンタポリマー；エチレン、ビニルベンゼン、ビニルメチルエーテル、アクリルアミドおよびその水溶性塩からなる群から選択される１以上のモノマーを用いたクロトン酸コポリマー；ビニルアセテート、クロトン酸およびｘ位で分枝した飽和脂肪族モノカルボン酸のビニルエステルのターポリマー；水溶性カチオン性ポリマー（第四級化セルロース誘導体、第四級基を有するポリシロキサン、カチオン性グアー誘導体、ポリマージメチルジアリルアンモニウム塩およびアクリル酸およびメタクリル酸のエステルおよびアミドとのそのコポリマー、ビニルピロリドンとジアルキルアミノアクリレートおよびジアルキルアミノメタクリレートの第四級化誘導体とのコポリマー、ビニルピロリドン−メトイミダゾリニウムクロリドコポリマー、第四級化ポリビニルアルコール、ＩＮＣＩ名Ｐｏｌｙｑｕａｔｅｒｎｉｕｍ  ２、Ｐｏｌｙｑｕａｔｅｒｎｉｕｍ  １７、Ｐｏｌｙｑｕａｔｅｒｎｉｕｍ  １８およびＰｏｌｙｑｕａｔｅｒｎｉｕｍ  ２７として示されるポリマーである。本発明の目的での水溶性ポリマーの形態における担体物質は、室温で水中２．５重量％を超える溶解度のポリマーである。本発明によれば、保持物質は単独または混合して使用することができる。
【０１５５】
従って、好ましい態様によれば、本発明の組成物は保持された香油を含む。
【０１５６】
さらなる好ましい態様によれば、本発明の製品、例えば、特に、洗浄組成物、ケア組成物またはクリーニング組成物は、有利にはアニオン性界面活性剤、カチオン性界面活性剤、両性界面活性剤、非イオン性界面活性剤、酸性化剤、アルカリ性化剤、折り目防止化合物、抗菌物質、抗酸化剤、再付着防止剤、帯電防止剤、ビルダー物質、漂白剤、漂白促進剤、漂白安定剤、漂白触媒、アイロン助剤、共ビルダー、防しわ剤、電解質、酵素、着色防止剤、着色剤、染料、色移り防止剤、蛍光剤、殺真菌剤、殺菌剤、臭気複合物質、助剤、ヒドロトロープ、すすぎ助剤、錯化剤、保存剤、腐食防止剤、蛍光増白剤、芳香担体、パール化剤、ｐＨ調整剤、疎化剤・含浸剤、ポリマー、膨潤および滑り防止剤、発泡防止剤、層状シリケート、防汚物質、銀保護剤、シリコーン油、ＵＶ保護物質、粘度調節剤、増粘剤、変色防止剤、黒ずみ防止剤、ビタミンおよび／または繊維柔軟剤からなる群から選択される、少なくとも１つの、好ましくは２つのまたはそれを超える活性成分、特に洗浄活性成分、ケア活性成分および／またはクリーニング活性成分を有する。
【０１５７】
本発明の目的では、特に断りのない限り、本発明の製品に関する重量％のデータは、本発明の製品の総重量に対するものである。本発明の製品、消費者製品および組成物とは、特に断りのない限り同義で用いられる。
【０１５８】
本発明の組成物中の個々の成分の量は、各場合において、対象とする組成物の意図する用途により規定され、当業者ならばそれら成分の使用量の範囲を知っているか、または関連の技術文献からそれらが分かる。例えば、選択された界面活性剤含量は本発明の組成物の意図する使用によって高くても低くてもよい。例えば洗濯洗剤の界面活性剤含量は、通常は例えば１０〜５０重量％の間、好ましくは１２．５〜３０重量％の間、特には１５〜２５重量％の間であり得るが、例えば機械食器洗浄用洗剤は、通常０．１〜１０重量％の間、好ましくは０．５〜７．５重量％の間、特には１〜５重量％の間の界面活性剤を含み得る。
【０１５９】
以下、本発明の組成物の好ましい成分をさらに詳しく説明する。好ましくは、本発明の製品中にはアニオン性界面活性剤が存在する。用いるアニオン性界面活性剤は、例えば、スルホネート型およびスルフェート型のものである。スルホネート型の好適な界面活性剤は、好ましくは、例えば、末端または内部二重結合を有するＣ１２−１８−モノオレフィンから、三酸化硫黄ガスによるスルホン化とそのスルホン化生成物のその後のアルカリ加水分解または酸加水分解により得られるような、Ｃ９−１３−アルキルベンゼンスルホネート、オレフィンスルホネート、すなわち、アルケンスルホネートおよびヒドロキシアルカンスルホネートおよびジスルホネートの混合物である。Ｃ１２−１８−アルカンから、例えば、その後に加水分解と中和を伴うスルホクロロ化またはスルホキシド化により得られるアルカンスルホネートも好適である。α−ポリヒドロキシ脂肪酸のエステル（エステルスルホネート）、例えば、水添ココナッツ、パーム核または獣脂脂肪酸のα−スルホン化メチルエステルも好適である。
【０１６０】
さらなる好適なアニオン性界面活性剤として、硫酸化脂肪酸グリセロールエステルがある。脂肪酸グリセロールエステルは、１〜３ｍｏｌの脂肪酸を用いたモノグリセロールのエステル化による製造で、または０．３〜２ｍｏｌのグリセロールを用いたトリグリセリドのエステル交換で得られるような、モノエステル、ジエステルおよびトリエステル、ならびにその混合物を意味するものと理解される。ここで好ましい硫酸化脂肪酸グリセロールエステルは、６〜２２個の炭素原子を有する飽和脂肪酸、例えばカプロン酸、カプリル酸、カプリン酸、ミリスチン酸、ラウリン酸、パルミチン酸、ステアリン酸またはベヘン酸の硫酸化生成物である。
【０１６１】
好ましいアルキル（アルケニル）スルフェートは、例えばココナッツ脂肪アルコール、獣脂脂肪アルコール、ラウリルアルコール、ミリスチルアルコール、セチルアルコールまたはステアリルアルコールなどのＣ１２−Ｃ１８−脂肪アルコール、またはＣ１０−Ｃ２０−オキソアルコールの硫酸半エステル、あるいはこれらの鎖長を有する第二級アルコールの半エステルの、アルカリ金属塩、特に、ナトリウム塩である。また、石油化学に基づいて製造される合成直鎖アルキル基を含み、脂肪化学原料に基づく同等の化合物に類似した分解挙動を有する、上記鎖長のアルキル（アルケニル）スルフェートも好ましい。洗浄という点からは、Ｃ１２−Ｃ１６−アルキルスルフェートおよびＣ１２−Ｃ１５−アルキルスルフェート、およびＣ１４−Ｃ１５−アルキルスルフェートが好ましい。ＤＡＮ（登録商標）の名称でＳｈｅｌｌ  Ｏｉｌ  Ｃｏｍｐａｎｙの市販品として得られる２，３−アルキルスルフェートも好適なアニオン性界面活性剤である。
【０１６２】
また、平均３．５ｍｏｌのエチレンオキシド（ＥＯ）を含む２−メチル分枝Ｃ９−１１−アルコールまたは１〜４ＥＯ含有Ｃ１２−１８−脂肪アルコールのような、１〜６ｍｏｌのエチレンオキシドでエトキシル化された直鎖または分枝Ｃ７−２１−アルコールの、硫酸モノエステルも好ましい。その高い発泡挙動のため、それらは特に洗浄組成物に、好ましくは比較的少量でのみ、例えば１〜５重量％の量で用いられる。
【０１６３】
さらなるアニオン性界面活性剤として、塩基性触媒の存在下で脂肪アルコールエトキシレートとナトリウムクロロアセテートを反応させることにより得られるエーテルカルボン酸がある。それらは一般式：Ｒ１０Ｏ−（ＣＨ２−ＣＨ２−Ｏ）ｐ−ＣＨ２−ＣＯＯＨ（式中、Ｒ１０＝Ｃ１−Ｃ１８およびｐ＝０．１〜２０）を有する。エーテルカルボン酸は水の硬度に敏感ではなく、ひときわ優れた界面活性特性を示す。
【０１６４】
好適なアニオン性界面活性剤としてまた、例えば、酸価１０〜１４０を有する鎖長１０〜２５炭素原子の少なくとも一価の不飽和カルボン酸上の、無水マレイン酸のエン付加物と、ジヒドロキシアルカンまたはポリヒドロキシアルカン、単糖類および二糖類、ポリエチレングリコールとの部分エステルがある。
【０１６５】
好ましいアニオン性界面活性剤は、非分枝または分枝、飽和または不飽和、脂肪族または芳香族、非環式または環式の、所望によりアルコキシル化された、４〜２８個、好ましくは６〜２０個、特に８〜１８個、特に好ましくは１０〜１６個、格段に好ましくは１２〜１４個の炭素原子のアルキル基の他、２以上のアニオン性、特に２つの酸基、好ましくはカルボキシレート基、スルホネート基および／またはスルフェート基、特に１個のカルボキシレート基と１個のスルフェート基を有する。これらの化合物の例としては、スルホ脂肪酸塩、アシルグルタメート、モノグリセリドジスルフェート、およびグリセロールジスルフェートのアルキルエーテル、特に下記のモノエステル化スルホスクシネートがある。
【０１６６】
特に好ましいアニオン性界面活性剤としては、スルホスクシネート、スルホスクシナメートおよびスルホスクシンアミド、特にスルホスクシネートおよびスルホスルホスクシナメート、格段に好ましくはスルホスクシネートがある。スルホスクシネートはスルホコハク酸ＨＯＯＣＣＨ（ＳＯ３Ｈ）ＣＨ２ＣＯＯＨのモノエステルおよびジエステルの塩であり、スルホスクシナメートはスルホコハク酸のモノアミドの塩を意味するものと理解され、スルホスクシンアミドはスルホコハク酸のジアミドの塩を意味するものと理解される。
【０１６７】
これらの塩は好ましくは、アルカリ金属塩、アンモニウム塩、また、モノアルキルアンモニウム塩、ジアルキルアンモニウム塩およびトリアルキルアンモニウム塩、例えば、モノエタノールアンモニウム塩、ジエタノールアンモニウム塩またはトリエタノールアンモニウム塩、特に、リチウム塩、ナトリウム塩、カリウム塩またはアンモニウム塩、特に好ましくはナトリウム塩またはアンモニウム塩、格段に好ましくはナトリウム塩である。
【０１６８】
スルホスクシナメートでは、スルホコハク酸の１つまたは２つのカルボキシル基は、好ましくは１つまたは２つの同じまたは異なる非分枝または分枝、飽和または不飽和、非環式または環式の、所望によりアルコキシル化された、４〜２２個、好ましくは６〜２０個、特に８〜１８個、特に好ましくは１０〜１６個、格段に好ましくは１２〜１４個の炭素原子を有するアルコールでエステル化されている。非分枝および／または飽和および／または非環式および／またはアルコキシル化アルコール、特に、非分枝飽和脂肪アルコール、および／またはエチレンオキシドおよび／またはプロピレンオキシド、好ましくはエチレンオキシドでアルコキシル化され、アルコキシル化度が１〜２０、好ましくは１〜１５、特に１〜１０、特に好ましくは１〜６、格段に好ましくは１〜４の非分枝飽和脂肪アルコールのエステルが好ましい。本発明では、モノエステルがジエステルより好ましい。特に好ましいスルホスクシネートは、例えば、スルホスクシネート含量が３０重量％であるＴｅｇｏ（登録商標）Ｓｕｌｆｏｓｕｃｃｉｎａｔｅ  Ｆ  ３０（Ｇｏｌｄｓｃｈｍｉｄｔ）として市販されているスルホコハク酸ラウリルポリグリコールエステル二ナトリウム塩（ラウリル−ＥＯ−スルホスクシネート、二ナトリウム塩；ＩＮＣＩ  Ｄｉｓｏｄｉｕｍ  Ｌａｕｒｅｔｈ  Ｓｕｌｆｏｓｕｃｃｉｎａｔｅ）がある。
【０１６９】
スルホスクシナメートまたはスルホスクシンアミドでは、スルホコハク酸の１つまたは両方のカルボキシル基が、１つまたは２つの同一または異なる、非分枝または分枝、飽和または不飽和、非環状または環状の、場合によってアルコキシル化されている、４〜２２個、好ましくは６〜２０個、特に８〜１８個、特に好ましくは１０〜１６個、格段に好ましくは１２〜１４個の炭素原子を有するアルキル基を含有する第一級または第二級アミンとカルボキサミドを形成することが好ましい。非分枝および／または飽和および／または非環状アルキル基、特に非分枝飽和脂肪アルキル基が特に好ましい。
【０１７０】
例えば、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋに詳細に記載されている、次のＩＮＣＩによる記載のスルホスクシネートおよびスルホスクシナメートもまた好適である：アンモニウムジノニルスルホスクシネート、アンモニウムラウリルスルホスクシネート、ジアンモニウムジメチコンコポリオールスルホスクシネート、ジアンモニウムラウラミド−ＭＥＡスルホスクシネート、ジアンモニウムラウリルスルホスクシネート、ジアンモニウムオレアミドＰＥＧ−２スルホスクシネート、ジアミルナトリウムスルホスクシネート、ジアカプリルナトリウムスルホスクシネート、ジシクロヘキシルナトリウムスルホスクシネート、ジヘプチルナトリウムスルホスクシネート、ジヘキシルナトリウムスルホスクシネート、ジイソブチルナトリウムスルホスクシネート、ジオクチルナトリウムスルホスクシネート、ジナトリウムセテアリルスルホスクシネート、ジナトリウムコカミドＭＥＡ−スルホスクシネート、ジナトリウムコカミドグルコシドスルホスクシネート、ジナトリウムココイルブチルグルセス−１０スルホスクシネート、ジナトリウムＣ１２−１５パレススルホスクシネート、ジナトリウムデセス−５スルホスクシネート、ジナトリウムデセス−６スルホスクシネート、ジナトリウムジヒドロキシエチルスルホスクシニルウンデシレネート、ジナトリウムジメチコンコポリオールスルホスクシネート、ジナトリウム水添コットンシードグリセリドスルホスクシネート、ジナトリウムイソデシルスルホスクシネート、ジナトリウムイソステアラミドＭＥＡ−スルホスクシネート、ジナトリウムイソステアラミドＭＩＰＡ−スルホスクシネート、ジナトリウムイソステアリルスルホスクシネート、ジナトリウムラネス−５スルホスクシネート、ジナトリウムラウラミドＭＥＡ−スルホスクシネート、ジナトリウムラウラミドＰＥＧ−２スルホスクシネート、ジナトリウムラウラミドＰＥＧ−５スルホスクシネート、ジナトリウムラウレス−６スルホスクシネート、
【０１７１】
ジナトリウムラウレス−９スルホスクシネート、ジナトリウムラウレス−１２スルホスクシネート、ジナトリウムラウリルスルホスクシネート、ジナトリウムミリスタミドＭＥＡ−スルホスクシネート、ジナトリウムノノキシノール−１０スルホスクシネート、ジナトリウムオレアミドＭＥＡ−スルホスクシネート、ジナトリウムオレアミドＭＩＰＡ−スルホスクシネート、ジナトリウムオレアミドＰＥＧ−２スルホスクシネート、ジナトリウムオレス−３スルホスクシネート、ジナトリウムオレイルスルホスクシネート、ジナトリウムパルミタミドＰＥＧ−２スルホスクシネート、ジナトリウムパルミトレアミドＰＥＧ−２スルホスクシネート、ジナトリウムＰＥＧ−４コカミドＭＩＰＡ−スルホスクシネート、ジナトリウムＰＥＧ−５ラウリルシトレートスルホスクシネート、ジナトリウムＰＥＧ−８パームグリセリドスルホスクシネート、ジナトリウムリシノレアミドＭＥＡ−スルホスクシネート、ジナトリウムシトステレス−１４スルホスクシネート、ジナトリウムステアラミドＭＥＡ−スルホスクシネート、ジナトリウムステアリルスルホスクシナメート、ジナトリウムステアリルスルホスクシネート、ジナトリウムトールアミドＭＥＡ−スルホスクシネート、ジナトリウム獣脂アミドＭＥＡ−スルホスクシネート、ジナトリウム獣脂スルホスクシナメート、ジナトリウムトリデシルスルホスクシネート、ジナトリウムウンデシレンアミドＭＥＡ−スルホスクシネート、ジナトリウムウンデシレンアミドＰＥＧ−２スルホスクシネート、ジナトリウムコムギゲルマミドＭＥＡ−スルホスクシネート、ジナトリウムコムギゲルマミドＰＥＧ−２スルホスクシネート、ジ−ＴＥＡ−オレ−アミドＰＥＧ−２スルホスクシネート、ジトリデシルナトリウムスルホスクシネート、ナトリウムビスグリコールリシノスルホスクシネート、ナトリウム／ＭＥＡラウレス−２スルホスクシネートおよびテトラナトリウムジカルボキシエチルステアリルスルホスクシナメート。さらに別の好適なスルホスクシナメートはジナトリウムＣ１６−１８−アルコキシプロピレンスルホスクシナメートである。
【０１７２】
本発明の組成物におけるアニオン性界面活性剤、好ましくは、記載したアニオン性界面活性剤の含量は、問題の組成物によって果たされる目的に応じて、広い範囲内で変動し得る。従って、本発明の組成物は、かなり大量の、好ましくは、４０重量％、５０重量％または６０重量％まで、あるいはそれを超える程度までのアニオン性界面活性剤を含み得る。本発明の組成物は、同様に、ごく少量の、例えば１５重量％もしくは１０重量％未満または５重量％未満あるいはそれより少ないアニオン性界面活性剤も含み得る。しかしながら、本発明の組成物では、アニオン性界面活性剤は、２〜３５重量％、特に５〜３０重量％の量で存在することが有利であり、１０重量％を超える、さらに１５重量％までも超える濃度が特に好ましい。好ましい態様によれば、本発明の製品は、アニオン性界面活性剤を、好ましくは、少なくとも０．１重量％の量で含む。
【０１７３】
ここで、特に明記しない限り、重量％の数値が各々の場合、組成物または消費者製品全体に言及することが指摘され得る。
【０１７４】
記載したアニオン性界面活性剤の他に、またそれらとは独立に、本発明の組成物中に石鹸が存在することが可能である。特に適しているのは、飽和脂肪酸石鹸、例えばラウリン酸、ミリスチン酸、パルミチン酸、ステアリン酸、水素添加エルシン酸およびベヘン酸の石鹸、特に、天然脂肪酸、例えば、ココナツ、パーム核または獣脂脂肪酸由来の石鹸混合物である。組成物における石鹸の含量は、他のアニオン性界面活性剤とは独立に、好ましくは、３重量％以下、特に０．５〜２．５重量％である。
【０１７５】
アニオン性界面活性剤および石鹸は、ナトリウム、カリウムまたはアンモニウム塩の形で存在し得、また有機塩基、例えばモノエタノールアミン、ジエタノールアミンまたはトリエタノールアミンの可溶性塩としても存在し得る。好ましくは、アニオン性界面活性剤および石鹸は、ナトリウムまたはカリウム塩の形、特にナトリウム塩の形で存在する。アニオン性界面活性剤および石鹸は、アニオン性界面活性酸、所望により、脂肪酸を、噴霧乾燥される組成物中に組み込んだ後、これらの酸が、噴霧乾燥される組成物中のアルカリ性の担体により中和されることにより、その場（in situ）でも調製され得る。
【０１７６】
有利には、非イオン性界面活性剤が本発明の組成物中に、すなわち固体組成物および液体組成物の両方においてさらに存在し得る。例えば、非イオン性界面活性剤の含量は、２重量％または３重量％または５重量％であり得る。便宜な場合には、より多くの非イオン性界面活性剤も、例えば５重量％までまたは１０重量％または１５重量％または２０重量％または３０重量％あるいはそれを超えて存在し得る。有用な下限値は、１重量％、２重量％、３重量％または４重量％の値であり得る。
【０１７７】
しかしながら、非イオン性界面活性剤は、好ましくは、比較的大量に、すなわちいずれの場合にも全組成物に対して５０重量％まで、有利には０．１〜４０重量％、特に好ましくは０．５〜３０重量％、特に２〜２５重量％の量で存在する。好ましい態様によれば、本発明の製品は、非イオン性界面活性剤を、好ましくは、少なくとも０．１重量％の量で含む。
【０１７８】
先行技術により知られている全ての非イオン性界面活性剤が、有利には本発明の組成物中に存在し得る。好ましい非イオン性界面活性剤については以下に示す。
【０１７９】
本発明の組成物、例えば、特に、クリーニング、ケアおよび洗浄組成物は、カチオン性界面活性剤も含むことが好ましい。好適なカチオン性界面活性剤は、例えば、界面活性第四級化合物、特にアンモニウム、スルホニウム、ホスホニウム、ヨードニウムまたはアルソニウム基を有するものである。抗菌効果を有する第四級界面活性化合物を使用することによって、抗菌効果を有し、かつ／または他の成分によってすでに存在する可能性のある抗菌効果を向上させる組成物を作ることができる。
【０１８０】
特に好ましいカチオン性界面活性剤は、一般式（ＲＩ）（ＲＩＩ）（ＲＩＩＩ）（ＲＩＶ）Ｎ＋Ｘ−（式中、ＲＩ〜ＲＩＶは、同一または異なるＣ１−２２−アルキル基、Ｃ７−２８−アラルキル基または複素環式基であり、この場合、２つの基、または、ピリジンの場合のように芳香族結合のケースでは３つの基は、窒素原子とともに、複素環、例えば、ピリジニウムまたはイミダゾリニウム化合物を形成し、Ｘ−はハロゲン化物イオン、硫酸イオン、水酸化物イオンまたは同様のアニオンである）の第四級の、一部のケースでは抗菌効果を有する、アンモニウム化合物（ＱＡＣ；ＩＮＣＩ  第四級アンモニウム化合物）である。
最適な抗菌効果を得るには、少なくとも１つの基の鎖長が８〜１８個、特に１２〜１６個の炭素原子であることが好ましい。
【０１８１】
ＱＡＣは、第三級アミンと、例えば、塩化メチル、塩化ベンジル、硫酸ジメチル、臭化ドデシル、またエチレンオキシドなどのアルキル化剤とを反応させることにより調製することができる。１つの長アルキル基と２つのメチル基を有する第三級アミンのアルキル化は特に容易に行われるが、２つの長い基と１つのメチル基を有する第三級アミンの四級化も穏和な条件下で塩化メチルを用いて行うことができる。３つの長アルキル基またはヒドロキシ置換アルキル基を有するアミンは、反応性が低く、ジメチルスルフェートを用いて四級化することが好ましい。
【０１８２】
好適なＱＡＣは、例えば、ベンザルコニウムクロリド（Ｎ−アルキル−Ｎ，Ｎ−ジメチルベンジルアンモニウムクロリド、ＣＡＳ番号８００１−５４−５）、ベンザルコンＢ（ｍ，ｐ−ジクロロベンジル−ジメチル−Ｃ１２−アルキルアンモニウムクロリド、ＣＡＳ番号５８３９０−７８−６）、ベンゾキソニウムクロリド（ベンジルドデシルビス（２−ヒドロキシエチル）アンモニウムクロリド）、セトリモニウムブロミド（Ｎ−ヘキサデシル−Ｎ，Ｎ−トリメチルアンモニウムブロミド、ＣＡＳ番号５７−０９−０）、ベンゼトニウムクロリド（Ｎ，Ｎ−ジメチル−Ｎ−［２−［２−［ｐ−（１，１，３，３−テトラメチルブチル）フェノキシ］エトキシ］エチル］ベンジルアンモニウムクロリド、ＣＡＳ番号１２１−５４−０）、ジアルキルジメチルアンモニウムクロリド、例えばジ−ｎ−デシルジメチルアンモニウムクロリド（ＣＡＳ番号７１７３−５１−５−５）、ジデシルジメチルアンモニウムブロミド（ＣＡＳ番号２３９０−６８−３）、ジオクチルジエチルアンモニウムクロリド、１−セチルピリジニウムクロリド（ＣＡＳ番号１２３−０３−５）およびチアゾリンヨージド（ＣＡＳ番号１５７６４−４８−１）ならびにそれらの混合物である。好ましいＱＡＣは、Ｃ８−Ｃ１８−アルキル基を有するベンザルコニウムクロリド、特にＣ１２−Ｃ１４−アルキルベンジルジメチルアンモニウムクロリドである。特に好ましいＱＡＣは、ココペンタエトキシメチルアンモニウムメトスルフェート（ＩＮＣＩ  ＰＥＧ−５ココモニウムメトスルフェート(PEG-5 Cocomonium Methosulfate)；Ｒｅｗｏｑｕａｔ(登録商標)ＣＰＥＭ）である。
【０１８３】
抗菌カチオン性界面活性剤と、本発明の組成物中に存在するアニオン性界面活性剤との起こり得る不適合を回避するために、使用するカチオン性界面活性剤は、できる限りアニオン性界面活性剤に対する適合性を有するものであり、かつ／またはできる限り最少の量で使用され、また、本発明の好ましい態様では、カチオン性界面活性剤は、全体に分布している。
【０１８４】
第四級アンモニウム化合物などのさらなるカチオン性界面活性剤については、以下で後に、特にコンディショナーおよび柔軟剤に関連して説明する。これらも、好ましくは、本発明の組成物中に存在してよい。
【０１８５】
本発明の組成物、例えば好ましくは、クリーニング、ケアおよび洗浄組成物は、１種類以上のカチオン性界面活性剤を、有利には全組成物に対して０〜３０重量％、より有利には０〜２０重量％を超える、好ましくは０．０１〜１０重量％、特に０．１〜５重量％の量で含み得る。また、好適な最小値は、０．５重量％、１重量％、２重量％または３重量％であってもよい。好ましい態様によれば、本発明の製品は、カチオン性界面活性剤を、好ましくは、少なくとも０．１重量％の量で含む。
【０１８６】
本発明の組成物、例えば好ましくは、クリーニング、ケアおよび洗浄組成物はまた、両性界面活性剤も同様に含み得る。これらについては、特にコンディショナーおよび柔軟剤に関連して、以下で後により詳細に記載する。
【０１８７】
本発明の組成物、例えばクリーニング、ケアおよび洗浄組成物は、１種類以上の両性界面活性剤を、有利には全組成物に対して０〜３０重量％、より有利には０〜２０重量％を超える、好ましくは０．０１〜１０重量％、特に０．１〜５重量％の量で含み得る。
【０１８８】
本発明の組成物のさらなる成分は、無機または有機ビルダー物質であってよい。無機ビルダー物質としては、水不溶性または非水溶性成分、例えばアルミノシリケート、特に、ゼオライトが挙げられる。
【０１８９】
好ましい態様では、本発明の組成物は、リン酸塩を含まず、かつ／またはゼオライトを含まない。しかしながら、組成物はゼオライトも含み得る。よって、組成物の全重量に対するこのゼオライトの割合は、５重量％未満、好ましくは、最大でも４重量％、最大でも３重量％または最大でも２重量％であることが好まれ得る。
【０１９０】
しかしながら、有利には、本発明の組成物のゼオライト含量が少なくとも１０重量％、例えば、少なくとも１５重量％または少なくとも２０重量％または少なくとも３０重量％、あるいはそれを超える、例えば少なくとも５０重量％であることも意図され得る。
【０１９１】
本発明の組成物は、可溶性ビルダーを、好ましくは、組成物の全重量に対して１０重量％〜３０重量％、好ましくは１５重量％〜２５重量％、特に好ましくは１８重量％〜２０重量％の量で含み得、炭酸ナトリウムが特に好ましい可溶性ビルダーである。しかしながら、有利には、本発明の組成物が１０重量％未満、例えば５重量％未満の可溶性ビルダーを含むことも考えてよい。
【０１９２】
使用することができる、微細結晶性の結合水含有合成ゼオライトは、好ましくは、ゼオライトＡおよび／またはＰである。特に好ましいゼオライトＰは、例えば、ゼオライトＭＡＰ(登録商標)（Ｃｒｏｓｆｉｅｌｄの市販製品）である。しかしながら、ゼオライトＸ、また、ゼオライトＡ、Ｘおよび／またはＰの混合物も好適である。ゼオライトＡおよびゼオライトＸの共結晶化ナトリウム／カリウムアルミニウムシリケートも特に興味深く、これはＶＥＧＯＢＯＮＤ  ＡＸ(登録商標)（Ｃｏｎｄｅａ  Ａｕｇｕｓｔａ  Ｓ．ｐ．Ａ．の市販製品）として市販されている。この製品については、以下でより詳細に記載する。ゼオライトは、噴霧乾燥粉末として使用することができ、また調製してまだ湿潤した状態の未乾燥安定化懸濁液として使用することができる。ゼオライトを懸濁液として使用する場合には、その懸濁液は、安定化剤としての非イオン性界面活性剤、例えばゼオライトに対して１〜３重量％の、２〜５つのエチレンオキシド基を有するエトキシル化Ｃ１２−Ｃ１８脂肪アルコール、４〜５つのエチレンオキシド基を有するＣ１２−Ｃ１４−脂肪アルコール、またはエトキシル化イソトリデカノールの少量の添加物を含むことができる。好適なゼオライトは、平均粒径が好ましくは、１０μｍ未満（体積分布；測定法：Ｃｏｕｌｔｅｒ  ｃｏｕｎｔｅｒ）であり、好ましくは１８〜２２重量％、特に２０〜２２重量％の結合水を含有する。
【０１９３】
さらなる特に好適なゼオライトは、フォージャサイト型ゼオライトである。鉱物フォージャサイトは、ゼオライトＸおよびＹとともに、ゼオライト構造グループ４に属する、二重六員環サブユニットＤ６Ｒを特徴とするフォージャサイト型の１つである。前記フォージャサイト型の他、ゼオライト構造グループ４は、鉱物菱沸石およびグメリン沸石、そして合成ゼオライトＲ（菱沸石タイプ）、Ｓ（グメリン沸石タイプ）、ＬおよびＺＫ−５も含む。最後に記載した２つの合成ゼオライトには鉱物類似体は存在しない。
【０１９４】
フォージャサイト型のゼオライトは、Ｄ６Ｒサブユニットを介して四面体的に結合したβケージからなり、そのβケージはダイヤモンドの炭素原子と同じように配置されている。本発明の好適なフォージャサイト型ゼオライトの三次元網目構造は、２．２Åおよび７．４Åの孔を有し；さらに単位格子は直径およそ１３Åの８個の空洞を含み、式Ｎａ８６［（ＡｌＯ２）８６（ＳｉＯ２）１０６］・２６４  Ｈ２Ｏによって記載され得る。ゼオライトＸの網目構造には、無水結晶に対しておよそ５０％の空洞容積があり、その空洞容積は全ての既知ゼオライトの最大空間を構成する（ゼオライトＹ：空洞容積  約４８％、フォージャサイト：空洞容積  約４７％）。
【０１９５】
本発明の目的では、用語「フォージャサイト型ゼオライト」とは、ゼオライト構造グループ４のフォージャサイトサブグループを構成する３種類のゼオライト全てを説明するものである。よって、本発明によれば、ゼオライトＸだけでなく、ゼオライトＹおよびフォージャサイト、ならびにこれらの化合物の混合物も好適であり、純粋なゼオライトＸが好ましい。
【０１９６】
本発明によれば、フォージャサイト型ゼオライトと他のゼオライトとの混合物または共結晶化物も好適であり、その混合物または共結晶化物は必ずしもゼオライト構造グループ４に属している必要はないが、少なくとも５０重量％のゼオライトがフォージャサイト型のものであることが好ましい。
【０１９７】
好適なケイ酸アルミニウムは市販されており、それらを調製する方法は、標準的な研究論文に記載されている。
【０１９８】
Ｘタイプの市販ゼオライトの例は、次式：
【化１】
2009507111.tif 000002
（式中、ｘは、０〜２７６の値である）により記載することができる。これらのゼオライトの孔径は８．０〜８．４Åである。
【０１９９】
例えば、ゼオライトＸとゼオライトＡとの共結晶化物に相当し、無水形態では式（Ｍ２／ｎＯ＋Ｍ’２／ｎＯ）・Ａｌ２Ｏ３・ｚＳｉＯ２（この場合、ＭおよびＭ’は、アルカリ金属またはアルカリ土類金属であってよく、ｚは、２．１〜２．６の数値である）を有するゼオライトＡ−ＬＳＸも好適である。この製品は、ＣＯＮＤＥＡ  Ａｕｇｕｓｔａ  Ｓ．ｐ．ＡからＶＥＧＯＢＯＮＤ  ＡＸという商標名で市販されている。
【０２００】
Ｙタイプのゼオライトも市販されており、例えば、式
【化２】
2009507111.tif 000003
（式中、ｘは、０〜２７６の数値である）により記載することができる。これらのゼオライトの孔径は８．０Åである。
【０２０１】
ここで、好適なゼオライトの粒径は、有利には０．１μｍ〜１００μｍ、好ましくは０．５μｍ〜５０μｍ、特に１μｍ〜３０μｍの範囲にあり、いずれの場合にも標準的な粒径測定法を用いて測定されたものである。
【０２０２】
本発明の好ましい態様では、存在する無機構成要素の全ては、好ましくは、水溶性であるべきである。そのため、これらの態様では、記載したゼオライト以外のビルダー物質を使用する。
【０２０３】
さらなる好適なビルダー物質は、ポリアセタールであり、このポリアセタールは、ジアルデヒドと、５〜７個の炭素原子と少なくとも３つのヒドロキシル基を有するポリオールカルボン酸との反応により得ることができる。好ましいポリアセタールは、例えばグリオキサール、グルタルアルデヒド、テレフタルアルデヒド、およびそれらの混合物などのジアルデヒドと、例えばグルコン酸および／またはグルコヘプトン酸などのポリオールカルボン酸とから得られる。
【０２０４】
さらなる好適な有機ビルダー物質は、デキストリン、例えばデンプンの部分的加水分解により得ることができる炭水化物のオリゴマーまたはポリマーである。この加水分解は、慣例的な方法により行うことができ、例には酸または酵素触媒による方法がある。加水分解産物は、好ましくは、平均分子量が４００〜５００，０００ｇ／ｍｏｌの範囲のものである。ここでは、デキストロース当量（ＤＥ）が０．５〜４０、特に２〜３０の範囲の多糖類が好ましく、この場合、ＤＥは、ＤＥが１００であるデキストロースと対照する多糖類の還元効果の慣例的な指標である。ＤＥが３〜２０であるマルトデキストリンおよびＤＥが２０〜３７である乾燥グルコースシロップ、そして２０００〜３０，０００ｇ／ｍｏｌの範囲のより高い分子量を有する、いわゆる黄色デキストリンおよび白色デキストリンのいずれも使用することができる。好ましいデキストリンは、英国特許出願第９４  １９  ０９１号に記載されている。そのようなデキストリンの酸化誘導体は、糖類の環の少なくとも１つのアルコール官能基をカルボン酸官能基へと酸化することができる酸化剤によるデキストリンの反応生成物である。
【０２０５】
オキシジスクシネートおよび他のジスクシネート誘導体、好ましくは、エチレンジアミンジスクシネートもまた、さらなる好適な共ビルダーである。ここでは、エチレンジアミンＮ，Ｎ’−ジスクシネート（ＥＤＤＳ）を、そのナトリウム塩またはマグネシウム塩の形で使用することが好ましい。これに関連して、グリセロールジスクシネートおよびグリセロールトリスクシネートもさらに好ましい。好適な使用量は、例えば、全組成物に対して３〜１５重量％である。
【０２０６】
使用することができるさらなる有機共ビルダーは、例えば、アセチル化ヒドロキシカルボン酸およびそれらの塩であり、それらは、場合によって、ラクトン形態で存在していてもよく、少なくとも４個の炭素原子と少なくとも１つのヒドロキシ基および最大でも２つの酸性基を含有する。
【０２０７】
共ビルダー特性を有するさらなる物質はホスホネートである。これらは、特に、ヒドロキシアルカンホスホネートまたはアミノアルカンホスホネートである。ヒドロキシアルカンホスホネートでは、１−ヒドロキシエタン−１，１−ジホスホネート（ＨＥＤＰ）が共ビルダーとして特に重要である。１−ヒドロキシエタン−１，１−ジホスホネートは、ナトリウム塩として使用することが好ましく、ジナトリウム塩は中性反応を呈し、テトラナトリウム塩はアルカリ性（ｐＨ９）反応を呈する。好適なアミノアルカンホスホネートは、好ましくは、エチレンジアミンテトラメチレンホスホネート（ＥＤＴＭＰ）、ジエチレントリアミンペンタメチレンホスホネート（ＤＴＰＭＰ）およびそれらの高級同族体である。それらは、中性反応を呈するナトリウム塩の形で、例えば、ＥＤＴＭＰのヘキサナトリウム塩としておよびＤＴＰＭＰのヘプタナトリウム塩およびオクタナトリウム塩として使用することが好ましい。ここで使用されるホスホネートのビルダーは、好ましくは、ＨＥＤＰである。加えて、アミノアルカンホスホネートは、顕著な重金属結合能力を有する。それゆえ、特に組成物が漂白剤も含む場合には、アミノアルカンホスホネート、特にＤＴＰＭＰ、または前記ホスホネートの混合物を使用することが好ましい。
【０２０８】
ホスフェートを含有することが許容される場合では、ホスフェート、特にペンタナトリウムトリホスフェート、場合によってピロホスフェートおよびオルトホスフェートも使用することができ、それらは主として石灰塩の沈殿剤として作用する。ホスフェートは、大部分は機械食器洗浄組成物に使用されるが、洗濯洗剤にも使用されることもある。
【０２０９】
アルカリ金属ホスフェートは、様々なリン酸（メタリン酸（ＨＰＯ３）ｎおよびオルトリン酸Ｈ３ＰＯ４、ならびにより高分子量の代表物とは区別されていてよい）のアルカリ金属（特にナトリウムおよびカリウム）塩に対する総称である。ホスフェートは、数多くの利点を兼ね備える：ホスフェートは、アルカリ性の担体として働き、機械部品への石灰かすの沈積や構造物への石灰の付着を防ぎ、さらに、クリーニング性能に貢献する。
【０２１０】
リン酸二水素ナトリウム、ＮａＨ２ＰＯ４は、二水和物（密度１．９１ｇｃｍ−３、融点６０℃）として、そして一水和物（密度２．０４ｇｃｍ−３）として存在する。どちらの塩も、水に極めて溶けやすい白色粉末であり、加熱すると結晶化の水を失い、２００℃では弱酸性ジホスフェート（二リン酸水素二ナトリウム、Ｎａ２Ｈ２Ｐ２Ｏ７）へと変換され、高温ではナトリウムトリメタホスフェート（Ｎａ３Ｐ３Ｏ９）とマッドレル（下記参照）へと変換される。ＮａＨ２ＰＯ４は、酸性反応を呈し；ＮａＨ２ＰＯ４は、リン酸を、水酸化ナトリウム溶液を用いてｐＨ４．５に調整した場合に生成し、そのスラリーは噴霧される。リン酸二水素カリウム（第一リン酸カリウム、カリウムビホスフェート、ＫＤＰ）、ＫＨ２ＰＯ４は、密度２．３３ｇｃｍ−３の白色塩であり、融点は２５３℃であり［カリウムポリホスフェート（ＫＰＯ３）ｘの形成により分解］、易水溶性である。
【０２１１】
リン酸水素二ナトリウム（第二リン酸ナトリウム）Ｎａ２ＨＰＯ４は、水に極めて溶けやすい無色の結晶性塩である。リン酸水素二ナトリウムは、無水形態で、そして２ｍｏｌの水（密度２．０６６ｇ／ｃｍ３、９５℃で水消失）、７ｍｏｌの水（密度１．６８ｇ／ｃｍ３、融点４８℃（５Ｈ２Ｏを消失））および１２ｍｏｌの水（密度１．５２ｇ／ｃｍ３、融点３５℃（５Ｈ２Ｏを消失））を有する状態で存在し、１００℃で無水状態になり、さらに激しく加熱すると、ジホスフェートＮａ４Ｐ２Ｏ７へと転化する。リン酸水素二ナトリウムは、指示薬としてフェノールフタレインを用いて炭酸ナトリウム溶液でリン酸を中和することにより調製される。リン酸水素二カリウム（第二リン酸カリウム）Ｋ２ＨＰＯ４は、白色の非晶質塩であり、易水溶性である。
【０２１２】
トリナトリウムホスフェート（第三リン酸ナトリウム）Ｎａ３ＰＯ４は、無色の結晶であり、この結晶は、十二水和物としては密度が１．６２ｇ／ｃｍ３、融点が７３〜７６℃（分解）であり、十水和物（１９〜２０％Ｐ２Ｏ５に相当する）としては融点が１００℃であり、無水形態（３９〜４０％Ｐ２Ｏ５に相当する）では密度が２．５３６ｇ／ｃｍ３である。トリナトリウムホスフェートは、易水溶性であり、アルカリ性反応を呈し、正確に１ｍｏｌのジナトリウムホスフェートと１ｍｏｌのＮａＯＨとの溶液を蒸発濃縮することにより調製される。トリカリウムホスフェート（第三リン酸カリウム）Ｋ３ＰＯ４は、密度２．５６ｇ／ｃｍ３の白色潮解性顆粒状粉末であり、融点が１３４０℃であり、易水溶性であり、アルカリ性反応を呈する。トリカリウムホスフェートは、例えば、トーマススラグに炭と硫酸カリウムとを加えて加熱したときに生成する。より溶けやすく、それゆえ高活性のカリウムホスフェートは、価格が比較的高いにもかかわらず、クリーニング製品産業では、対応するナトリウム化合物と比べて好ましい場合が多い。
【０２１３】
テトラナトリウムジホスフェート（ナトリウムピロホスフェート）Ｎａ４Ｐ２Ｏ７は、無水形態（密度２．５３４ｇ／ｃｍ３、融点９８８℃、８８０℃とも報告されている）で、そして十水和物（密度１．８１５〜１．８３６ｇ／ｃｍ３、融点９４℃（水を消失））として存在する。どちらの物質も無色の結晶であり、この結晶は水に溶け、アルカリ性反応を呈する。Ｎａ４Ｐ２Ｏ７は、ジナトリウムホスフェートを＞２００℃で加熱すると、またはリン酸と炭酸ナトリウムとを化学量論比で反応させ、その溶液を噴霧により脱水することにより生成する。十水和物は、重金属塩と硬度形成体(hardness former)とを錯体化するため、水の硬度を低下する。カリウムジホスフェート（カリウムピロホスフェート）Ｋ４Ｐ２Ｏ７は、三水和物の形で存在し、密度２．３３ｇ／ｃｍ３の無色の吸湿性粉末であり、この粉末は水溶性であり、その１％濃度の溶液の２５℃でのｐＨは１０．４である。
【０２１４】
ＮａＨ２ＰＯ４の縮合またはＫＨ２ＰＯ４の縮合により、高分子量のナトリウムおよびカリウムホスフェートが生成し、それらは、環状代表物であるナトリウムおよびカリウムメタホスフェート、ならびに鎖状タイプであるナトリウムおよびカリウムポリホスフェートに区別することができる。後者のものについては、特に多くの名前が用いられている：溶成または焼成リン酸塩、グレーアム塩、クロール塩およびマッドレル塩。高分子のナトリウムおよびカリウムホスフェートの全てを、まとめて縮合ホスフェートと称する。
【０２１５】
産業上重要なペンタナトリウムトリホスフェートＮａ５Ｐ３Ｏ１０（ナトリウムトリポリホスフェート）は、非吸湿性の白色水溶性塩であり、この塩は無水であるか、または６Ｈ２Ｏを含んで結晶化しており、一般式ＮａＯ−［Ｐ（Ｏ）（ＯＮａ）−Ｏ］ｎ−Ｎａ（この場合、ｎ＝３）を有する。室温では１００ｇの水に約１７ｇの無水塩が溶け、６０℃では約２０ｇ、１００℃では約３２ｇ溶ける；その溶液を１００℃で２時間加熱すると、加水分解により約８％のオルトホスフェートと１５％のジホスフェートが生成する。ペンタナトリウムトリスホスフェートの調製では、リン酸を、炭酸ナトリウム溶液または水酸化ナトリウム溶液と化学量論比で反応させ、その溶液を噴霧により脱水する。グレーアム塩とナトリウムジホスフェートと同じように、ペンタナトリウムトリホスフェートは数多くの不溶性金属化合物（石灰石鹸などを含む）を溶解する。ペンタカリウムトリホスフェートＫ５Ｐ３Ｏ１０（カリウムトリポリホスフェート）は、例えば、５０重量％濃度の溶液（＞２３％Ｐ２Ｏ５、２５％Ｋ２Ｏ）の形で市販されている。カリウムポリホスフェートは、洗剤および洗浄剤産業で広く使用されている。本発明の目的に同様に使用することができるナトリウムカリウムトリポリホスフェートも存在する。これらは、例えば、ナトリウムトリメタホスフェートをＫＯＨで加水分解すると生成する：
（ＮａＰＯ３）３＋２ＫＯＨ→Ｎａ３Ｋ２Ｐ３Ｏ１０＋Ｈ２Ｏ
【０２１６】
これらは、本発明に従って、ナトリウムトリポリホスフェート、カリウムトリポリホスフェートまたはこれら２つの混合物と全く同じように使用することができ；ナトリウムトリポリホスフェートとナトリウムカリウムトリポリホスフェートとの混合物またはカリウムトリポリホスフェートとナトリウムカリウムトリポリホスフェートとの混合物またはナトリウムトリポリホスフェートとカリウムトリポリホスフェートとナトリウムカリウムトリポリホスフェートとの混合物もまた、本発明に従って使用することができる。
【０２１７】
本発明の好ましい態様では、炭酸塩およびケイ酸塩は、特に無機ビルダー物質として使用される。
【０２１８】
本明細書では、特に一般式ＮａＭＳｉｘＯ２ｘ＋１・ｙＨ２Ｏ（式中、Ｍはナトリウムまたは水素であり、ｘは１．６〜４、好ましくは１．９〜４．０の数値であり、ｙは０〜２０の数値であり、ｘの好ましい値は２、３、または４である）の結晶性層状ケイ酸ナトリウムについて言及する。しかしながら、この種の結晶性シリケートは噴霧乾燥プロセスによりその結晶構造が少なくとも部分的に失われるため、結晶性シリケートは、後に、直接または後処理噴霧乾燥製品に混ぜることが好ましい。示した式の好ましい結晶性層状シリケートは、Ｍがナトリウムであり、ｘが２もしくは３の値のものである。特に、β−二ケイ酸ナトリウムおよびδ−二ケイ酸ナトリウムＮａ２Ｓｉ２Ｏ５・ｙＨ２Ｏの両方が好ましい。この種の化合物は、例えば、ＳＫＳ（登録商標）（Ｃｌａｒｉａｎｔ）という名称で市販されている。ＳＫＳ−６（登録商標）は、大部分は式Ｎａ２Ｓｉ２Ｏ５・ｙＨ２Ｏを有するδ−二ケイ酸ナトリウムであり；ＳＫＳ−７（登録商標）は、β−二ケイ酸ナトリウムが主たるものである。δ−二ケイ酸ナトリウムから酸（例えば、クエン酸または炭酸）との反応によりカネマイトＮａＨＳｉ２Ｏ５・ｙＨ２Ｏが生じ、ＳＫＳ−９（登録商標）およびＳＫＳ−１０（登録商標）（Ｃｌａｒｉａｎｔ）という名称で市販されている。これらの層状シリケートの化学変性品を利用することも有利であり得る。そのため、例えば、層状シリケートのアルカリ度は適当な方法で影響を受け得る。δ−二ケイ酸ナトリウムと比べて、リン酸塩でドープした層状シリケートおよび／または炭酸塩でドープした層状シリケートは、結晶形態が変わっており、より迅速に溶解し、δ−二ケイ酸ナトリウムのものより高いカルシウム結合能を示す。例えば、ｘとｙとの比率が０．３５〜０．６の数値に相当し、ｘとｚとの比率が１．７５〜１２００の数値に相当し、かつｙとｚとの比率が４〜２８００の数値に相当する一般実験式ｘＮａ２Ｏ・ｙＳｉＯ２・ｚＰ２Ｏ５の層状シリケートが知られている。層状シリケートの溶解度は、特に微粉層状シリケートを用いることによっても高めることができる。結晶性層状シリケートと他の成分の化合物も使用することができる。これに関連しては、特に崩壊効果において有利であるセルロース誘導体との化合物について、さらに、ポリカルボン酸塩（例えば、クエン酸）、および／またはポリカルボン酸塩ポリマー（例えば、アクリル酸のコポリマー）との化合物について言及する。
【０２１９】
好ましいビルダー物質としては、Ｎａ２Ｏ：ＳｉＯ２率が１：２〜１：３．３、好ましくは１：２〜１：２．８、特に１：２〜１：２．６である非晶質ケイ酸ナトリウムも含まれ、それは二次的洗浄特性を有する。本発明に関連して、用語「非晶質（の）」とは、「Ｘ線非晶質（の）」という意味でも理解される。これは、ケイ酸塩は、Ｘ線回折実験において、結晶性物質に典型的なシャープなＸ線反射を生じないがその代わりに数度単位の回折角の幅を有する散乱Ｘ線の最大値を、最大でも１またはそれ以上もたらすということを意味する。しかしながら、電子回折実験において、ケイ酸塩粒子が不明瞭なあるいははっきりとした回折最大値をもたらす場合には、良好なビルダー特性、極めて高い確実性で著しく良好なビルダー特性さえも生じ得る。これは、生成物がサイズ１０〜数百ｎｍの微結晶領域を有するという意味であり、その値は最大５０ｎｍまで、特に最大２０ｎｍまでが好ましい。通常の水ガラスよりもゆっくりと溶解する、以上のようないわゆるＸ線非晶質シリケートは、公知である。圧縮非晶質シリケート、複合非晶質シリケート、および過乾燥Ｘ線非晶質シリケートは、特に好ましい。（Ｘ線）非晶質シリケートの、特にゼオライトを含まない組成物における含量は、好ましくは、１〜１０重量％であり、これは本発明の好ましい態様に相当する。
【０２２０】
特に好ましい無機水溶性ビルダーは、アルカリ金属炭酸塩およびアルカリ金属重炭酸塩であり、好ましい形態には炭酸ナトリウムおよび炭酸カリウム、特に炭酸ナトリウムがある。アルカリ金属炭酸塩の、特にゼオライトを含まない組成物における含量は、非常に広範囲にわたって変動し得、好ましくは５〜４０重量％、特に８〜３０重量％であり、そして、アルカリ金属炭酸塩の含量は、通常、（Ｘ線）非晶質シリケートのものよりも高い。
【０２２１】
使用することができる有機ビルダー物質は、そのような使用について生態学上異議がないという条件で、例えば、アルカリ金属、特にナトリウムの塩の形態で使用可能なポリカルボン酸、例えば、クエン酸、アジピン酸、コハク酸、グルタル酸、酒石酸、糖酸、アミノカルボン酸、ニトリロトリ酢酸（ＮＴＡ）、さらにはこれらの混合物である。好ましい塩は、ポリカルボン酸（例えば、クエン酸、アジピン酸、コハク酸、グルタル酸、酒石酸、糖酸、およびこれらの混合物）の塩である。これらの酸は酸自体としても使用し得る。このような酸は、そのビルダー作用の他に、一般には、酸性化成分の特性も有し、そのため、例えば本発明の顆粒の場合のように、洗剤および洗浄剤の低弱なｐＨを確立するのにも役立つ。これに関しては、特にクエン酸、コハク酸、グルタル酸、アジピン酸、グルコン酸、およびそれらの任意の望ましい混合物が挙げられ得る。
【０２２２】
有機ビルダーとして好適なものにはポリカルボン酸塩ポリマーもあり；このようなポリカルボン酸塩ポリマーは、例えば、ポリアクリル酸またはポリメタクリル酸のアルカリ金属塩、例えば相対分子量が５００〜７０，０００ｇ／ｍｏｌのものである。本明細書の意味の範囲内で、ポリカルボン酸塩ポリマーに関して記述される分子量は、各々の酸形態の重量平均分子量Ｍｗであり、原則としてゲル浸透クロマトグラフィー（ＧＰＣ）により、ＵＶ検出器を用いて測定したものである。測定は、外部ポリアクリル酸標準に対して行われ、調査するポリマーとのその構造的類似性から実際の分子量値が得られる。これらの値は、標準としてポリスチレンスルホン酸を用いて得られた分子量データとは著しく異なる。ポリスチレンスルホン酸に対して測定された分子量は、一般に、本明細書において記述される分子量よりもずっと高い。
【０２２３】
本発明の組成物はまた、特に香油の保持剤として、ポリマーも含み得る。芳香剤とともに保持物質として使用することもできる好適なポリマーとしては、特に、ポリアクリレートが挙げられ、このポリアクリレートは、分子量が２０００〜２０，０００ｇ／ｍｏｌであることが好ましい。この群においては、それらの優れた溶解度から、分子量が２０００〜１０，０００ｇ／ｍｏｌ、特に好ましくは３０００〜５０００ｇ／ｍｏｌである短鎖ポリアクリレートが好ましいことがある。
【０２２４】
また、ポリカルボン酸塩コポリマー、特にアクリル酸とメタクリル酸とのコポリマー、およびアクリル酸またはメタクリル酸とマレイン酸とのコポリマーも適している。５０〜９０重量％のアクリル酸と５０〜１０重量％のマレイン酸とを含むアクリル酸とマレイン酸とのコポリマーが特に好適であることが証明されている。それらの相対分子量は、遊離酸に基づいて、一般に２０００〜７０，０００ｇ／ｍｏｌ、好ましくは２０，０００〜５０，０００ｇ／ｍｏｌ、特に３０，０００〜４０，０００ｇ／ｍｏｌである。
【０２２５】
有機ビルダー物質の組成物における含量は、広範囲にわたって変動し得る。２〜２０重量％の含量が好ましく、特に最大でも１０重量％の含量が特によく受け入れられる。
【０２２６】
本発明の組成物は、黒ずみ防止剤（土担体）、中性塩、および／または布地柔軟助剤（例えばカチオン性界面活性剤）の群から選択される成分も有し得、このような組成物は好ましい。
【０２２７】
黒ずみ防止剤の働きは、繊維から分離された汚れを液体中に懸濁した状態に保つことであり、それによって、汚れの再付着を防ぐことである。この目的には、主に有機性の水溶性コロイド、例えばカルボン酸ポリマーの水溶性塩、サイズ剤、ゼラチン、デンプンもしくはセルロースのエーテルカルボン酸もしくはエーテルスルホン酸の塩、またはセルロースもしくはデンプンの酸性硫酸エステルの塩が適している。酸性基を含む水溶性ポリアミドもこの目的に適している。さらに、上記以外の可溶性デンプン調製物およびデンプン製品、例えばデンプン分解物、アルデヒドデンプンなども使用可能である。また、ポリビニルピロリドンも使用可能である。しかしながら、セルロースエーテル、例えばカルボキシメチルセルロース（Ｎａ塩）、メチルセルロース、ヒドロキシアルキルセルロース、および混合エーテル、例えばメチルヒドロキシエチルセルロース、メチルヒドロキシプロピルセルロース、メチルカルボキシメチルセルロース、ならびにそれらの混合物、そして、ポリビニルピロリドンを、例えば組成物に対して、好ましくは、０．１〜５重量％の量で使用することも好ましい。
【０２２８】
中性塩の好適な例は硫酸ナトリウムである。これは、例えば、０〜６０重量％、好ましくは２〜４５重量％の量で使用することができる。
【０２２９】
以下でより詳細に記載される好適な柔軟剤は、例えば、対応するモンモリロナイト型、例えばベントナイトの膨潤性層状シリケート、及びカチオン性界面活性剤である。好ましい態様では、本発明の組成物は適当な柔軟剤を含む。
【０２３０】
組成物における含水量は、とりわけ、組成物が液体状で存在するか、または固体状で存在するかによって決まるため、好ましくは０〜１００重量％未満、特に０．５〜９５重量％であり、そして、特に固体組成物または非水性液体組成物の場合では、最大でも５重量％の値が特に好ましい。固体組成物の場合、これらの数値には、ゼオライトなどの存在するアルミノシリケートに結合している水は含んでいない。
【０２３１】
液体組成物の場合では、好ましい態様によれば、本発明の組成物は、水を、２０重量％を超える、有利には３０重量％を超える、さらに有利には４０重量％を超える、さらに有利には５０重量％を超える、特に６０〜９５重量％、特に好ましくは７０〜９３重量％、非常に好ましくは８０〜９０重量％の量で含む。
【０２３２】
組成物が固体である場合には、本発明の組成物は、優れたフリーフロー性を有し得る。好ましい態様によれば、本発明の組成物は、本質的に固体状であり、好ましくは、微粉状、圧縮状または顆粒状で存在する。
【０２３３】
組成物が微粒子状であるならば、例えば組成物の粒子に丸みをつけることにより、粒子を後処理することができる。丸みづけは、通常のスフェロナイザーで行ってよい。好ましくは、本発明における丸みづけ時間は４分以下、特に３．５分以下である。丸みづけ時間は、最大でも１．５分またはそれより短いことが特に好ましい。形成されたいずれの塊も粉砕されるため、丸みづけは、粒子スペクトルの均一性のさらなる増加を成し遂げる。
【０２３４】
粒子状の本発明の組成物は、特に、非イオン性界面活性剤、香油および／もしくは発泡防止剤、またはこれらの成分を含む調製物を、好ましくは、いずれの場合も後処理される製品に対して２０重量％までの活性物質量で、特に２〜１８重量％の活性物質量で用いて、それ自体慣例的な方法により、好ましくはミキサーあるいは流動床で、後処理することができる。
【０２３５】
特に、本発明の組成物は、粉末化することもでき、または、好ましくはいずれの場合にも後処理される組成物の全重量に対して１５重量％までの量、特に２〜１５重量％の量で、固体を用いて後処理することもできる。
【０２３６】
後処理に使用することができる固体は、好ましくは、特に、後処理される製品の全重量に対して２〜１５重量％の量の、重炭酸塩、炭酸塩、ゼオライト、シリカ、クエン酸塩、尿素、またはこれらの混合物である。後処理は、有利にはミキサーで、かつ／またはスフェロナイザーを用いて行うことができる。
【０２３７】
本発明の好ましい態様では、本発明の組成物は非イオン性界面活性剤で後処理され、この非イオン性界面活性剤には、例えば蛍光増白剤および／もしくはヒドロトロープ、香料、ならびに／または蛍光増白剤および／もしくは発泡防止剤あるいはこれらの成分を含み得る調製物の溶液が含まれていてもよい。好ましくは、これらの成分またはこれらの成分を含む調製物は、液体状、溶融体状またはペースト状で、後処理を受ける微粒子組成物に適用される。
【０２３８】
これに関連して、本明細書に記述された物質での後処理は、通常のミキサーで、単に例えば二軸ミキサーで、最長１分間、好ましくは３０秒間、例えば２０秒間行うことが好ましく、同時に、この時間表示は、添加時間と混合時間についてのものである。
【０２３９】
非イオン性界面活性剤は以下により詳細に記載される。これらの非イオン性界面活性剤は、後処理工程において微粒子組成物に適用することができる。しかしながら、全ての非イオン性界面活性剤は、もちろん、本発明の組成物中にそのまま存在することが有利であり得、非イオン性界面活性剤は液体または固体、あるいは泡状またはゲル状であってよい。
【０２４０】
使用される非イオン性界面活性剤は、好ましくは、アルコキシル化された、有利にはエトキシル化された、特に、好ましくは、８〜１８個の炭素原子と、アルコール１モル当たり平均して１〜１２モルのエチレンオキシド（ＥＯ）とを有する第一級アルコールであり、そのアルコール基は、直鎖であってよく、または好ましくは、２位でメチル分枝していてよく、および／またはオキソアルコール基に通常存在するように直鎖基とメチル分枝基とを混合状態で含有する場合もある。しかしながら、特に、１２〜１８個の炭素原子を有する天然起源のアルコール、例えば、ココヤシアルコール、ヤシアルコール、パーム核アルコール、獣脂脂肪アルコールまたはオレイルアルコールの直鎖基と、アルコール１モル当たり平均して２〜８個のＥＯとを含有するアルコールエトキシレートが好ましい。好ましいエトキシル化アルコールとしては、例えば、３個のＥＯ〜６個のＥＯを含有するＣ１２−Ｃ１４−アルコール、７個のＥＯを含有するＣ９−Ｃ１１−アルコール、３個のＥＯ、５個のＥＯ、７個のＥＯまたは８個のＥＯを含有するＣ１３−Ｃ１５−アルコール、４個のＥＯ、５個のＥＯ、７個のＥＯまたは９個のＥＯを含有するＣ１４−Ｃ１５−アルコール、３個のＥＯ、５個のＥＯまたは７個のＥＯを含有するＣ１２−Ｃ１８−アルコール、およびそれらの混合物、例えば３個のＥＯを含有するＣ１２−Ｃ１４−アルコールと７個のＥＯを含有するＣ１２−Ｃ１８−アルコールとの混合物が挙げられる。上記のエトキシル化度は統計的平均値であり、そのため、特定の生成物に関しては、整数または分数であるかもしれない。
【０２４１】
好ましいアルコールエトキシレートは狭い同族体分布を有する（狭範囲エトキシレート、ＮＲＥ）。これらの非イオン性界面活性剤の他に、１２個を超えるＥＯを含有する脂肪アルコールを使用することもできる。その例は、１４個のＥＯ、１６個のＥＯ、２０個のＥＯ、２５個のＥＯ、３０個のＥＯまたは４０個のＥＯを含有する（獣脂）脂肪アルコールである。
【０２４２】
好ましい非イオン性界面活性剤は、エチレンオキシド（ＥＯ）および／もしくはプロピレンオキシド（ＰＯ）でアルコキシル化されており、アルコキシル化度が３０までである１種類以上の非分枝もしくは分枝、飽和もしくは不飽和Ｃ１０−２２−アルコール、好ましくは、エトキシル化度が３０未満、好ましくは１〜２０、特に１〜１２、特に好ましくは１〜８、格段に好ましくは２〜５であるエトキシル化Ｃ１０−１８−脂肪アルコール、例えば２個、３個もしくは４個のＥＯを有するＣ１２−１４−脂肪アルコールエトキシレート、または３個のＥＯを有するＣ１２−１４−脂肪アルコールエトキシレートと４個のＥＯを有するＣ１２−１４−脂肪アルコールエトキシレートとの重量比１：１の混合物、または５個、８個もしくは１２個のＥＯを有するイソトリデシルアルコールエトキシレートである。
【０２４３】
さらに、使用することができるさらなる非イオン性界面活性剤は、一般式ＲＯ（Ｇ）ｘ（式中、Ｒは、８〜２２個、好ましくは１２〜１８個の炭素原子を有する直鎖状またはメチル分枝状、特に２位でメチル分枝した一級脂肪族基であり、Ｇは５または６個の炭素原子を有するグリコース単位、好ましくは、グルコースを表す記号である）のアルキルグリコシドである。モノグリコシドおよびオリゴグリコシドの分布を表すオリゴマー化度ｘは、１〜１０の任意の所望の数であり；好ましくは、ｘは１．１〜１．４である。
【０２４４】
単一の非イオン性界面活性剤として、または他の非イオン性界面活性剤と組み合わせて、特にアルコキシル化脂肪アルコールおよび／またはアルキルグリコシドとともに使用される、好ましく使用される非イオン性界面活性剤のさらなる種類は、アルキル鎖中に好ましくは１〜４個の炭素原子を有する、アルコキシル化された、好ましくはエトキシル化された、またはエトキシル化かつプロポキシル化された脂肪酸アルキルエステル、特に脂肪酸メチルエステル、特に好ましくは、平均して３〜１５個のＥＯを有する、特に平均して５〜１２個のＥＯを有する、Ｃ１２−Ｃ１８−脂肪酸メチルエステルである。
【０２４５】
アミンオキシドタイプの非イオン性界面活性剤、例えばＮ−ココアルキル−Ｎ，Ｎ−ジメチルアミンオキシドおよびＮ−獣脂アルキル−Ｎ，Ｎ−ジヒドロキシエチルアミンオキシド、ならびに脂肪酸アルカノールアミドタイプの非イオン性界面活性剤も好適であり得る。これらの非イオン性界面活性剤の量は、好ましくは、エトキシル化脂肪アルコールの量以下、特にその半分以下である。
【０２４６】
また、アルコキシル化アミン、有利にはエトキシル化かつ／またはプロポキシル化された、特にアルキル鎖につき好ましくは、１〜１８個の炭素原子と、アミン１モル当たり平均して１〜１２モルのエチレンオキシド（ＥＯ）および／または１〜１０モルのプロピレンオキシド（ＰＯ）とを有する第一級および第二級アミンも好適である。
【０２４７】
特に機械食器洗いに好適な本発明の組成物、特にタブなどの錠剤成形体としての食器用洗剤の場合では、原則として全ての界面活性剤が好適な界面活性剤である。しかしながら、この意図された使用には、特に上述の非イオン性界面活性剤が好ましく、それらのうち、主として低発泡性非イオン性界面活性剤が好ましい。特に好ましいのは、アルコキシル化アルコール、特にエトキシル化かつ／またはプロポキシル化されたアルコールである。これに関連して、当業者は、一般に、アルキレンオキシド、好ましくはエチレンオキシドと、アルコール、好ましくは、本発明の目的においては、比較的長鎖のアルコール、Ｃ１０〜Ｃ１８アルコール、好ましくはＣ１２〜Ｃ１６アルコール、例えばＣ１１−アルコール、Ｃ１２−アルコール、Ｃ１３−アルコール、Ｃ１４−アルコール、Ｃ１５−アルコール、Ｃ１６−アルコール、Ｃ１７−アルコールおよびＣ１８−アルコールとの反応生成物となるアルコキシル化アルコールを選択する。一般に、ｎモルのエチレンオキシドと１モルのアルコールとから、反応条件に応じて、様々なエトキシル化度の付加生成物の複合混合物を生じる。さらなる態様は、アルキレンオキシドの混合物の使用、好ましくは、エチレンオキシドおよびプロピレンオキシドの混合物の使用からなる。必要に応じて、短鎖アルキル基、例えば好ましくはブチル基での最終エーテル化を通じて、本発明の目的に同様に使用することができる物質「キャップ」アルコールエトキシレートにすることもできる。これに関連して、本発明の目的に非常に特に好ましいのは、高エトキシル化脂肪アルコール、またはそれらと末端キャップ脂肪アルコールエトキシレートとの混合物である。
【０２４８】
有利には、本発明の組成物は、発泡防止剤、例えば発泡防止パラフィン油または発泡防止シリコーン油、例えばジメチルポリシロキサンも含み得る。これらの有効成分の混合物の使用もまた可能である。特に明示した発泡防止有効成分の場合、室温で固体である好適な添加剤は、パラフィン蝋、公知の方法により疎水化もし得るシリカ、およびＣ２−７−ジアミンとＣ１２−２２−カルボン酸から得られるビスアミドである。
【０２４９】
使用に好ましい好適な発泡防止パラフィン油（パラフィン蝋との混合状態でも存在し得る）は、一般に、明確な融点を持たない複合物質混合物である。特徴付けるためには、融解範囲を、通常、示差熱分析（ＤＴＡ）および／または凝固点により測定する。この融解範囲とは、徐冷によりパラフィンが液体の状態から固体の状態へ転移する温度を指すと理解される。１７個より少ない炭素原子を有するパラフィンは本発明には使用することができないため、パラフィン油混合物中のそれらの割合は可能な限り低くすべきであり、通常の分析法、例えばガスクロマトグラフィーを用いて有意に測定することができる限界よりも低いことが好ましい。好ましいのは、２０℃〜７０℃の範囲で固化するパラフィンの使用である。これに関連して、室温で固体に見えるパラフィン蝋混合物でさえも異なる割合の液体パラフィン油を含み得ることは考慮に入れるべきである。本発明に従って使用することができるパラフィン蝋の場合、４０℃での液体分率は可能な限り高いが、この温度ではまだ１００％には達していない。好ましいパラフィン蝋混合物では、４０℃での液体分率は少なくとも５０重量％、特に５５重量％〜８０重量％であり、６０℃では液体分率は少なくとも９０重量％である。そのため、パラフィンは、少なくとも７０℃に下がった温度、好ましくは、少なくとも６０℃に下がった温度で流動性を有し、ポンプ輸送できる。さらに、パラフィンは可能な限り揮発性画分を含まないことが保証されるべきである。好ましいパラフィン蝋では、大気圧下、１１０℃で蒸発し得る画分含量は１重量％未満、特に０．５重量％未満である。本発明に使用することができるパラフィンは、例えば、Ｌｕｎａｆｌｅｘ（登録商標）（Ｆｕｌｌｅｒ製）およびＤｅａｗａｘ（登録商標）（ＤＥＡ  Ｍｉｎｅｒａｌｏｅｌ  ＡＧ製）という商標名で入手することができる。
【０２５０】
パラフィン油は、１２〜２２個、好ましくは１４〜１８個の炭素原子を有する飽和脂肪酸と２〜７個の炭素原子を有するアルキレンジアミンとから得られる、室温で固体であるビスアミドを含んでよい。好適な脂肪酸は、天然脂肪または硬化油、例えば獣脂または硬化ヤシ油から得ることができるような、ラウリン酸、ミリスチン酸、ステアリン酸、アラキジン酸およびベヘン酸、ならびにそれらの混合物である。好適なジアミンは、例えば、エチレンジアミン、１，３−プロピレンジアミン、テトラメチレンジアミン、ペンタメチレンジアミン、ヘキサメチレンジアミン、ｐ−フェニレンジアミンおよびトリレンジアミンである。好ましいジアミンは、エチレンジアミンおよびヘキサメチレンジアミンである。特に好ましいビスアミドはビスミリストイルエチレンジアミン、ビスパルミトイルエチレンジアミン、ビステアロイルエチレンジアミン、およびそれらの混合物、ならびにそれらに対応するヘキサメチレンジアミンの誘導体である。
【０２５１】
本発明の製品は、特に洗浄、ケアおよび／もしくはクリーニング組成物のさらなる構成要素、または化粧品成分と混合することが好ましい。通常、混合することができる、洗浄またはクリーニング組成物の成分と原料については、広範な先行技術から一般に知られている。これらは、例えば、漂白剤、漂白促進剤および／または漂白触媒、酵素、感温色素などのような物質であるが、もちろん、これらは組成物中にそのまま存在してもよい。
【０２５２】
組成物は、好ましくは、ＵＶ吸収剤も含み得、このＵＶ吸収剤は、有利には処理した布地に付着し、繊維の光安定性および／または他の配合成分の光安定性を向上させる。ＵＶ吸収剤とは、紫外線を吸収することができ、吸収したエネルギーを再び、長波長放射エネルギー、例えば、熱として放出することができる有機物質（光保護フィルター）を指すと理解される。このような望ましい特性を有する化合物は、例えば、ベンゾフェノン化合物および誘導体であり、そのような化合物は無放射失活により活性となり、２位および／または４位に置換基を有する。さらに、置換ベンゾトリアゾール、２位にシアノ基を有しているまたは有していない３位でフェニル置換されているアクリレート（桂皮酸誘導体）、サリチレート、有機Ｎｉ錯体、ならびにウンベリフェロンおよび内因性ウロカニン酸のような天然物質も好適である。特に重要なのは、ビフェニル誘導体、特に、ＣｉｂａからＴｉｎｏｓｏｒｂ(登録商標)ＦＤまたはＴｉｎｏｓｏｒｂ(登録商標)ＦＲとして市販されているスチルベン誘導体である。記載すべきＵＶ−Ｂ吸収剤は、３−ベンジリデンカンファーまたは３−ベンジリデンノルカンファーおよびそれらの誘導体、例えば、３−（４−メチルベンジリデン）カンファー；４−アミノ安息香酸誘導体、好ましくは、２−エチルヘキシル４−（ジメチルアミノ）ベンゾエート、２−オクチル４−（ジメチルアミノ）ベンゾエートおよびアミル４−（ジメチルアミノ）ベンゾエート；桂皮酸エステル、好ましくは、２−エチルヘキシル４−メトキシシンナメート、プロピル４−メトキシシンナメート、イソアミル４−メトキシシンナメート、２−エチルヘキシル２−シアノ−３，３−フェニルシンナメート（オクトクリレン）；サリチル酸エステル、好ましくは、２−エチルヘキシルサリチレート、４−イソプロピルベンジルサリチレート、ホモメンチルサリチレート；ベンゾフェノン誘導体、好ましくは、２−ヒドロキシ−４−メトキシベンゾフェノン、２−ヒドロキシ−４−メトキシ−４’−メチルベンゾフェノン、２，２’−ジヒドロキシ−４−メトキシベンゾフェノン；ベンザイルマロン酸エステル、好ましくは、ジ−２−エチルヘキシル４−メトキシベンズマロネート；トリアジン誘導体、例えば、２，４，６−トリアニリノ（ｐ−カルボ−２’−エチル−１’−ヘキシルオキシ−１，３，５−トリアジンおよびオクチルトリアゾン、またはジオクチルブタミドトリアゾン（Ｕｖａｓｏｒｂ(登録商標)ＨＥＢ）など；プロパン−１，３−ジオン、例えば、１−（４−ｔｅｒｔ−ブチルフェニル）−３−（４’−メトキシフェニル）プロパン−１，３−ジオンなど；ケトトリシクロ（５．２．１．０）デカン誘導体である。さらに適しているものには、２−フェニルベンズイミダゾール−５−スルホン酸ならびにそのアルカリ金属塩、アルカリ土類金属塩、アンモニウム塩、アルキルアンモニウム塩、アルカノールアンモニウム塩およびグルカンモニウム塩；ベンゾフェノンのスルホン酸誘導体、好ましくは、２−ヒドロキシ−４−メトキシベンゾフェノン−５−スルホン酸およびその塩；３−ベンジリデンカンファーのスルホン酸誘導体、例えば、４−（２−オキソ−３−ボルニリデンメチル）ベンゼンスルホン酸および２−メチル−５−（２−オキソ−３−ボルニリデン）スルホン酸、ならびにそれらの塩などがある。
【０２５３】
好適な典型ＵＶ−Ａフィルターは、特に、ベンゾイルメタン誘導体、例えば、１−（４’−ｔｅｒｔ−ブチルフェニル）−３−（４’−メトキシフェニル）プロパン−１，３−ジオン、４−ｔｅｒｔ−ブチル−４”メトキシジベンゾイルメタン（Ｐａｒｓｏｌ  １７８９）、１−フェニル−３−（４’−イソプロピルフェニル）プロパン−１，３−ジオン、およびエナミン化合物などである。ＵＶ−ＡフィルターとＵＶ−Ｂフィルターは、もちろん、混合物として使用することもできる。明示した可溶性物質に加えて、不溶性光保護顔料（すなわち、微細分散する、好ましくは、ナノ化された金属酸化物および／または塩）もこの目的に適している。好適な金属酸化物の例は、特に、酸化亜鉛および二酸化チタン、加えて、鉄、ジルコニウム、シリコン、マンガン、アルミニウムおよびセリウムの酸化物、ならびにそれらの混合物である。使用することができる塩は、ケイ酸塩（タルク）、硫酸バリウムまたはステアリン酸亜鉛である。これらの酸化物および塩は、皮膚ケアおよび皮膚保護エマルジョン、ならびに装飾用化粧品に用いる顔料としてすでに使用されている。これらの粒子は、平均直径が１００ｎｍ未満、好ましくは５〜５０ｎｍ、特に１５〜３０ｎｍである必要がある。これらは球状であってよいが、楕円形状または球から幾分他の方向に外れた形状を有する粒子を使用することもできる。また、顔料は、表面処理形態でもあり得る、すなわち親水化または疎水化することもできる。典型的な例は、被覆二酸化チタン、例えば、二酸化チタン  Ｔ  ８０５（Ｄｅｇｕｓｓａ）またはＥｕｓｏｌｅｘ(登録商標)Ｔ２０００（Ｍｅｒｃｋ）などである。ここで、好適な疎水性コーティング組成物は、第一にシリコーンであり、具体的には、トリアルコキシオクチルシランまたはシメチコンである。好ましくは、微粒酸化亜鉛を使用する。さらなる好適なＵＶ光保護フィルターは、関連先行技術中に見ることができる。
【０２５４】
ＵＶ吸収剤は、組成物中０．０１重量％〜５重量％、好ましくは０．０３重量％〜１重量％の量で存在することが有利であり得る。また、それらは、その後、組成物に、例えば他の物質と一緒に混合することもできる。
【０２５５】
また、本発明の組成物は、固体である場合には、錠剤または成形体として存在することも好ましい。本発明の目的において、「錠剤」または「成形体」とは、それらの製造の性質に関係なく、寸法安定性のある固形物を指すのに用いられる用語である。この種の物体は、例えば、結晶化、注入成形、射出成形、反応焼結もしくは熱焼結、（同時）押出、造粒、ペレット化、または圧縮法、例えばカレンダリングまたは打錠により製造することができる。本発明の範囲内では、打錠による「錠剤」または「成形体」の製造が特に好ましいは。よって、錠剤は、圧縮粒子材料からなることが好ましい。
【０２５６】
固体状の、好ましくは、錠剤または成形体としての本発明の組成物は、崩壊助剤を含むことが好ましい。好適な膨潤性崩壊助剤は、例えば、ベントナイトまたは他の膨潤性シリケートである。合成ポリマー、特に架橋ポリビニルピロリドン、または衛生分野に使用される高吸収性物質も使用することができる。
【０２５７】
膨潤性崩壊助剤として、デンプン系および／またはセルロース系ポリマーを使用することが、特に有利である。これらのベース物質は、膨潤性崩壊剤を得るために、それらだけで、またはさらなる天然および／もしくは合成ポリマーとの混合物として加工することができる。最も簡単なケースでは、セルロース系材料または純セルロースは、造粒、圧縮または他の加圧法により二次粒子に転換することができ、その二次粒子は水と接触することで、膨潤するため、それにより崩壊剤としての役割を果たす。有用であることが証明されているセルロース材料は木材パルプであり、この木材パルプは、木材または木材チップ（挽いたチップ、木挽台のくず）から熱的または化学熱的方法により得ることができる。ＴＭＰ法（熱機械的パルプ）またはＣＴＭＰ法（化学熱機械的パルプ）によるこのセルロース材料は、その後、加圧により圧縮され、好ましくは、ロールにより圧縮され、粒子状に転換され得る。もちろん、純セルロースも全く同じように使用することができるが、純セルロースはその原料基準からより高価である。その場合、微結晶性および非結晶性の微粉セルロース、ならびにそれらの混合物を使用することができる。
【０２５８】
別の方法は、造粒助剤を加えてセルロース系材料を造粒することからなる。有用であることが証明されている造粒助剤は、例えば、合成ポリマーまたは非イオン性界面活性剤の溶液である。本発明の組成物で洗浄した布地への残留物の発生を防止するために、使用するセルロースまたはセルロース系材料中のセルロースの一次繊維長は２００μｍより短い必要があり、１００μｍより短い、特に５０μｍより短い一次繊維長が好ましい。
【０２５９】
二次粒子は、理想的には、好ましくは、９０重量％を超える粒子の粒径が２００μｍを上回っているという粒度分布を有する。ある特定の粉末画分は、上記のように製造された錠剤の改善された貯蔵安定性をもたらし得る。本発明に従って使用される崩壊剤顆粒を含有する組成物には、０．１ｍｍ未満の細粉末画分は、１０重量％まで、好ましくは８重量％までの量で存在し得る。
【０２６０】
さらに、本発明の組成物は、コンディショニング組成物および／またはコンディショニング基材としてあり得、それらに相当する成分を含む。本発明の目的においては、用語コンディショニングとは、好ましくは、織物、物質および編物の仕上げ処理を指すと理解されるべきである。コンディショニングは、布地の好ましい特性、例えば、改善された柔らかな肌触り、改善された光沢および色の鮮やかさ、改善された香りの効果、フェルト化の減少、スリップ性の減少によるアイロンがけの容易さの増加、皺および静電気の減少、そして、染色布地の場合の色移りの防止などを与える。
【０２６１】
本発明の組成物、特にコンディショニング組成物は、例えば、一般式（Ｉ）：
［Ra-X-(CH2)k-NRbRc-(CRdRe)l-(C=O)-O-(Rf-O)m-Rg］(+)A(-)        (Ｉ)
｛式中、
Ｒａは、少なくとも１つのカルボニル官能基を含有するエチレン性不飽和基、例えば、アクリロイル、メタクリロイル、マレオイルもしくはイタコノイルなどであり；
Ｘは、酸素原子、−Ｎ（ＣＨ３）−もしくはＮＨ−であり；
Ｒｂ、Ｒｃは、互いに独立に、１〜４個の炭素原子を有する非分枝もしくは分枝アルキル基であり、ヘテロ原子置換基、特にＯ、Ｓ、Ｎ、Ｐを含有していてよく；
基Ｒｄ、Ｒｅは、互いに独立に、水素（Ｈ）、１〜４個の炭素原子を有する場合によって分枝したアルキル基、場合によって置換されたアリールもしくはベンジル基、および−ＣＨ２ＣＯＯＨ、−ＣＨ２ＣＯＯＲ、−ＣＨ２ＣＨ２ＣＯＯＨ、−ＣＨ２ＣＨ２ＣＯＯＲ（この場合、Ｒは、場合によって、多重結合を含有し、ハロゲン原子および／もしくはヘテロ原子および／もしくはカルボニル基を含有し、かつ１〜１８個の炭素原子を有する、直鎖もしくは分枝および／もしくは環状および／もしくは置換炭化水素基であり、あるいは、Ｒは、エチレンオキシドもしくはプロピレンオキシドもしくはブチレンオキシドもしくはスチレンオキシドから排他的に構成されるポリエーテルである）から選択され；
Ｒｆは、場合によって、多重結合を含有し、かつ１〜１０個、好ましくは２個もしくは３個の炭素原子を有する、分枝および／もしくは置換および／もしくは環状炭化水素基であり、またはスチレン基であり、またはエチレンもしくはプロピレンもしくはブチレンもしくはスチレン基から排他的に構成され、または前記基を含有するブロックコポリマーもしくはランダムコポリマーであり；
Ｒｇは、場合によって二重結合を含有し、かつ１〜２２個の炭素原子を有する、場合によって分枝した場合によって環状の炭化水素基であり（この場合、Ｒｇは、ｍ＝０の場合には、場合によって二重結合を含有する場合によって分枝した炭化水素基であり、Ｒｇは、ｍ＞０の場合には、Ｈであってよい）；
ｋ、ｌは、互いに独立に、１〜４であり（この場合、ｋは、好ましくは２もしくは３であり、ｌは、好ましくは１であり）；かつ
ｍは、０〜１００、好ましくは０〜４０の値を有し；
Ａ（−）は、アニオンである｝
に相当する重合性ベタインエステル；および／または
【０２６２】
一般式（Ｉ）の重合性ベタインエステルから調製されたホモポリマー、および一般式（Ｉ）の重合性ベタインエステルと一般式（ＩＩ）：
ＲｗＲｚＣ＝ＣＲｘＲｙ        （ＩＩ）
｛式中、
ＲｘおよびＲｙは、Ｈであり、
Ｒｗは、ＨもしくはＣＨ３であり、かつ
Ｒｚは、少なくとも１つのカルボニル基を含有する基、例えば、−Ｃ（Ｏ）ＯＲ、−Ｃ（Ｏ）ＮＲ’Ｒ”（この場合、Ｒ、Ｒ’およびＲ”は、Ｈ、または場合によって、多重結合を含有し、ハロゲン原子および／もしくはヘテロ原子および／もしくはカルボニル基を含有し、かつ１〜１８個の炭素原子を有する、直鎖もしくは分枝および／もしくは環状および／もしくは置換炭化水素基である）などであり；または
ＲｗおよびＲｘは、Ｈであり、
ＲｙおよびＲｚは、カルボニル基を含有する基、例えば−Ｃ（Ｏ）ＯＲ、−Ｃ（Ｏ）ＮＲ’Ｒ”（この場合、Ｒ、Ｒ’およびＲ”は、Ｈ、または場合によって、多重結合を含有し、ハロゲン原子および／もしくはヘテロ原子を含有し、かつ１〜１８個の炭素原子を有する、直鎖もしくは分枝および／もしくは環状脂肪族もしくは芳香族および／もしくは置換炭化水素基である）などであり；または
Ｒｗ、ＲｘおよびＲｙは、Ｈであり、かつ
Ｒｚは、場合によって、ハロゲン原子置換および／もしくはヘテロ原子置換されており、かつ直鎖および／もしくは分枝アルキル置換基を含有する、芳香族もしくは複素芳香族であり；または
Ｒｗ、ＲｘおよびＲｙは、Ｈであり、かつ
Ｒｚは、−（ＣＨ２）ａ−ＯＲＩＩＩ（この場合、ＲＩＩＩは、Ｈ、または場合によって、カルボニル基を含有し、かつ１〜２２個の炭素原子を有するアルキル基、またはエチレンオキシドもしくはプロピレンオキシドもしくはブチレンオキシドもしくはスチレンオキシドから排他的に構成され、前記基を含有するブロックコポリマーもしくはランダムコポリマーである、ポリエーテルであり、ａは、０もしくは１である）である｝
に相当する好適なコモノマーから調製されたコポリマーを含み得る。
【０２６３】
上述の式（Ｉ）の重合性ベタインエステル、および／またはホモポリマーの場合には、一般式（Ｉ）の重合性ベタインエステルモノマーから調製され、および／またはコポリマーの場合には、一般式（Ｉ）の重合性ベタインエステルと一般式（ＩＩ）の好適なコモノマーから調製される、ベタインエステルポリマーは、本発明のコンディショニング組成物に使用することが好ましい。特に安定しており、それゆえ、コンディショニング組成物としての使用に好ましいのは、Ｘが−Ｎ（ＣＨ３）−または−ＮＨ−である場合の、一般式（Ｉ）の重合性ベタインエステル、および／またはホモポリマーの場合には、一般式（Ｉ）の重合性ベタインエステルモノマーから調製され、および／またはコポリマーの場合には、一般式（Ｉ）の重合性ベタインエステルと一般式（ＩＩ）の好適なコモノマーから調製される、ベタインエステルポリマーである。
【０２６４】
好ましくは、本発明の組成物、特にコンディショニング組成物は、０．５〜１００ｍｏｌ％の一般式（Ｉ）の重合性ベタインエステル（１００ｍｏｌ％で対象の化合物はホモポリマーになる）と、０〜９９．５ｍｏｌ％の一般式（ＩＩ）のエチレン性不飽和コモノマーとの共重合により調製され、好ましくは、２０〜７０ｍｏｌ％の一般式（Ｉ）の重合性ベタインエステルと、３０〜８０ｍｏｌ％の一般式（ＩＩ）の不飽和コモノマーとの共重合により調製され、特に好ましくは、４０〜６０ｍｏｌ％の一般式（Ｉ）の重合性ベタインエステルと、６０〜４０ｍｏｌ％の一般式（ＩＩ）のエチレン性不飽和コモノマーとの共重合により調製される、オリゴマーおよびポリマーを含み得る。格段に好ましいのは、式（Ｉ）の重合性ベタインエステルから調製されたホモポリマーを本発明の組成物に使用することである。このようなホモポリマーは、より高い含量のエステル化活性アルコールを保持し、さらに、改善された付着性と、それにより改善された布地コンディショニング特性、例えば柔らかな布地の肌触りを示すという利点を与える。Ｘ＝−Ｎ（ＣＨ３）−または−ＮＨ−の場合には、さらに、このようなポリマーは、特に加水分解に対する優れた安定性を示し、エステル系芳香剤の望ましいゆっくりとした、すなわち遅延放出をもたらす。特に有利なのは、ｋ＝３の場合のホモポリマーである。式（Ｉ）の重合性ベタインエステル、およびそれらから調製可能な、特に有用であることが証明されているベタインエステルポリマーは、ｍ＝０、かつＲｇが芳香性アルコールであるものである。
【０２６５】
本発明の組成物、特にコンディショニング組成物は、Ｒｇが芳香性の芳香族アルコールである、式（Ｉ）の重合性ベタインエステル、および／またはホモポリマーの場合には、一般式（Ｉ）の重合性ベタインエステルモノマーから調製され、および／またはコポリマーの場合には、一般式（Ｉ）の重合性ベタインエステルと一般式（ＩＩ）の好適なコモノマーから調製される、ベタインエステルポリマーを含み得る。よって、特に好ましい芳香性アルコールは、フェニルエタノール、フェノキシエタノール、２−フェニルプロパノール、３−フェニルプロパノール、α−メチルベンジルアルコール、アミルサリチレート、ベンジルアルコール、ベンジルサリチレート、ブチルサリチレート、シクロヘキシルサリチレート、ジメチルベンジルカルビノール、エチルサリチレート、エチルバニリン、オイゲノール、ヘキシルサリチレート、イソオイゲノール、フェノール、フェニルサリチレート、チモール、バニリン、シンナミルアルコールおよび３−メチル−４−フェニル−１−ペンタノールである。
【０２６６】
しかしながら、上述の選択は、好適である芳香性の芳香族アルコールについて何ら制限するものではない。
【０２６７】
本発明の組成物、特にコンディショニング組成物は、ｐＨが８以下、好ましくは７未満、特に好ましくは１〜６、特に２〜５であることが有利であり得る。
【０２６８】
好ましい態様では、本発明のコンディショニング組成物は、界面活性剤をさらに含む。界面活性剤をさらに使用することには、コンディショニング特性を強化する効果があり、さらに、コンディショニング組成物各成分の貯蔵安定性および分散性または乳化性の改善に役立つ。
【０２６９】
本発明の組成物は、柔らかな風合いや仕上がり特性を改善するために、柔軟剤成分を含み得る。そのような化合物の例は、ヘアケア組成物や布地仕上げ用組成物にも使用されているような、第四級アンモニウム化合物、カチオン性ポリマーおよび乳化剤である。これらの柔軟化合物は、以下にもより詳細に記載され、本発明の全ての組成物中に存在し得るが、特にコンディショニング組成物や柔軟効果の実現を目指す組成物中に存在し得る。
【０２７０】
好適な例は、式（ＩＩＩ）および（ＩＶ）：
【化３】
2009507111.tif 000004
（ここで、（ＩＩＩ）中、ＲおよびＲ１は、１２〜２４個の炭素原子を有する非環状アルキル基であり、Ｒ２は、飽和Ｃ１−Ｃ４−アルキルまたはヒドロキシアルキル基であり、Ｒ３は、Ｒ、Ｒ１もしくはＲ２であり、または芳香族基である。Ｘ−は、ハロゲン化物イオン、メト硫酸イオン、メトリン酸イオンまたはリン酸イオン、およびそれらの混合物である）
に相当する第四級アンモニウム化合物である。式（ＩＩＩ）のカチオン化合物の例は、ジデシルジメチルアンモニウムクロリド、ジ獣脂ジメチルアンモニウムクロリドまたはジヘキサデシルアンモニウムクロリドである。
【０２７１】
式（ＩＶ）の化合物は、いわゆるエステルクワット(ester quat)である。エステルクワットは、優れた生分解性を特徴とする。ここで、Ｒ４は、１２〜２２個の炭素原子を有し、０、１つ、２つまたは３つの二重結合を有する、脂肪族アルキル基であり；Ｒ５は、Ｈ、ＯＨまたはＯ（ＣＯ）Ｒ７であり、Ｒ６は、Ｒ５とは独立に、Ｈ、ＯＨまたはＯ（ＣＯ）Ｒ８である（この場合、Ｒ７およびＲ８は、互いに独立に、各々、１２〜２２個の炭素原子を有し、０、１つ、２つまたは３つの二重結合を有する、脂肪族アルキル（アルケニル）基である）。ｍ、ｎおよびｐは、各々、互いに独立に、１、２または３の値を有し得る。Ｘ−は、ハロゲン化物イオン、メト硫酸イオン、メトリン酸イオンまたはリン酸イオン、およびそれらの混合物であり得る。Ｒ５には基Ｏ（ＣＯ）Ｒ７、Ｒ４およびＲ７には１６〜１８個の炭素原子を有するアルキル基を含有する化合物が好ましい。加えて、Ｒ６がＯＨである化合物が特に好ましい。式（ＩＶ）の化合物の例は、メチル−Ｎ−（２−ヒドロキシエチル）−Ｎ，Ｎ−ジ（獣脂アシルオキシエチル）アンモニウムメトスルフェート、ビス（パルミトイル）エチルヒドロキシエチルメチルアンモニウムメトスルフェートまたはメチル−Ｎ，Ｎ−ビス（アシルオキシエチル）−Ｎ−（２−ヒドロキシエチル）アンモニウムメトスルフェートである。不飽和アルキル鎖を有する式（ＩＶ）の四級化化合物を使用するならば、対応する脂肪酸のヨウ素価が５〜８０、好ましくは１０〜６０、特に１５〜４５であり、かつシス／トランス異性体比（重量％で）が３０：７０より高い、好ましくは５０：５０より高い、特に７０：３０より高い、アシル基が好ましい。標準的な市販品の例は、Ｓｔｅｐａｎｔｅｘ(登録商標)という商標名でＳｔｅｐａｎより販売されているメチルヒドロキシアルキルジアルコイルオキシアルキルアンモニウムメトスルフェート、またはＤｅｈｙｑｕａｒｔ(登録商標)で知られているＣｏｇｎｉｓの製品、またはＲｅｗｏｑｕａｔ(登録商標)で知られているＧｏｌｄｓｃｈｍｉｄｔ−Ｗｉｔｃｏの製品である。さらに好ましい化合物は、式（Ｖ）のジエステルクワットであり、これはＲｅｗｏｑｕａｔ(登録商標)Ｗ  ２２２  ＬＭまたはＣＲ  ３０９９という名称で入手可能であり、柔らかさに加えて、安定性および着色防止も保証する。
【化４】
2009507111.tif 000005
ここで、Ｒ２１およびＲ２２は、互いに独立に、各々、１２〜２２個の炭素原子を有し、０、１つ、２つまたは３つの二重結合を有する脂肪族基である。
【０２７２】
上述の第四級化合物に加えて、例えば、式（ＶＩ）：
【化５】
2009507111.tif 000006
（式中、Ｒ９は、Ｈ、または１〜４個の炭素原子を有する飽和アルキル基であり、Ｒ１０およびＲ１１は、互いに独立に、各々、１２〜１８個の炭素原子を有する脂肪族の飽和または不飽和アルキル基であり、また、Ｒ１０は、Ｏ（ＣＯ）Ｒ２０（この場合、Ｒ２０は、１２〜１８個の炭素原子を有する脂肪族の飽和または不飽和アルキル基である）であってもよく、Ｚは、ＮＨ基または酸素であり、Ｘ−は、アニオンである。ｑは、１〜４の整数値である）
に相当する第四級イミダゾリニウム化合物などの他の公知の化合物も使用することができる。
【０２７３】
さらに好適な第四級化合物は、式（ＶＩＩ）：
【化６】
2009507111.tif 000007
（式中、Ｒ１２、Ｒ１３およびＲ１４は、互いに独立に、Ｃ１−４−アルキル、アルケニルまたはヒドロキシアルキル基であり、Ｒ１５およびＲ１６は、各々、独立に、Ｃ８−２８−アルキル基から選択され、ｒは０〜５の数値である）
により表される。
【０２７４】
式（ＩＩＩ）および（ＩＶ）の化合物に加えて、水溶性の短鎖第四級アンモニウム化合物も使用することができ、例えば、トリヒドロキシエチルメチルアンモニウムメトスルフェートまたはアルキルトリメチルアンモニウムクロリド、ジアルキルジメチルアンモニウムクロリドおよびトリアルキルメチルアンモニウムクロリド、例えば、セチルトリメチルアンモニウムクロリド、ステアリルトリメチルアンモニウムクロリド、ジステアリルジメチルアンモニウムクロリド、ラウリルジメチルアンモニウムクロリド、ラウリルジメチルベンジルアンモニウムクロリドおよびトリセチルメチルアンモニウムクロリドがある。
【０２７５】
柔軟効果を有するプロトン化アルキルアミン化合物、およびカチオン性乳化剤のプロトン化された非四級化前駆体もまた好適である。
【０２７６】
本発明に従って使用することができるさらなるカチオン化合物は、四級化タンパク質加水分解物である。
【０２７７】
好適なカチオン性ポリマーとしては、ＣＴＦＡ  Ｃｏｓｍｅｔｉｃ  Ｉｎｇｒｅｄｉｅｎｔ  Ｄｉｃｔｉｏｎａｒｙ（Ｔｈｅ  Ｃｏｓｍｅｔｉｃ，Ｔｏｉｌｅｔｒｙ  ａｎｄ  Ｆｒａｇｒａｎｃｅ，Ｉｎｃ．，１９９７）に記載されているようなポリクオタニウムポリマー、特にポリクオタニウム−６、ポリクオタニウム−７、ポリクオタニウム−１０ポリマー（Ｕｃａｒｅ  ｐｏｌｙｍｅｒ  ＩＲ  ４００；Ａｍｅｒｃｈｏｌ）（メルクワット(merquat)とも呼ばれている）、ポリクオタニウム−４コポリマー、例えば、アリルジメチルアンモニウムクロリドを介して結合されたセルロース主鎖と第四級アンモニウム基を有するグラフトコポリマー、カチオン性セルロース誘導体、例えばカチオン性グアー、例えばグアーヒドロキシプロピルトリアンモニウムクロリド、および同様の四級化グアー誘導体（例えば、ｃｏｓｍｅｄｉａ  ｇｕａｒ、製造業者：Ｃｏｇｎｉｓ  ＧｍｂＨ）、カチオン性第四級糖誘導体（カチオン性アルキルポリグルコシド）、例えば、市販品  Ｇｌｕｃｑｕａｔ(登録商標)１００（ＣＴＦＡ命名法によれば「ラウリルメチルグルセス−１０ヒドロキシプロピルジモニウムクロリド(Lauryl Methyl Gluceth-10 Hydroxypropyl Dimonium Chloride)」）、ＰＶＰとジメチルアミノメタクリレートとのコポリマー、ビニルイミダゾールとビニルピロリドンとのコポリマー、アミノシリコーンポリマーおよびコポリマーが挙げられる。
【０２７８】
同様に、ポリ四級化ポリマー（例えば、ＢＡＳＦのＬｕｖｉｑｕａｔ  Ｃａｒｅ）、およびキチンベースのカチオン性バイオポリマー、ならびにそれらの誘導体、例えばＣｈｉｔｏｓａｎ(登録商標)（製造業者：Ｃｏｇｎｉｓ）という商標名で入手可能なポリマーも使用することができる。
【０２７９】
本発明によれば、同様に、カチオン性シリコーン油、例えば、市販品Ｑ２−７２２４（製造業者：Ｄｏｗ  Ｃｏｒｎｉｎｇ；安定化トリメチルシリルアモジメチコン）、Ｄｏｗ  Ｃｏｒｎｉｎｇ  ９２９エマルジョン（ヒドロキシルアミノ変性シリコーンを含み、アモジメチコンとも呼ばれる）、ＳＭ−２０５９（製造業者：Ｇｅｎｅｒａｌ  Ｅｌｅｃｔｒｉｃ）、ＳＬＭ−５５０６７（製造業者：Ｗａｃｋｅｒ）、Ａｂｉｌ(登録商標)−Ｑｕａｔ  ３２７０および３２７２（製造業者：Ｇｏｌｄｓｃｈｍｉｄｔ−Ｒｅｗｏ；ジ第四級ポリジメチルシロキサン、クオタニウム−８０）、およびＳｉｌｉｃｏｎｑｕａｔ  Ｒｅｗｏｑｕａｔ(登録商標)ＳＱ  １（Ｔｅｇｏｐｒｅｎ(登録商標)６９２２、製造業者：Ｇｏｌｄｓｃｈｍｉｄｔ−Ｒｅｗｏ）なども使用することができる。
【０２８０】
同様に、式（ＶＩＩＩ）：
【化７】
2009507111.tif 000008
の化合物も使用することができ、これは、それらの非四級化形態、または、示すように、それらの四級化形態のアルキルアミドアミンであってよい。Ｒ１７は、１２〜２２個の炭素原子を有し、０、１つ、２つまたは３つの二重結合を有する脂肪族アルキル（アルケニル）基であってよい。ｓは、０〜５の値である。Ｒ１８およびＲ１９は、互いに独立に、各々、Ｈ、Ｃ１４−アルキルまたはヒドロキシアルキルである。好ましい化合物は、脂肪酸アミドアミン、例えばＴｅｇｏ  Ａｍｉｄ(登録商標)Ｓ  １８という名称で入手可能なステアリルアミドプロピルジメチルアミン、またはＳｔｅｐａｎｔｅｘ(登録商標)Ｘ  ９１２４という名称で入手可能な３−獣脂アミドプロピルトリメチルアンモニウムメトスルフェートであり、脂肪酸アミドアミンは優れたコンディショニング効果だけでなく、色移り防止効果、特にそれらの優れた生分解性も特徴とする。
【０２８１】
特に好ましいのは、少なくとも１つのアルキル鎖がエステル基および／またはアミド基によって分断されているアルキル化第四級アンモニウム化合物、特にＮ−メチル−Ｎ−（２−ヒドロキシエチル）−Ｎ，Ｎ−（ジ獣脂アシルオキシエチル）アンモニウムメトスルフェートである。
【０２８２】
好適な非イオン性柔軟剤は、主として、ポリオキシアルキレングリセロールアルカノエート、ポリブチレン、長鎖脂肪酸、エトキシル化脂肪酸エタノールアミド、アルキルポリグリコシド、特にソルビタンモノ−、ジ−およびトリエステル、ならびにポリカルボン酸の脂肪酸エステルである。
【０２８３】
本発明の組成物、好ましくは、コンディショニング組成物では、柔軟剤は、いずれの場合にも組成物全体に対して０．１〜８０重量％、通常０．１〜７０重量％、好ましくは０．２〜６０重量％、特に０．５〜４０重量％の量で存在し得る。
【０２８４】
本発明のコンディショニング組成物は、好ましくは、１種類以上のアニオン性界面活性剤、特に上記で既述のものを含む。
【０２８５】
本発明のコンディショニング組成物は、好ましくは、１種類以上の非イオン性界面活性剤、特に上記で既述のものを含む。
【０２８６】
本発明の組成物の全てに対して、特にコンディショニング組成物に対して好適なさらなる界面活性剤は、いわゆるジェミニ界面活性剤である。このジェミニ界面活性剤とは、一般に、１分子当たりに２つの親水基と２つの疎水基とを有する化合物を指すと理解される。これらの基は、一般に、いわゆるスペーサーで相互に分離されている。このスペーサーは、通常、炭素鎖であり、この炭素鎖は、親水基が互いに独立に作用し得るように十分な間隔で配置されるのに十分に長い必要がある。そのような界面活性剤は、一般に、異常に低い臨界ミセル濃度と水の表面張力を大幅に低下させる能力を特徴とする。しかしながら、例外的なケースでは、ジェミニ界面活性剤という表現は、二量体界面活性剤だけでなく、三量体界面活性剤も指すと理解される。
【０２８７】
好適なジェミニ界面活性剤は、例えば、硫酸化ヒドロキシ混合エーテルまたは二量体アルコールビス−および三量体アルコールトリス−スルフェート、ならびにエーテルスルフェートである。末端キャップされた二量体および三量体混合エーテルは、特に二官能性および多官能性を特徴とする。そのため、前記末端キャップ界面活性剤は、優れた湿潤性を有し、低発泡性であり、これは、その界面活性剤が、特に機械での洗浄またはクリーニング処理に使用するのに好適であることを意味する。
【０２８８】
しかしながら、関連先行技術に記載のとおり、ジェミニポリヒドロキシ脂肪酸アミドまたはポリ−ポリヒドロキシ脂肪酸アミドも使用することができる。
【０２８９】
さらなる好適な界面活性剤は、次式：
【化８】
2009507111.tif 000009
（式中、ＲＣＯは、６〜２２個の炭素原子を有する脂肪族アシル基であり、Ｒ２３は、水素、１〜４個の炭素原子を有するアルキルまたはヒドロキシアルキル基であり、［Ｚ］は３〜１０個の炭素原子と３〜１０のヒドロキシル基とを有する直鎖もしくは分枝ポリヒドロキシアルキル基である）
に相当するポリヒドロキシ脂肪酸アミドである。ポリヒドロキシ脂肪酸アミドは公知の物質であり、通常、還元糖をアンモニア、アルキルアミンまたはアルカノールアミンで還元的アミノ化し、その後、脂肪酸、脂肪酸アルキルエステルまたは脂肪酸クロリドでアシル化することにより得ることができる。
【０２９０】
また、ポリヒドロキシ脂肪酸アミドのグループには、次式：
【化９】
2009507111.tif 000010
（式中、Ｒは、７〜１２個の炭素原子を有する直鎖もしくは分枝アルキルまたはアルケニル基であり、Ｒ２４は、２〜８個の炭素原子を有する直鎖、分枝もしくは環状アルキル基またはアリール基であり、Ｒ２５は、１〜８個の炭素原子を有する直鎖、分枝もしくは環状アルキル基またはアリール基またはオキシアルキル基であり（この場合、Ｃ１−４−アルキルまたはフェニル基が好ましい）、［Ｚ］は、アルキル鎖が少なくとも２つのヒドロキシル基により置換されている直鎖ポリヒドロキシアルキル基、またはこの基のアルコキシル化、好ましくはエトキシル化もしくはプロポキシル化誘導体である）
に相当する化合物も含まれる。
【０２９１】
［Ｚ］は、還元糖、例えばグルコース、フルクトース、マルトース、ラクトース、ガラクトース、マンノースまたはキシロースの還元的アミノ化により得られることが好ましい。その後、Ｎ−アルコキシ−もしくはＮ−アリールオキシ−置換化合物は、例えば触媒としてのアルコキシドの存在下で脂肪酸メチルエステルと反応させることにより、所望のポリヒドロキシ脂肪酸アミドに変換され得る。
【０２９２】
また、本発明の組成物は、好ましくは、両性界面活性剤も含む。数多くのモノ−、ジ−およびトリアルキル化アミンオキシドに加えて、ベタインは重要な種類である。
【０２９３】
ベタインは、公知の界面活性剤であり、大部分は、アミン化合物のカルボキシアルキル化、好ましくは、カルボキシメチル化により調製される。好ましくは、出発物質は、ハロカルボン酸またはそれらの塩、特にクロロ酢酸ナトリウムと縮合され、この場合、ベタイン１モル当たり１ｍｏｌの塩が生成される。さらに実現性があるのは、例えば、アクリル酸などの不飽和カルボン酸の付加反応である。標準名称に関しては、そして特にベタインと「厳密な」両性界面活性剤とを区別するためには、関連技術文献が参照される。好適なベタインの例は、式（ＩＸ）：
【化１０】
2009507111.tif 000011
（式中、Ｒ２６は、６〜２２個の炭素原子を有するアルキルおよび／またはアルケニル基であり、Ｒ２７は、水素または１〜４個の炭素原子を有するアルキル基であり、Ｒ２８は、１〜４個の炭素原子を有するアルキル基であり、ｎは、１〜６の数値であり、Ｘ１は、アルカリ金属および／またはアルカリ土類金属またはアンモニウムである）
に相当する、第二級、特に第三級アミンのカルボキシアルキル化生成物である。典型的な例は、ヘキシルメチルアミン、ヘキシルジメチルアミン、オクチルジメチルアミン、デシルジメチルアミン、ドデシルメチルアミン、ドデシルジメチルアミン、ドデシルエチルメチルアミン、Ｃ１２／１４−ココアルキルジメチルアミン、ミリスチルジメチルアミン、セチルジメチルアミン、ステアリルジメチルアミン、ステアリルエチルメチルアミン、オレイルジメチルアミン、Ｃ１６／１８−獣脂アルキルジメチルアミン、およびそれらの技術的混合物のカルボキシメチル化生成物である。
【０２９４】
さらに、式（Ｘ）：
【化１１】
2009507111.tif 000012
（式中、Ｒ３１ＣＯは、６〜２２個の炭素原子と０または１〜３つの二重結合を有する脂肪族アシル基であり、ｍは、１〜３の数値であり、Ｒ２９、Ｒ３０、ｎおよびＸ２は、上述した意味を有する）
に相当するアミドアミンのカルボキシアルキル化生成物もまた好適である。典型的な例は、６〜２２個の炭素原子を有する脂肪酸、すなわちカプロン酸、カプリル酸、カプリン酸、ラウリン酸、ミリスチン酸、パルミチン酸、パームオレイン酸、ステアリン酸、イソステアリン酸、オレイン酸、エライジン酸、ペトロセリン酸、リノール酸、リノレン酸、エレオステアリン酸、アラキジン酸、ガドレイン酸、ベヘン酸およびエルカ酸、ならびにそれらの技術的混合物と、Ｎ，Ｎ−ジメチルアミノエチルアミン、Ｎ，Ｎ−ジメチルアミノプロピルアミン、Ｎ，Ｎ−ジエチルアミノエチルアミンおよびＮ，Ｎ−ジエチルアミノプロピルアミンとの反応生成物であり、これらの反応生成物はクロロ酢酸ナトリウムと縮合される。Ｃ８／１８−ココヤシ脂肪酸−Ｎ，Ｎ−ジメチルアミノプロピルアミドとクロロ酢酸ナトリウムとの縮合生成物を使用することが好ましい。
【０２９５】
また、本発明の目的に使用することができるベタインに適した出発物質として好適なのは、式（ＸＩ）：
【化１２】
2009507111.tif 000013
（式中、Ｒ３２は、５〜２１個の炭素原子を有するアルキル基であり、Ｒ３３は、ヒドロキシル基、ＯＣＯＲ３２またはＮＨＣＯＲ３２基であり、ｍは、２または３である）
に相当するイミダゾリンである。これらの物質もまた、公知の物質であり、例えば、１または２ｍｏｌの脂肪酸と、多官能性アミン、例えばアミノエチルエタノールアミン（ＡＥＥＡ）またはジエチレントリアミンとを環化縮合することにより得ることができる。対応するカルボキシアルキル化生成物は、異なる開鎖ベタインの混合物である。典型的な例は、上述の脂肪酸とＡＥＥＡとの縮合生成物、好ましくは、ラウリン酸、あるいはまたＣ１２／１４−ココヤシ脂肪酸をベースとしたイミダゾリンであり、これらは、続いて、クロロ酢酸ナトリウムでベタイン化される。
【０２９６】
好ましい態様では、本発明の組成物は、液状で、例えばコンディショニング組成物または液体洗剤などとして存在する。液体コンシステンシーを実現するために、液体有機溶媒の使用も水の使用も適当であり得る。よって、本発明の組成物は、場合により、溶媒を含む。好ましい態様では、本質的に液状で存在する本発明の消費者製品は、香油を含む懸濁固体を含有する。
【０２９７】
本発明の組成物に使用することができる溶媒は、定められた濃度範囲で水と混合できるという条件で、例えば、一価もしくは多価アルコール、アルカノールアミンまたはグリコールエーテルの群に由来するものである。好ましくは、溶媒は、エタノール、ｎ−もしくはイソプロパノール、ブタノール、グリコール、プロパンジオールまたはブタンジオール、グリセロール、ジグリコール、プロピルもしくはブチルジグリコール、ヘキシレングリコール、エチレングリコールメチルエーテル、エチレングリコールエチルエーテル、エチレングリコールプロピルエーテル、エチレングリコールモノ−ｎ−ブチルエーテル、ジエチレングリコールメチルエーテル、ジエチレングリコールエチルエーテル、プロピレングリコールメチル、エチルもしくはプロピルエーテル、ブトキシプロポキシプロパノール（ＢＰＰ）、ジプロピレングリコールモノメチルもしくはモノエチルエーテル、ジイソプロピレングリコールモノメチルもしくはモノエチルエーテル、メトキシ、エトキシもしくはブトキシトリグリコール、１−ブトキシエトキシ−２−プロパノール、３−メチル−３−メトキシブタノール、プロピレングリコールｔ−ブチルエーテル、およびこれらの溶媒の混合物から選択される。
【０２９８】
いくつかのグリコールエーテルは、Ａｒｃｏｓｏｌｖ(登録商標)（Ａｒｃｏ  Ｃｈｅｍｉｃａｌ  Ｃｏ．）またはＣｅｌｌｏｓｏｌｖｅ(登録商標)、Ｃａｒｂｉｔｏｌ(登録商標)もしくはＰｒｏｐａｓｏｌ(登録商標)（Ｕｎｉｏｎ  Ｃａｒｂｉｄｅ  Ｃｏｒｐ．）という商標名で入手可能であり；このようなものには、例えば、ＢｕｔｙｌＣａｒｂｉｔｏｌ(登録商標)、ＨｅｘｙｌＣａｒｂｉｔｏｌ(登録商標)、ＭｅｔｈｙｌＣａｒｂｉｔｏｌ(登録商標)、およびＣａｒｂｉｔｏｌ(登録商標)自体、（２−（２−エトキシ）エトキシ）エタノールも含まれる。当業者ならば、グリコールエーテルを、揮発性、水解性、分散液全体に対する重量パーセントなどに基づいて容易に選択することができる。Ｎ−アルキルピロリドン、例えばＮ−メチル−２−ピロリドンもしくはＮ−Ｃ８−Ｃ１２−アルキルピロリドン、または２−ピロリドンなどのピロリドン溶媒も同様に使用することができる。また、単独溶媒としてまたは溶媒混合物の構成要素として、グリセロール誘導体、特にグリセロールカーボネートも好ましい。
【０２９９】
本発明において、好ましくは、共溶媒として使用することができるアルコールとしては、低分子量の液体ポリエチレングリコール、例えば分子量が２００、３００、４００または６００であるポリエチレングリコールが挙げられる。さらなる好適な共溶媒は、他のアルコール、例えば（ａ）低級アルコール、例えばエタノール、プロパノール、イソプロパノールおよびｎ−ブタノール、（ｂ）ケトン、例えばアセトンおよびメチルエチルケトン、（ｃ）Ｃ２−Ｃ４−ポリオール、例えばジオールまたはトリオール、例えばエチレングリコール、プロピレングリコール、グリセロールまたはそれらの混合物である。ジオールからは、１，２−オクタンジオールが特に好ましい。
【０３００】
好ましい態様では、本発明の組成物は、Ｃ１〜Ｃ４−モノアルコール、Ｃ２〜Ｃ６−グリコール、Ｃ３〜Ｃ１２−グリコールエーテルおよびグリセロールを含む群の１種類以上の溶媒、特にエタノールを含む。本発明のＣ３〜Ｃ１２−グリコールエーテルは、１０個未満の炭素原子、好ましくは８個までの、特に６個までの、特に好ましくは１〜４個の、格段に好ましくは２〜３個の炭素原子を有するアルキルまたはアルケニル基を含有する。
【０３０１】
好ましいＣ１〜Ｃ４−モノアルコールは、エタノール、ｎ−プロパノール、イソプロパノールおよびｔｅｒｔ−ブタノールである。好ましいＣ２〜Ｃ６−グリコールは、エチレングリコール、１，２−プロピレングリコール、１，３−プロピレングリコール、１，５−ペンタンジオール、ネオペンチルグリコールおよび１，６−ヘキサンジオール、特にエチレングリコールおよび１，２−プロピレングリコールである。好ましいＣ３〜Ｃ１２−グリコールエーテルは、ジ−、トリ−、テトラ−およびペンタエチレングリコール、ジ−、トリ−およびテトラプロピレングリコール、プロピレングリコールモノ−ｔｅｒｔ−ブチルエーテルおよびプロピレングリコールモノエチルエーテル、ならびにＩＮＣＩによってブトキシジグリコール、ブトキシエタノール、ブトキシイソプロパノール、ブトキシプロパノール、ブチルオクタノール、エトキシジグリコール、エトキシエタノール、エチルヘキサンジオール、イソブトキシプロパノール、イソペンチルジオール、３−メトキシブタノール、メトキシエタノール、メトキシイソプロパノールおよびメトキシメチルブタノールと呼ばれる溶媒である。
【０３０２】
本発明の組成物、好ましくは、コンディショニング組成物または液体洗剤は、１種類以上の溶媒を、いずれの場合にも組成物全体に対して、通常４０重量％まで、好ましくは０．１〜３０重量％、特に２〜２０重量％、特に好ましくは３〜１５重量％、格段に好ましくは５〜１２重量％、例えば５．３または１０．６重量％の量で含み得る。
【０３０３】
好ましい態様では、本発明の組成物、例えば、特に、コンディショニング組成物は、場合により、１種類以上の錯化剤を含み得る。
【０３０４】
錯化剤（ＩＮＣＩ  キレート剤）は、金属イオン封鎖剤とも呼ばれ、例えば安定性または組成物の外観、例えば濁度への悪影響が起こらないようにするために、金属イオンを錯化および不活性化することができる成分である。一方では、数多くの成分と不適合である硬水のカルシウムイオンおよびマグネシウムイオンを錯化することが重要である。鉄または銅のような重金属のイオンの錯化は、完成した組成物の酸化分解を遅らせる。
【０３０５】
例えば、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋでより詳細に記述されている、例えば、ＩＮＣＩによって名づけられた次の錯化剤：アミノトリメチレンホスホン酸、β−アラニン二酢酸、カルシウムジナトリウムＥＤＴＡ、クエン酸、シクロデキストリン、シクロヘキサンジアミン四酢酸、ジアンモニウムシトレート、ジアンモニウムＥＤＴＡ、ジエチレントリアミンペンタメチレンホスホン酸、ジカリウムＥＤＴＡ、ジナトリウムアザシクロヘプタンジホスホネート、ジナトリウムＥＤＴＡ、ジナトリウムピロホスフェート、ＥＤＴＡ、エチドロン酸、ガラクタル酸、グルコン酸、グルクロン酸、ＨＥＤＴＡ、ヒドロキシプロピルシクロデキストリン、メチルシクロデキストリン、ペンタカリウムトリホスフェート、ペンタナトリウムアミノトリメチレンホスホネート、ペンタナトリウムエチレンジアミンテトラメチレンホスホネート、ペンタナトリウムペンテテート、ペンタナトリウムトリホスフェート、ペンテト酸、フィチン酸、カリウムシトレート、カリウムＥＤＴＭＰ、カリウムグルコネート、カリウムポリホスフェート、カリウムトリスホスホノメチルアミンオキシド、リボン酸、ナトリウムキトサンメチレンホスホネート、ナトリウムシトレート、ナトリウムジエチレントリアミンペンタメチレンホスホネート、ナトリウムジヒドロキシエチルグリシネート、ナトリウムＥＤＴＭＰ、ナトリウムグルセプテート、ナトリウムグルコネート、ナトリウムグリセレス−１−ポリホスフェート、ナトリウムヘキサメタホスフェート、ナトリウムメタホスフェート、ナトリウムメタシリケート、ナトリウムフィテート、ナトリウムポリジメチルグリシノフェノールスルホネート、ナトリウムトリメタホスフェート、ＴＥＡ−ＥＤＴＡ、ＴＥＡ−ポリホスフェート、テトラヒドロキシエチルエチレンジアミン、テトラヒドロキシプロピルエチレンジアミン、テトラカリウムエチドロネート、テトラカリウムピロホスフェート、テトラナトリウムＥＤＴＡ、テトラナトリウムエチドロネート、テトラナトリウムピロホスフェート、トリカリウムＥＤＴＡ、トリナトリウムジカルボキシメチルアラニネート、トリナトリウムＥＤＴＡ、トリナトリウムＨＥＤＴＡ、トリナトリウムＮＴＡおよびトリナトリウムホスフェートが適している。
【０３０６】
好ましい錯化剤は、第三級アミン、特に第三級アルカノールアミン（アミノアルコール）である。アルカノールアミンは、官能基としてアミノ基と、ヒドロキシおよび／またはエーテル基の両方を有する。特に好ましい第三級アルカノールアミンは、トリエタノールアミンおよびテトラ−２−ヒドロキシプロピルエチレンジアミン（Ｎ，Ｎ，Ｎ’，Ｎ’−テトラキス（２−ヒドロキシプロピル）エチレンジアミン）である。第三級アミンと、リシノール酸亜鉛および非イオン性溶解促進剤としての１種類以上のエトキシル化脂肪アルコールおよび場合により溶媒との特に好ましい組合せは、先行技術に記載されている。
【０３０７】
特に好ましい錯化剤は、その塩を含むエチドロン酸（１−ヒドロキシエチリデン−１，１−ジホスホン酸、１−ヒドロキシエタン−１，１−ジホスホン酸、ＨＥＤＰ、アセトホスホン酸、ＩＮＣＩ  エチドロン酸）である。従って、好ましい態様では、本発明の組成物は、錯化剤としてエチドロン酸および／または１種類以上のその塩を含む。
【０３０８】
特定の態様では、本発明の組成物は、１種類以上の第三級アミンと１種類以上のさらなる錯化剤、好ましくは、１種類以上の錯化剤である酸またはそれらの塩との錯化剤組合せ、特にトリエタノールアミンおよび／またはテトラ−２−ヒドロキシプロピルエチレンジアミンとエチドロン酸および／または１種類以上のその塩との錯化剤組合せを含む。
【０３０９】
本発明の組成物、例えば特にコンディショニング組成物は、錯化剤を、有利には、通常０〜２０重量％、好ましくは０．１〜１５重量％、特に０．５〜１０重量％、特に好ましくは１〜８重量％、格段に好ましくは１．５〜６重量％の量で含む。
【０３１０】
さらなる態様では、本発明の組成物、例えば、特に、コンディショニング組成物は、場合により、好ましくは増粘剤として作用する１種類以上の粘度調節剤を含む。
【０３１１】
組成物の粘度は、通常の標準的な方法（例えばＢｒｏｏｋｆｉｅｌｄ粘度計  ＲＶＤ−ＶＩＩ、２０ｒｐｍおよび２０℃にて、スピンドル３）を用いて測定することができ、１０〜５０００ｍＰａｓの範囲であることが好ましい。好ましい液体からゲル様の組成物は、２０〜４０００ｍＰａｓの粘度を有し、４０〜２０００ｍＰａｓの値が特に好ましい。
【０３１２】
好適な増粘剤は、無機または高分子有機化合物である。２種類以上の増粘剤の混合物も使用することができる。
【０３１３】
無機増粘剤としては、例えば、ポリケイ酸、粘土鉱物、例えばモンモリロナイト、ゼオライト、シリカ、ケイ酸アルミニウム、層状シリケートおよびベントナイトが挙げられる。
【０３１４】
有機増粘剤は、天然ポリマー、改質天然ポリマーおよび完全合成ポリマーの群に由来するものである。
【０３１５】
増粘剤として使用される天然起源のポリマーは、例えば、キサンタン、寒天、カラギーン、トラガカントゴム、アラビアゴム、アルギン酸塩、ペクチン、ポリオース、グァーフラワー、ジェランガム、イナゴマメシードフラワー、デンプン、デキストリン、ゼラチンおよびカゼインである。
【０３１６】
改質天然物質は、主として、加工デンプンおよびセルロースの群に由来するものであり、ここで記載し得る例は、カルボキシメチルセルロースおよび他のセルロースエーテル、ヒドロキシエチルセルロースおよびヒドロキシプロピルセルロース、高エーテル化メチルヒドロキシエチルセルロース、ならびにイナゴマメフラワーエーテルである。
【０３１７】
非常に様々な応用分野で広く使用される増粘剤の大きな群は、完全合成ポリマー、例えば架橋型または非架橋型であってよく、場合によってカチオン変性されていてよいポリアクリル酸化合物およびポリメタクリル酸化合物、ビニルポリマー、ポリカルボン酸、ポリエーテル、活性化ポリアミド誘導体、ヒマシ油誘導体、ポリイミン、ポリアミドおよびポリウレタンである。そのようなポリマーの例は、アクリル樹脂、アクリル酸エチル−アクリルアミドコポリマー、アクリル酸エステル−メタクリル酸エステルコポリマー、アクリル酸エチル−アクリル酸−メタクリル酸コポリマー、Ｎ−メチロール−メタクリルアミド、無水マレイン酸−メチルビニルエーテルコポリマー、ポリエーテル−ポリオールコポリマー、およびブタジエン−スチレンコポリマーである。
【０３１８】
さらなる好適な増粘剤は、有機酸誘導体およびそれらのアルコキシド付加物、例えばアリールポリグリコールエーテル、カルボキシル化ノニルフェノールエトキシレート誘導体、アルギン酸ナトリウム、ジグリセロールモノイソステアレート、非イオノゲン性(nonionogenic)エチレンオキシド付加物、ココヤシ脂肪酸ジエタノールアミド、無水イソドデセニルコハク酸、およびガラクトマンナンである。前記物質種の増粘剤は、市販されており、例えば、Ａｃｕｓｏｌ(登録商標)−８２０（メタクリル酸（ステアリルアルコール−２０−ＥＯ）エステル−アクリル酸コポリマー、水中濃度３０％、Ｒｏｈｍ  ＆  Ｈａａｓ）、Ｄａｐｒａｌ(登録商標)−ＧＴ−２８２−Ｓ（アルキルポリグリコールエーテル、Ａｋｚｏ）、Ｄｅｕｔｅｒｏｌ(登録商標)−Ｐｏｌｙｍｅｒ−１１（ジカルボン酸コポリマー、Ｓｃｈｏｅｎｅｒ  ＧｍｂＨ）、Ｄｅｕｔｅｒｏｎ(登録商標)−ＸＧ（β−Ｄ−グルコース、Ｄ−マンノース、Ｄ−グルクロン酸に基づくアニオン性ヘテロ多糖類、Ｓｃｈｏｅｎｅｒ  ＧｍｂＨ）、Ｄｅｕｔｅｒｏｎ(登録商標)−ＸＮ（非イオノゲン性多糖類、Ｓｃｈｏｅｎｅｒ  ＧｍｂＨ）、Ｄｉｃｒｙｌａｎ(登録商標)−Ｖｅｒｄｉｃｋｅｒ−Ｏ（エチレンオキシド付加物、水／イソプロパノール中濃度５０％、Ｐｆｅｒｓｓｅ  Ｃｈｅｍｉｅ）、ＥＭＡ(登録商標)−８１およびＥＭＡ(登録商標)−９１（エチレン−無水マレイン酸コポリマー、Ｍｏｎｓａｎｔｏ）、Ｖｅｒｄｉｃｋｅｒ−ＱＲ−１００１（ポリウレタンエマルジョン、水／ジグリコールエーテル中濃度１９〜２１％、Ｒｏｈｍ  ＆  Ｈａａｓ）、Ｍｉｒｏｘ(登録商標)−ＡＭ（アニオン性アクリル酸−アクリル酸エステルコポリマー分散液、水中濃度２５％、Ｓｔｏｃｋｈａｕｓｅｎ）、ＳＥＲ−ＡＤ−ＦＸ−１１００（疎水性ウレタンポリマー、Ｓｅｒｖｏ  Ｄｅｌｄｅｎ）、Ｓｈｅｌｌｆｌｏ(登録商標)−Ｓ（高分子量多糖類、ホルムアルデヒドによる安定化、Ｓｈｅｌｌ）、Ｓｈｅｌｌｆｌｏ(登録商標)−ＸＡ（キサンタンバイオポリマー、ホルムアルデヒドによる安定化、Ｓｈｅｌｌ）、Ｋｅｌｚａｎ、Ｋｅｌｔｒｏｌ  Ｔ（Ｋｅｌｃｏ）という商標名で供給されている。
【０３１９】
さらなる好ましい態様では、本発明の組成物、例えば、特に、コンディショニング組成物は、場合により、１種類以上の酵素を含む。
【０３２０】
好適な酵素は、特に、ヒドロラーゼ種のもの、例えばプロテアーゼ、エステラーゼ、リパーゼもしくは脂肪分解酵素、アミラーゼ、セルラーゼまたは他のグリコシルヒドロラーゼおよび前記酵素の混合物である。これらのヒドロラーゼは全て、洗浄中、汚れ（例えばタンパク質性の汚れ、油脂性の汚れまたはデンプン質の汚れ）や灰色化の除去に役立つ。セルラーゼおよび他のグリコシルヒドロラーゼは、さらに、色の保留や、ピリングおよび微小繊維を除去することにより布地の柔らかさの増加にも役立ち得る。漂白のため、そして色移り防止のために、オキシレダクターゼを使用することもできる。
【０３２１】
特に良好な適性を示すのは、細菌株または真菌、例えば枯草菌（Ｂａｃｉｌｌｕｓ  ｓｕｂｔｉｌｉｓ）、バチルス・リケニホルミス菌（Ｂａｃｉｌｌｕｓ  ｌｉｃｈｅｎｉｆｏｒｍｉｓ）、ストレプトミセス・グリセウス（Ｓｔｒｅｐｔｏｍｙｃｅｕｓ  ｇｒｉｓｅｕｓ）およびフミコラ・インソレンス（Ｈｕｍｉｃｏｌａ  ｉｎｓｏｌｅｎｓ）から得られる酵素有効成分である。サブチリシンタイプのプロテアーゼ、特にバチルス・レンタス（Ｂａｃｉｌｌｕｓ  ｌｅｎｔｕｓ）から得られるプロテアーゼを使用することが好ましい。これに関連して、酵素混合物、例えばプロテアーゼとアミラーゼとの酵素混合物またはプロテアーゼとリパーゼもしくは脂肪分解酵素との酵素混合物またはプロテアーゼとセルラーゼとの酵素混合物またはセルラーゼとリパーゼもしくは脂肪分解酵素との酵素混合物またはプロテアーゼとアミラーゼとリパーゼもしくは脂肪分解酵素との酵素混合物またはプロテアーゼとリパーゼもしくは脂肪分解酵素とセルラーゼとの酵素混合物、特にプロテアーゼおよび／またはリパーゼ含有混合物もしくは脂肪分解酵素含有混合物が特に興味深い。そのような脂肪分解酵素の例は、公知のクチナーゼである。また、ペルオキシダーゼまたはオキシダーゼも一部のケースでは好適であることが証明されている。好適なアミラーゼとしては、特に、α−アミラーゼ、イソアミラーゼ、プルラナーゼおよびペクチナーゼが挙げられる。セルラーゼとしては、セロビオヒドロラーゼ、エンドグルカナーゼおよびセロビアーゼとも呼ばれるβ−グルコシダーゼ、またはそれらの混合物を使用することが好ましい。様々なタイプのセルロースはＣＭＣアーゼ活性およびアビセラーゼ活性によって異なっているため、所望の活性は、セルラーゼの的を絞った混合により達成することができる。
【０３２２】
酵素は、早期分解から酵素を守るために、担体物質に吸着またはコーティングされた成形体として組み込むことができる。酵素、酵素混合物または酵素顆粒の割合は、例えば、組成物全体に対して、約０．１〜５重量％、好ましくは０．１２〜約２重量％であり得る。
【０３２３】
本発明の組成物、例えば特に洗剤もしくは洗浄剤、ケア組成物またはコンディショニング組成物は、場合により、漂白剤を含み得る。水中でＨ２Ｏ２を発生する漂白剤として働く化合物では、過炭酸ナトリウム、過ホウ酸ナトリウム四水和物および過ホウ酸ナトリウム一水和物が特に重要である。使用することができるさらなる漂白剤は、例えば、ペルオキソピロホスフェート、クエン酸塩過水和物、およびＨ２Ｏ２を発生する過酸塩または過酸、例えば過硫酸塩または過硫酸である。また、式Ｈ２Ｎ−ＣＯ−ＮＨ２・Ｈ２Ｏ２により記載することができるウレアペルオキソハイドレートペルカルバミドも使用することができる。特に、組成物が例えば機械による食器洗い中に硬質表面を清浄するのに使用される場合、組成物は、必要に応じて、有機漂白剤の群の漂白剤も含んでよいが、そのような漂白剤は、原則として、布地洗浄のための組成物においても使用可能である。典型的な有機漂白剤は、過酸化ジアクリル、例えば、過酸化ジベンゾイルなどである。さらなる典型的な有機漂白剤は、ペルオキソ酸であり、特定例はアルキルペルオキソ酸およびアリールペルオキソ酸である。好ましい代表は、ペルオキシ安息香酸およびその環置換誘導体、例えばアルキルペルオキシ安息香酸であるが、ペルオキシ−α−ナフトエ酸およびモノ過フタル酸マグネシウム、脂肪族もしくは置換脂肪族ペルオキソ酸、例えばペルオキシラウリン酸、ペルオキシステアリン酸、ε−フタルイミドペルオキシカプロン酸（フタルイミドペルオキシヘキサン酸、ＰＡＰ）、ｏ−カルボキシベンズアミドペルオキシカプロン酸、Ｎ−ノネニルアミド過アジピン酸およびＮ−ノネニルアミド過コハク酸塩、ならびに脂肪族および芳香脂肪族ペルオキシジカルボン酸、例えば１，１２−ジペルオキシカルボン酸、１，９−ジペルオキシアゼライン酸、ジペルオキシセバシン酸、ジペルオキシブラシル酸、ジペルオキシフタル酸、２−デシルジペルオキシブタン−１，４−二酸、Ｎ，Ｎ−テレフタロイル−ジ（６−アミノ過カプロン酸）も使用することができる。
【０３２４】
漂白剤は、早期分解から漂白剤を守るために、コーティングすることが好ましい。
【０３２５】
本発明の組成物に色素を使用することができるが、１種類以上の色素の量は低く選択して、組成物の使用後に眼に見える残留物が残らないようにする。本発明の組成物は、色素を含まないことが好ましい。
【０３２６】
本発明の組成物は好ましくは、１種類以上の抗菌有効成分または保存剤を通常０．０００１〜３重量％、好ましくは０．０００１〜２重量％、特に０．０００２〜１重量％、特に好ましくは０．０００２〜０．２重量％、格段に好ましくは０．０００３〜０．１重量％の量で含み得る。
【０３２７】
抗菌有効成分または保存剤は抗菌域および活性機構によって、静菌剤と殺菌剤、静真菌剤と殺真菌剤などに区別される。これらの群の重要な物質としては、例えば、ベンザルコニウムクロリド、アルキルアリールスルホネート、ハロフェノールおよびフェノールマーキュリーアセテートがある。本発明の教示の範囲内で、抗菌作用および抗菌有効成分とは、標準的な専門的意味を有する。好適な抗菌有効成分は好ましくは、アルコール、アミン、アルデヒド、抗菌性の酸およびその塩、カルボン酸エステル、酸アミド、フェノール、フェノール誘導体、ジフェニル、ジフェニルアルカン、尿素誘導体、酸素−、窒素−アセタールおよび−ホルマール、ベンズアミジン、イソチアゾリン、フタルイミド誘導体、ピリジン誘導体、抗菌界面活性化合物、グアニジン、抗菌両性化合物、キノリン、１，２−ジブロモ−２，４−ジシアノブタン、ヨード−２−プロピルブチルカルバメート、ヨウ素、ヨードフォア、ペルオキソ化合物、ハロゲン化合物、および上記の望ましい混合物がある。
【０３２８】
ここで、抗菌有効成分は、エタノール、ｎ−プロパノール、イソプロパノール、１，３−ブタンジオール、フェノキシエタノール、１，２−プロピレングリコール、グリセロール、ウンデシレン酸、安息香酸、サリチル酸、ジヒドロ酢酸、ｏ−フェニルフェノール、Ｎ−メチルモルホリニウムアセトニトリル（ＭＭＡ）、２−ベンジル−４−クロロフェノール、２，２’−メチレンビス（６−ブロモ−４−クロロフェノール）、４，４’−ジクロロ−２’−ヒドロキシジフェニルエーテル（ジクロサン）、２，４，４’−トリクロロ−２’−ヒドロキシジフェニルエーテル（トリクロサン）、クロルヘキシジン、Ｎ−（４−クロロフェニル）−Ｎ−（３，４−ジクロロフェニル）尿素、Ｎ，Ｎ’−（１，１０−デカンジイルジ−１−ピリジニル−４−イリデン）ビス（１−オクタンアミン）ジヒドロクロリド、Ｎ，Ｎ’−ビス（４−クロロフェニル）−３，１２−ジイミノ−２，４，１１，１３−テトラアザテトラデカンジイミドアミド、グルコプロタミン、抗菌界面活性第四級化合物、例えば、１，６−ビス（２−エチルヘキシルビグアニドヘキサン）ジヒドロクロリド、１，６−ジ（Ｎ１，Ｎ１’−フェニルジグアニド−Ｎ５，Ｎ５’）ヘキサンテトラヒドロクロリド、１，６−ジ（Ｎ１，Ｎ１’−フェニル−Ｎ１，Ｎ１−メチルジグアニド−Ｎ５，Ｎ５’）ヘキサンジヒドロクロリド、１，６−ジ（Ｎ１，Ｎ１’−ｏ−クロロフェニルジグアニド−Ｎ５，Ｎ５’）ヘキサンジヒドロクロリド、１，６−ジ（Ｎ１，Ｎ１’−２，６−ジクロロフェニルジグアニド−Ｎ５，Ｎ５’）ヘキサンジヒドロクロリド、１，６−ジ（Ｎ１，Ｎ１’−β（ｐ−メトキシフェニル）ジグアニド−Ｎ５，Ｎ５’）ヘキサンジヒドロクロリド、１，６−ジ（Ｎ１，Ｎ１’−α−メチル−β−フェニルジグアニド−Ｎ５，Ｎ５’）ヘキサンジヒドロクロリド、１，６−ジ（Ｎ１，Ｎ１’−ｐ−ニトロフェニルジグアニド−Ｎ５，Ｎ５’）ヘキサンジヒドロクロリド、ω，ω−ジ（Ｎ１，Ｎ１’−フェニルジグアニド−Ｎ５，Ｎ５’）−ジ−ｎ−プロピルエーテルジヒドロクロリド、ω，ω’−ジ（Ｎ１，Ｎ１’−ｐ−クロロフェニルジグアニド−Ｎ５，Ｎ５’）−ジ−ｎ−プロピルエーテルテトラヒドロクロリド、１，６−ジ（Ｎ１，Ｎ１’−２，４−ジクロロフェニルジグアニド−Ｎ５，Ｎ５’）ヘキサンテトラヒドロクロリド、１，６−ジ（Ｎ１，Ｎ１’−ｐ−メチルフェニルグアニド−Ｎ５，Ｎ５’）ヘキサンジヒドロクロリド、１，６−ジ（Ｎ１，Ｎ１’−２，４，５−トリクロロフェニルジグアニド−Ｎ５，Ｎ５’）ヘキサンテトラヒドロクロリド、１，６−ジ［Ｎ１，Ｎ１’−α（ｐ−クロロフェニル）エチルジグアニド−Ｎ５，Ｎ５’］ヘキサンジヒドロクロリド、ω，ω−ジ（Ｎ１，Ｎ１’−ｐ−クロロフェニルジグアニド−Ｎ５，Ｎ５’）−ｍ−キシレンジヒドロクロリド、１，１２−ジ（Ｎ１，Ｎ１’−ｐ−クロロフェニルジグアニド−Ｎ５，Ｎ５’）ドデカンジヒドロクロリド、１，１０−ジ（Ｎ１，Ｎ１’−フェニルジグアニド−Ｎ５，Ｎ５’）デカンテトラヒドロクロリド、１，１２−ジ（Ｎ１，Ｎ１’−フェニルジグアニド−Ｎ５，Ｎ５’）ドデカンテトラヒドロクロリド、１，６−ジ（Ｎ１，Ｎ１’−ｏ−クロロフェニルジグ���ニド−Ｎ５，Ｎ５’）ヘキサンジヒドロクロリド、１，６−ジ（Ｎ１，Ｎ１’−ｏ−クロロフェニルジグアニド−Ｎ５，Ｎ５’）ヘキサンテトラヒドロクロリド、
【０３２９】
エチレンビス（１−トリルビグアニド）、エチレンビス（ｐ−トリルビグアニド）、エチレンビス（３，５−ジメチルフェニルビグアニド）、エチレンビス（ｐ−ｔｅｒｔ−アミルフェニルビグアニド）、エチレンビス（ノニルフェニルビグアニド）、エチレンビス（フェニルビグアニド）、エチレンビス（Ｎ−ブチルフェニルビグアニド）、エチレンビス（２，５−ジエトキシフェニルビグアニド）、エチレンビス（２，４−ジメチルフェニルビグアニド）、エチレンビス（ｏ−ジフェニルビグアニド）、エチレンビス（混合アミルナフチルビグアニド）、Ｎ−ブチルエチレンビス（フェニルビグアニド）、トリメチレンビス（ｏ−トリルビグアニド）、Ｎ−ブチルトリメチルビス（フェニルビグアニド）などのビグアニジンおよびポリグアニジンを含むグアニジン、ならびに酢酸塩、グルコン酸塩、塩酸塩、臭化水素酸塩、クエン酸塩、重亜硫酸塩、フッ化物、ポリマレイン酸塩、Ｎ−ココアルキルサルコシン酸塩、亜リン酸塩、次亜リン酸塩、ペルフルオロオクタン酸塩、ケイ酸塩、ソルビン酸塩、サリチル酸塩、マレイン酸塩、酒石酸塩、フマル酸塩、エチレンジアミン四酢酸塩、イミノ二酢酸塩、桂皮酸塩、チオシアン酸塩、アルギン酸塩、ピロメリト酸塩、テトラカルボキシ酪酸塩、安息香酸塩、グルタル酸塩、モノフルオロリン酸塩、ペルフルオロプロピオン酸塩などの対応する塩、およびそれらの望ましい混合物から選択することができる。ハロゲン化キシロールおよびクレゾール誘導体、例えばｐ−クロロメタクレゾールまたはｐ−クロロメタキシロール、および植物起源（例えば、スパイスまたはハーブ由来）、動物起源、または微生物起源の天然抗菌有効成分も好適である。抗菌界面活性第四級化合物、植物起源の天然抗菌有効成分ならびに／または動物起源の天然抗菌有効成分、格段に好ましくは、カフェイン、テオブロミンおよびテオフィリン、ならびに精油、例えばオイゲノール、チモールおよびゲラニオールを含む群の植物起源の少なくとも１つの天然抗菌有効成分、ならびに／または酵素、例えば乳汁由来のタンパク質、リゾチームおよびラクトペルオキシダーゼを含む群の動物起源の少なくとも１つの天然抗菌有効成分、ならびに／またはアンモニウム、スルホニウム、ホスホニウム、ヨードニウムもしくはアルソニウム基を有する少なくとも１つの抗菌界面活性第四級化合物、ペルオキソ化合物および塩素化合物を使用することが好ましいことがある。微生物起源の物質、いわゆるバクテリオシンも使用することができる。グリシン、グリシン誘導体、ホルムアルデヒド、並びにホルムアルデヒド、ギ酸および過酸化物を容易に遊離する化合物を使用することが好ましい。
【０３３０】
抗菌有効成分として好適な第四級アンモニウム化合物（ＱＡＣ）については、上記にすでに述べた。特に適しているのは、例えば、ベンザルコニウムクロリドなどである。ベンザルコニウムハライドおよび／または置換ベンザルコニウムハライドは、例えば、Ｂａｒｑｕａｔ(登録商標)ｅｘ  Ｌｏｎｚａ、Ｍａｒｑｕａｔ(登録商標)ｅｘ  Ｍａｓｏｎ、Ｖａｒｉｑｕａｔ(登録商標)ｅｘ  Ｗｉｔｃｏ／ＳｈｅｒｅｘおよびＨｙａｍｉｎｅ(登録商標)ｅｘ  Ｌｏｎｚａ、ならびにＢａｒｄａｃ(登録商標)ｅｘ  Ｌｏｎｚａとして市販されている。さらなる市販抗菌有効成分は、Ｎ−（３−クロロアリル）ヘキサミニウムクロリド、例えばＤｏｗｉｃｉｄｅ(登録商標)およびＤｏｗｉｃｉｌ(登録商標)ｅｘ  Ｄｏｗ、ベンゼトニウムクロリド、例えばＨｙａｍｉｎｅ(登録商標)１６２２  ｅｘ  Ｒｏｈｍ  ＆  Ｈａａｓ、メチルベンゼトニウムクロリド、例えばＨｙａｍｉｎｅ(登録商標)１０Ｘ  ｅｘ  Ｒｏｈｍ  ＆  Ｈａａｓ、セチルピリジニウムクロリド、例えばｃｅｐａｃｏｌ  ｃｈｌｏｒｉｄｅ  ｅｘ  Ｍｅｒｒｅｌｌ  Ｌａｂｓである。
【０３３１】
さらに、本発明の組成物、例えば、特に、洗剤もしくは洗浄剤、ケア組成物またはコンディショニング組成物は、場合により、吸水能、すなわち処理する布地の再湿潤性を改善するため、そして処理した布地のアイロンがけを容易にするために、アイロン助剤を含み得る。例えば、組成物にシリコーン誘導体を使用してよい。これらは、発泡防止特性を示すことから、洗剤組成物のすすぎ性をさらに改善する。好ましいシリコーン誘導体は、例えば、アルキル基が１〜５個の炭素原子を有し、全体または部分的にフッ素化されている、ポリジアルキルシロキサンまたはアルキルアリールシロキサンである。好ましいシリコーンは、ポリジメチルシロキサンであり、このポリジメチルシロキサンは、場合により、誘導体化されていてよく、アミノ官能性であってよくもしくは四級化されていてよく、またはＳｉ−ＯＨ、Ｓｉ−Ｈおよび／もしくはＳｉ−Ｃｌ結合を有していてよい。好ましいシリコーンの２５℃での粘度は、１００〜１００，０００ｍＰａｓの範囲であり、この場合、シリコーンを、組成物全体に対して０．２〜５重量％の量で使用することができる。
【０３３２】
本発明の組成物、特にコンディショニング組成物は、当業者には馴染み深いあらゆる公知の技術により得ることができる。例えば、組成物は、それらの原料から、混合により、必要に応じて高剪断混合装置を用いて、直接得ることができる。液体製剤、特にコンディショニング組成物では、存在する任意の柔軟剤成分を溶かし、その後、その溶解物を溶媒、好ましくは、水中に分散させることが望ましい。本発明の有用な式（Ｉ）の重合性ベタインエステルまたは本発明に従ってそれらから調製可能なポリマーは、単純混合により、コンディショニング組成物に組み込むことができる。
【０３３３】
コンディショニング組成物は、布地柔軟剤の形であることが好ましい。この場合、それらは、通常、全自動洗濯機のすすぎサイクルに投入される。
【０３３４】
本発明はさらに、基材、特にコンディショナー基材を提供し、このコンディショナー基材は、本発明の組成物、特にコンディショニング組成物で含浸および／またはコーティングされるため、他の構成要素に加えて、本発明の芳香組成物を含む。
【０３３５】
本発明のコンディショナー基材は、主として布地処理に、特に布地乾燥処理に使用される。基材材料は、好ましくは、多孔性平クロスからなる。この多孔性平クロスは、乾燥機に使用するのに十分な熱安定性を有し、かつ貯蔵中に組成物の漏出または滲みをほとんど起こさせずに物質を効果的にコンディショニングするのに十分な量の含浸またはコーティング組成物を保持し得る、繊維状または多孔性軟質材料からなり得る。これらのクロスには、織および不織合成繊維および天然繊維、フェルト、紙または発泡材料、例えば親水性ポリウレタンフォームでできた布地が含まれる。
【０３３６】
本発明では、不織材料（不織物）でできた従来の布地を使用することが好ましい。不織物とは、一般に、マットもしくは層状繊維構造を有する接着接合した繊維性製品、または繊維が無作為にもしくは統計的配置に分布している繊維マットを含むものとして定義される。繊維は、天然繊維、例えば羊毛、絹、ジュート、麻、綿、リネン、サイザルもしくはラミー；または合成繊維、例えばレーヨン、セルロースエステル、ポリビニル誘導体、ポリオレフィン、ポリアミドもしくはポリエステルであってよい。一般に、いずれの繊維径または繊維価も本発明に好適である。本発明で使用する不織材料は、不織材料中の繊維の無作為または統計的配置から、それらを、例えば、家庭用回転式乾燥機に使用したときに、破れたり、分解したりせず、全方向に優れた強度を与える傾向を有する。本発明において好適な基材である不織物質の例は、例えば、ＷＯ  ９３／２３６０３より知られている。好ましい多孔性平クリーニングクロスは、１種類のまたは異なる繊維材料、特に綿、加工綿、ポリアミド、ポリエステルまたはこれらの混合物からなる。好ましくは、クロス形態のクリーニング基材は、１０〜５０００ｃｍ２、好ましくは５０〜２０００ｃｍ２、特に１００〜１５００ｃｍ２、特に好ましくは２００〜１０００ｃｍ２の面積を有する。本発明での材料の坪量は、通常２０〜１０００ｇ／ｍ２、好ましくは３０〜５００ｇ／ｍ２、特に５０〜１５０ｇ／ｍ２である。コンディショニング基材は、本発明の組成物、すなわちコンディショニング組成物を基材上に、浸漬または含浸させることにより、あるいは溶かすことにより得ることができる。
【０３３７】
本発明はさらに、本発明のコンディショニング組成物の使用、すなわち布地コンディショニング処理、例えば、すすぎサイクルなど、布地乾燥処理および布地ドライクリーニング法または布地リフレッシュ法における本発明のコンディショニング基材の使用を提供する。
【０３３８】
本発明の好ましい組成物は、好ましくは、界面活性剤とさらなる通常の洗剤または洗浄剤成分とを含む液体洗剤である。例えば、本発明の好適な液体洗剤は、増粘系として、いずれの場合にも組成物全体に対して、ａ）０．１〜５重量％の高分子増粘剤、ｂ）０．５〜７重量％のホウ素化合物、およびｃ）１〜８重量％の錯化剤を含み得る。
【０３３９】
本発明の範囲内では、界面活性剤含量が３５重量％を超える高粘度の水性液体洗剤が好ましい。
【０３４０】
膨潤剤とも呼ばれる好適な増粘剤、例えば、アルギン酸塩または寒天などについては、上記にすでに述べた。好ましい水性液体洗剤は、増粘系として０．２〜４重量％、好ましくは０．３〜３重量％、特に０．４〜１．５重量％の多糖類を含む。
【０３４１】
好ましく使用される高分子増粘剤は、Ｘａｎｔｈｏｍｏｎａｓ  ｃａｍｐｅｓｔｒｉｓや他のいくつかの種によって好気性条件下で生産され、分子量が２〜１５百万ダルトンの、微生物アニオン性ヘテロ多糖類であるキサンタンである。キサンタンは、側鎖を有するβ−１，４−結合グルコース（セルロース）を有する鎖から形成される。サブグループの構造は、グルコース、マンノース、グルクロン酸、酢酸塩およびピルビン酸塩からなり、ここで、ピルビン酸単位の数はキサンタンの粘度を決定する。
【０３４２】
本発明の液体洗剤は、ホウ素化合物を含むことが好ましく、このホウ素化合物は０．５〜７重量％の量で使用される。本発明の範囲内で使用することができるホウ素化合物の例は、ホウ酸、酸化ホウ素、アルカリ金属ホウ酸塩、例えばオルト−、メタ−およびピロホウ酸のアンモニウム塩、ナトリウム塩およびカリウム塩、異なる水和状態のホウ砂、ならびにポリホウ酸塩、例えば、アルカリ金属ペンタホウ酸塩などである。
【０３４３】
有機ホウ素化合物、例えばホウ酸エステルも使用することができる。ホウ酸と非イオン性界面活性剤との反応生成物も同様に利用可能である。
【０３４４】
好ましい液体洗剤は、０．５〜４重量％、好ましくは０．７５〜３重量％、特に１〜２重量％のホウ酸および／またはテトラホウ酸ナトリウムを含む。
【０３４５】
さらに、本発明の液体洗剤は、１〜８重量％の錯化剤を含み得る。ここで、特に好ましい液体洗剤は、クエン酸またはクエン酸ナトリウムを含み、２．０〜７．５重量％、好ましくは３．０〜６．０重量％、特に４．０〜５．０重量％のクエン酸ナトリウムを含む液体洗剤が好ましい。
【０３４６】
本発明の液体洗剤は、増粘系の構成要素に加えて、界面活性剤を含み、そのようなケースでは、アニオン性、非イオン性、カチオン性および／または両性界面活性剤が使用される。用途的には、アニオン性界面活性剤と非イオン性界面活性剤との混合物が好ましく、この場合、非イオン性界面活性剤の割合はアニオン性界面活性剤の割合より高いことが好ましい。同様に、糖および／または糖誘導体、例えば、アルキルポリグルコシドまたはシクロデキストリンなども使用することができる。
【実施例１】
【０３４７】
固形洗浄剤に「レモンフレッシュの芳香パターン」の香油１を噴霧し、「後添加」によって「ケア」の芳香傾向を示す更なる香油を追加した。「後添加」の過程では、ポリマーによってカプセル化された香油２（クリームの芳香）を含むコアからなる小ビーズを混合した。これらのビーズは外見的には中立の香り同然であった。非常に僅かな機械的作用で、ビーズを洗浄剤に添加した。
【０３４８】
ビーズを含む固形洗浄剤はそれ自体、明らかに感知可能な芳香パターン「シトラスの芳香」を有していた。これはまた、例えば包装開封時に感知され得る芳香であった。自動洗濯機での布地洗浄の条件下（アルカリ性媒体、Ｔ＝４０℃、機械的応力）、存在していた球はその一体性を失った、つまり、洗浄工程中に香油２が放出された。香油１との関係では、香油２は有意に多量であり、即ち８：１の量比であった。洗濯機を開けたとき、強い、明らかに認知可能な「クリーム」の芳香が発現し、この香りが乾燥した洗濯物にも付着した。
【実施例２】
【０３４９】
消費者製品中に均一に分散され、浮かんだり沈んだりしない懸濁小ビーズを含む液状洗浄剤（ジェル）を常套法で調製した。液状洗浄剤自体が、液体内に香油１（シトラスの芳香）を含んでいた。ポリマーによってカプセル化された香油２（クリームの芳香）からなるコアからなる小ビーズは、外見的には中立の香り同然であった。
【０３５０】
ビーズを含む液状洗浄剤はそれ自体、明らかに感知可能な芳香パターン「シトラスの芳香」を有していた。これはまた、包装開封時および洗濯機に該組成物を注入する時に、消費者が感知できる芳香であった。布地洗浄の条件下、機械洗浄中に生じる機械的応力を受けて、その時存在していたビーズはその一体性を失った。結果として、洗浄工程中に香油２が放出された。香油１との関係では、香油２は有意に多量であり、即ち７：１の比であった。洗濯機を開けたとき、非常に強い、明らかに認知可能な「クリーム」の芳香が直ちに発現し、この香りが乾燥した洗濯物にも付着した。
【実施例３】
【０３５１】
微細構造を有する固体の易溶性粉末洗浄剤を、イソ−Ｅ−スーパー、ジヒドロフロリホン、プロピジル、ジヒドロミルセノールおよびアセジルを含む香油を用いて芳香付けした。香料であるテトラヒドロリナロール、リモネン、イソラルデイン、ベンジルアセトン、リリアールおよび比較的多量のへディオンを含む香油を、分散したベントナイト含有担持材料に更に適用した。粉末洗浄剤および芳香付与ベントナイト含有担持材料を混合した。更に、著しいフルーティーな芳香パターンを有する香料を含むカプセルも混合した。カプセルは、自動布地洗浄時の機械的応力の条件下、その一体性を失い、含まれている香料を放出できるように存在していた。
【実施例４】
【０３５２】
中立の香りがする基礎塊体を含むゲル様洗浄剤を調製した。この基礎塊体は、シトロネロール、イソ−Ｅ−スーパー、アセジル、ゲラニオール、プロピジルおよびテルピネオールからなる香料による、芳香パターン「１」を有していた。更に、第二の香油「２」を添加した。この第二の香油はカプセル化されていた。これは、香料であるリナリルアセテート、ジメチルベンジルカルビニルアセテート、ウンデカベルトール、イソボルニルアセテート、リナロール、ヘキシルシンナムアルデヒド、リリアール、ヘキシルサリチレート、ＯＴＢＣＡ、テトラヒドロゲラニオールを含んでいた。該カプセルをゲルマトリックスに注意深く懸濁させた。カプセルは、自動布地洗浄時の機械的応力の条件下、その一体性を失い、含まれている香料を放出できるように存在していた。
【実施例５】
【０３５３】
中立の香りがする基礎塊体を含むゲル様洗浄剤を調製した。この基礎塊体は、テトラヒドロリナロール、イソ−Ｅ−スーパー、リモネン、ハバノリド、ＯＴＢＣＡ、ＰＴＢＣＡ、ゲラニルニトリル、へディオンからなる香料による、芳香パターン「１」を有していた。更に、第二の香油「２」を添加した。この第二の香油はカプセル化されていた。これは、香料であるヘキシルシンナムアルデヒド、リナリルアセテート、アンブロキサン、シトロネロール、アニスアルデヒド、テトラヒドロミルセノール、Ｃ１２−アルデヒド、シクロペンタデカノリドを含んでいた。該カプセルをゲルマトリックスに注意深く懸濁させた。カプセルは、自動布地洗浄時の機械的応力の条件下、その一体性を失い、含まれている香料を放出できるように存在していた。
【国際調査報告】
2009507111.tif 000014
2009507111.tif 000015
2009507111.tif 000016
2009507111.tif 000017
2009507111.tif 000018
2009507111.tif 000019
2009507111.tif 000020
2009507111.tif 000021
2009507111.tif 000022
2009507111.tif 000023